(57)【特許請求の範囲】
【請求項１】
硬貨を投入可能でかつ出金可能な硬貨入出金口と、硬貨通路に設けられ、硬貨が受入れ可能か否かおよび硬貨の金種を判別するとともに、硬貨の金種別の枚数を計数するセンサ手段と、受入れ可能な硬貨を貯留する単一の硬貨貯留ボックスと、機体の前部または後部に着脱可能に取り付けられ、前記単一の硬貨貯留ボックスに貯留されるべき硬貨を収容可能な硬貨カセットと、硬貨入出金機の動作を制御する制御手段を備え、前記制御手段が、硬貨の入出金処理の開始に先立って、前記硬貨カセットに収容された硬貨を繰り出させ、前記センサ手段によって、前記硬貨カセットから繰り出された硬貨が受け入れ可能か否かおよび硬貨の金種を判別させるとともに、硬貨の金種別の枚数を計数させ、前記センサ手段の判別および計数結果に基づいて、前記センサ手段が受け入れ可能と判別した硬貨を、前記単一の硬貨貯留ボックスに貯留させ、硬貨の出金処理に先立って、前記硬貨貯留ボックスに貯留された硬貨を繰り出させて、前記センサ手段によって、前記硬貨貯留ボックスから繰り出された硬貨の金種を判別させるとともに、硬貨の金種別の枚数を計数させ、前記センサ手段の判別および計数結果に基づいて、各金種ごとに、所定枚数の硬貨を、前記硬貨カセットに貯留させ、硬貨の出金処理に際して、前記硬貨カセットに貯留された硬貨を繰り出させ、前記センサ手段によって、前記硬貨カセットから繰り出された硬貨の金種を判別させるとともに、硬貨の金種別の枚数を計数させ、前記センサ手段の判別および計数結果に基づいて、硬貨を、前記硬貨入出金口に出金し、硬貨の入出金処理の完了後に、前記単一の硬貨貯留ボックス内に貯留された硬貨を繰り出して、前記硬貨カセット内に収容させるように構成され、前記センサ手段によって、前記硬貨入出金口から投入された硬貨が受け入れ可能か否かおよび受け入れ可能なときは、硬貨の金種を判別させるとともに、硬貨の金種別の枚数を計数させて、前記硬貨入出金口から投入された硬貨を、前記単一の硬貨貯留ボックス内に貯留するように構成されたことを特徴とする硬貨入出金機。
【請求項２】
前記制御手段が、硬貨の出金処理に先立って、１回の出金処理によって、出金される最大出金額に等しい金額の硬貨を、一出金単位の硬貨として、前記硬貨カセットに貯留させるように構成されたことを特徴とする請求項１に記載の硬貨入出金機。
【請求項３】
前記制御手段が、硬貨の合計枚数が最小になるように、金種別に、一出金単位の硬貨を選択し、硬貨の出金処理に先立って、前記硬貨カセットに貯留させるように構成されたことを特徴とする請求項２に記載の硬貨入出金機。
【請求項４】
前記制御手段が、硬貨の出金処理に先立って、二以上の出金単位の硬貨を、前記硬貨カセットに貯留させるように構成されたことを特徴とする請求項２または３に記載の硬貨入出金機。
【請求項５】
前記制御手段が、出金処理の終了後に、前記単一の硬貨貯留ボックスに貯留された硬貨を繰り出させ、前記センサ手段によって、前記単一の硬貨貯留ボックスから繰り出された硬貨の金種を判別させるとともに、硬貨の金種別の枚数を計数させ、前記センサ手段の判別および計数結果に基づいて、出金された硬貨と金種別の枚数が等しい硬貨を、前記硬貨カセットに補充するように構成されたことを特徴とする請求項２ないし４のいずれか１項に記載の硬貨入出金機。
【請求項６】
さらに、前記一出金単位の硬貨を貯留可能な少なくとも１つの硬貨貯留手段を備え、前記制御手段が、硬貨の出金処理に先立って、前記硬貨カセットに、一出金単位の硬貨を貯留させるとともに、前記少なくとも１つの硬貨貯留手段に、一出金単位の硬貨を貯留させ、硬貨の出金処理に際して、前記硬貨カセットまたは前記少なくとも１つの硬貨貯留手段に貯留された硬貨を、選択的に繰り出させ、前記センサ手段によって、前記硬貨カセットから繰り出された硬貨の金種を判別させるとともに、硬貨の金種別の枚数を計数させ、前記センサ手段の判別および計数結果に基づいて、硬貨を、前記硬貨入出金口に出金するように構成されたことを特徴とする請求項２または３に記載の硬貨入出金機。
【請求項７】
前記制御手段が、出金処理の終了後に、前記単一の硬貨貯留ボックスに貯留された硬貨を繰り出させ、前記センサ手段によって、前記単一の硬貨貯留ボックスから繰り出された硬貨の金種を判別させるとともに、硬貨の金種別の枚数を計数させ、前記センサ手段の判別および計数結果に基づいて、前記硬貨カセットから出金された硬貨と金種別の枚数が等しい硬貨を、前記硬貨カセットに補充し、前記少なくとも１つの硬貨貯留手段から出金された硬貨と金種別の枚数が等しい硬貨を、前記少なくとも１つの硬貨貯留手段に補充するように構成されたことを特徴とする請求項６に記載の硬貨入出金機。
【請求項８】
さらに、前記硬貨カセットおよび前記単一の硬貨貯留ボックスから繰り出された硬貨を、前記センサ手段に向けて、移送する搬送ベルトを備え、前記搬送ベルトが、前記硬貨入出金口から投入され、前記センサ手段によって、受け入れ可能と判別された硬貨を、一時的に保持可能に構成されたことを特徴とする請求項１ないし７のいずれか１項に記載の硬貨入出金機。
【請求項９】
前記制御手段が、硬貨の入出金処理の完了後に、前記硬貨カセットに収容された硬貨を、前記単一の硬貨貯留ボックス内に移送して、貯留させ、前記単一の硬貨貯留ボックス内に貯留された硬貨を繰り出して、前記センサ手段によって、前記単一の硬貨貯留ボックスから繰り出された硬貨が受け入れ可能か否かおよび受け入れ可能なときは、硬貨の金種を判別させるとともに、硬貨の金種別の枚数を計数させ、前記単一の硬貨貯留ボックスから繰り出された受け入れ可能な硬貨を、前記硬貨カセット内に収容させるように構成されたことを特徴とする請求項１ないし５および８に記載の硬貨入出金機。
【請求項１０】
前記制御手段が、硬貨の入出金処理の完了後に、前記硬貨カセットおよび前記少なくとも１つの硬貨貯留手段に収容された硬貨を、前記硬貨貯留ボックス内に移送して、貯留させ、前記硬貨貯留ボックス内に貯留された硬貨を繰り出して、前記センサ手段によって、前記硬貨貯留ボックスから繰り出された硬貨が受け入れ可能か否かおよび受け入れ可能なときは、硬貨の金種を判別させるとともに、硬貨の金種別の枚数を計数させ、前記硬貨貯留ボックスから繰り出された受け入れ可能な硬貨を、前記硬貨カセット内に収容させるように構成されたことを特徴とする請求項６ないし８に記載の硬貨入出金機。
【請求項１１】
さらに、外部からアクセス可能で、受け入れ不能な硬貨を回収する受け入れ不能硬貨回収ボックスを備え、前記制御手段が、前記センサ手段によって、受け入れ不能と判別された硬貨を、前記受け入れ不能硬貨回収ボックスに収容させるように構成されたことを特徴とする請求項１ないし１０のいずれか１項に記載の硬貨入出金機。
【発明の詳細な説明】
【０００１】
【発明の属する技術分野】
本発明は、硬貨入出金機に関するものであり、さらに詳細には、小型化が可能で、かつ、低コストで製造することができ、新たに発行された金種の硬貨も、容易に、入金し、出金することができる硬貨入出金機に関するものである。
【０００２】
【従来の技術】
入金された硬貨を、金種別に選別して、金種別の貯留ボックス内に、貯留し、金種別の貯留ボックス内に貯留された硬貨を、出金のために利用するように構成された硬貨入出金機が、たとえば、特許第２９８６９１２号公報などによって知られている。
【０００３】
この硬貨入出金機は、硬貨入出金口から入金された硬貨の真偽および金種を判別するとともに、金額を算出して、入金された硬貨を、一時貯留ボックス内に一時的に貯留した後、オペレータが入金を指示したときは、入金された硬貨を、金種別に選別して、金種ごとに設けられた硬貨貯留ボックス内に貯留し、一方、オペレータから出金が指示されたときは、金種ごとに設けられた硬貨貯留ボックスに収納されている硬貨を、必要な枚数だけ、繰り出して、硬貨入出金口から、オペレータに払い出すように設けられている。
【０００４】
かかる硬貨入出金機においては、硬貨の入金時に、入金された硬貨の真偽および金種を判別して、入金された硬貨を、金種別に選別して、金種ごとに設けられた硬貨貯留ボックス内に貯留しているため、金種ごとに設けられた硬貨貯留ボックス内に貯留された硬貨を、出金のために利用する際に、改めて、硬貨の真偽および金種を判別する必要がなく、迅速に、かつ、誤りなく、金種ごとに設けられた硬貨貯留ボックス内に収納された硬貨を用いて、硬貨の払出しが可能になるという利点を有している。
【０００５】
【発明が解決しようとする課題】
しかしながら、このように、硬貨の金種ごとに、硬貨貯留ボックスを設ける場合には、必然的に、硬貨入出金機が大型化するとともに、硬貨入出金機のコストアップが避けられないという問題があった。
【０００６】
さらに、硬貨の金種によって、入金される硬貨の枚数および出金に利用される硬貨の枚数が大きく異なるため、金種ごとに、サイズの異なる硬貨貯留ボックスを設けることが必要不可欠であるが、金種ごとに、サイズの異なる硬貨貯留ボックスを設けた場合でも、いずれかの硬貨貯留ボックス内に貯留し切れなくなった硬貨を収容する補充用硬貨貯留ボックスを設けないと、いずれかの硬貨貯留ボックス内に貯留し切れなくなった硬貨を回収するため、硬貨入出金機の動作を頻繁に停止させなければならないという問題があり、その一方で、いずれかの硬貨貯留ボックス内に貯留し切れなくなった硬貨を収容する補充用硬貨貯留ボックスを設ける場合には、硬貨入出金機がさらに大型化するとともに、硬貨入出金機のさらなるコストアップが避けられないという問題があった。
【０００７】
加えて、かかる硬貨入出金機にあっては、新たな金種の硬貨が発行された場合には、新たに発行された金種の硬貨を貯留し、出金時に、貯留された硬貨を払い出す硬貨貯留ボックスを設けるスペースを確保することがきわめて困難であり、その一方で、新たに発行される金種の硬貨を貯留する硬貨貯留ボックスを設けるスペースを、あらかじめ確保しておくときは、硬貨入出金機が、より一層大型化するという問題があり、将来、新たな金種の硬貨が発行された場合に、対応することが困難であった。
【０００８】
したがって、本発明は、小型化が可能で、かつ、低コストで製造することができ、新たに発行された金種の硬貨も、容易に、入金し、出金することができる硬貨入出金機を提供することを目的とするものである。
【０００９】
【課題を解決するための手段】
本発明のかかる目的は、硬貨を投入可能でかつ出金可能な硬貨入出金口と、硬貨通路に設けられ、硬貨が受入れ可能か否かおよび硬貨の金種を判別するとともに、硬貨の金種別の枚数を計数するセンサ手段と、受入れ可能な硬貨を貯留する単一の硬貨貯留ボックスと、機体の前部または後部に着脱可能に取り付けられ、前記単一の硬貨貯留ボックスに貯留されるべき硬貨を収容可能な硬貨カセットと、硬貨入出金機の動作を制御する制御手段を備え、前記制御手段が、硬貨の入出金処理の開始に先立って、前記硬貨カセットに収容された硬貨を繰り出させ、前記センサ手段によって、前記硬貨カセットから繰り出された硬貨が受け入れ可能か否かおよび硬貨の金種を判別させるとともに、硬貨の金種別の枚数を計数させ、前記センサ手段の判別および計数結果に基づいて、前記センサ手段が受け入れ可能と判別した硬貨を、前記単一の硬貨貯留ボックスに貯留させ、硬貨の出金処理に先立って、前記硬貨貯留ボックスに貯留された硬貨を繰り出させて、前記センサ手段によって、前記硬貨貯留ボックスから繰り出された硬貨の金種を判別させるとともに、硬貨の金種別の枚数を計数させ、前記センサ手段の判別および計数結果に基づいて、各金種ごとに、所定枚数の硬貨を、前記硬貨カセットに貯留させ、硬貨の出金処理に際して、前記硬貨カセットに貯留された硬貨を繰り出させ、前記センサ手段によって、前記硬貨カセットから繰り出された硬貨の金種を判別させるとともに、硬貨の金種別の枚数を計数させ、前記センサ手段の判別および計数結果に基づいて、硬貨を、前記硬貨入出金口に出金し、硬貨の入出金処理の完了後に、前記単一の硬貨貯留ボックス内に貯留された硬貨を繰り出して、前記硬貨カセット内に収容させるように構成され、前記センサ手段によって、前記硬貨入出金口から投入された硬貨が受け入れ可能か否かおよび受け入れ可能なときは、硬貨の金種を判別させるとともに、硬貨の金種別の枚数を計数させて、前記硬貨入出金口から投入された硬貨を、前記単一の硬貨貯留ボックス内に貯留するように構成されたことを特徴とする硬貨入出金機によって達成される。
【００１０】
本発明によれば、硬貨入出金機は、硬貨を投入可能でかつ出金可能な硬貨入出金口と、硬貨通路に設けられ、硬貨が受入れ可能か否かおよび硬貨の金種を判別するとともに、硬貨の金種別の枚数を計数するセンサ手段と、受入れ可能な硬貨を貯留する単一の硬貨貯留ボックスと、機体の前部または後部に着脱可能に取り付けられ、単一の硬貨貯留ボックスに貯留されるべき硬貨を収容可能な硬貨カセットと、硬貨入出金機の動作を制御する制御手段を備え、制御手段が、硬貨の入出金処理の開始に先立って、硬貨カセットに収容された硬貨を繰り出させ、センサ手段によって、硬貨カセットから繰り出された硬貨が受け入れ可能か否かおよび硬貨の金種を判別させるとともに、硬貨の金種別の枚数を計数させ、センサ手段の判別および計数結果に基づいて、センサ手段が受け入れ可能と判別した硬貨を、単一の硬貨貯留ボックスに貯留させ、硬貨の出金処理に先立って、硬貨貯留ボックスに貯留された硬貨を繰り出させて、センサ手段によって、硬貨貯留ボックスから繰り出された硬貨の金種を判別させるとともに、硬貨の金種別の枚数を計数させ、センサ手段の判別および計数結果に基づいて、各金種ごとに、所定枚数の硬貨を、硬貨カセットに貯留させ、硬貨の出金処理に際して、硬貨カセットに貯留された硬貨を繰り出させ、センサ手段によって、硬貨カセットから繰り出された硬貨の金種を判別させるとともに、硬貨の金種別の枚数を計数させ、センサ手段の判別および計数結果に基づいて、硬貨を、硬貨入出金口に出金し、硬貨の入出金処理の完了後に、単一の硬貨貯留ボックス内に貯留された硬貨を繰り出して、硬貨カセット内に収容させるように構成され、センサ手段によって、硬貨入出金口から投入された硬貨が受け入れ可能か否かおよび受け入れ可能なときは、硬貨の金種を判別させるとともに、硬貨の金種別の枚数を計数させて、硬貨入出金口から投入された硬貨を、単一の硬貨貯留ボックス内に貯留するように構成されているから、硬貨カセットに貯留されている出金すべき硬貨を除くすべての硬貨は、単一の硬貨貯留ボックス内に貯留され、したがって、硬貨入出金機は、金種別に、硬貨を貯留する硬貨貯留ボックスを備えていないから、硬貨入出金機を小型化することが可能になるとともに、硬貨入出金機のコストを大幅に低減させることが可能になる。
【００１１】
また、本発明によれば、硬貨カセットに貯留されている出金すべき硬貨を除くすべての硬貨は、単一の硬貨貯留ボックス内に貯留されるように構成され、硬貨入出金機は、金種別に、硬貨を貯留する硬貨貯留ボックスを備えていないから、金種別に、硬貨を貯留する硬貨貯留ボックスのいずれかに貯留し切れなくなった硬貨を収容する補充用硬貨貯留ボックスを設ける必要がなく、硬貨入出金機を小型化することが可能になるとともに、硬貨入出金機のコストを大幅に低減させることが可能になる。
【００１２】
さらに、本発明によれば、硬貨カセットに貯留されている出金すべき硬貨を除くすべての硬貨は、単一の硬貨貯留ボックス内に貯留されるように構成され、硬貨入出金機は、金種別に、硬貨を貯留する硬貨貯留ボックスを備えていないから、いずれかの金種の硬貨の入金枚数が過大になっても、硬貨貯留ボックス内に収容し切れなくなるということがなく、したがって、硬貨貯留ボックス内に貯留し切れなくなった硬貨を回収するため、硬貨入出金機の動作を停止させる必要が生じることがないから、硬貨入出金機の処理効率を大幅に向上させることが可能になる。
【００１３】
また、本発明によれば、硬貨カセットに貯留されている出金すべき硬貨を除くすべての硬貨は、単一の硬貨貯留ボックス内に貯留されるように構成され、硬貨入出金機は、金種別に、硬貨を貯留する硬貨貯留ボックスを備えていないから、硬貨入出金機の構造を簡素化することが可能となるとともに、硬貨入出金機の耐久性を向上させることが可能になる。
【００１４】
さらに、本発明によれば、新たな金種の硬貨が発行された場合でも、新たに発行された金種の硬貨を貯留し、出金時に、貯留された硬貨を払い出す硬貨貯留ボックスを設けるスペースを確保する必要がなく、単に、制御手段の制御プログラムを変更するだけで、新たに発行された金種の硬貨を、硬貨入出金機に、入金し、硬貨入出金機から出金することが可能になるから、新たな金種の硬貨が発行される場合に備えて、無駄なスペースを確保しておく必要がなく、したがって、硬貨入出金機をより一層小型化することが可能になり、その一方で、将来、新たな金種の硬貨が発行された場合に、容易に対応することが可能になる。
また、本発明によれば、出金すべき硬貨を貯留する特別の手段を設けることなく、硬貨の出金処理に先立って、出金すべき硬貨を、業務の開始時に、単一の硬貨貯留ボックス内に貯留すべき硬貨を収容し、業務の終了時に、単一の硬貨貯留ボックス内に収容されていた硬貨を回収する硬貨カセットに貯留させるように構成されているから、より一層、硬貨入出金機を小型化することが可能になるとともに、硬貨入出金機のコストを大幅に低減させることが可能になる。
さらに、本発明によれば、硬貨カセットは、機体の前部または後部に着脱可能に取り付けられるから、業務の開始に先立って、硬貨入出金機に収納すべき硬貨を、硬貨カセットに収容させて、硬貨カセットを硬貨入出金機に取り付けることによって、容易に、出金に使用すべき硬貨を、硬貨貯留ボックス内に装填することが可能になるとともに、業務の終了後に、硬貨入出金機内に収容されている硬貨をすべて、硬貨カセット内に収容させて、容易に回収することが可能になる。
【００１５】
本発明の好ましい実施態様においては、前記制御手段が、硬貨の出金処理に先立って、１回の出金処理によって、出金される最大出金額に等しい金額の硬貨を、一出金単位の硬貨として、前記硬貨カセットに貯留させるように構成されている。
【００１６】
本発明の好ましい実施態様によれば、制御手段が、硬貨の出金処理に先立って、１回の出金処理によって、出金される最大出金額に等しい金額の硬貨を、一出金単位の硬貨として、硬貨カセットに貯留させるように構成されているから、顧客が指示する金額の硬貨を、確実に出金することが可能になる。
【００１７】
本発明のさらに好ましい実施態様においては、前記制御手段が、硬貨の合計枚数が最小になるように、金種別に、一出金単位の硬貨を選択し、硬貨の出金処理に先立って、前記硬貨カセットに貯留させるように構成されている。
【００１８】
本発明のさらに好ましい実施態様によれば、制御手段が、硬貨の合計枚数が最小になるように、金種別に、一出金単位の硬貨を選択し、硬貨の出金処理に先立って、硬貨カセットに貯留させるように構成されているから、出金に際して、硬貨カセットから繰り出される硬貨の枚数が少なくなり、硬貨の処理効率を大幅に向上させることが可能になる。
【００１９】
本発明のさらに好ましい実施態様においては、前記制御手段が、硬貨の出金処理に先立って、二以上の出金単位の硬貨を、前記硬貨カセットに貯留させるように構成されている。
【００２０】
本発明のさらに好ましい実施態様によれば、制御手段が、硬貨の出金処理に先立って、二以上の出金単位の硬貨を、硬貨カセットに貯留させるように構成されているから、硬貨の出金処理が実行されるたびに、出金すべき硬貨を、硬貨カセットに補充する必要がなく、硬貨入出金機の硬貨の出金効率を大幅に向上させることが可能になる。
【００２１】
本発明のさらに好ましい実施態様においては、前記制御手段が、出金処理の終了後に、前記硬貨貯留ボックスに貯留された硬貨を繰り出させ、前記センサ手段によって、前記硬貨貯留ボックスから繰り出された硬貨の金種を判別させるとともに、硬貨の金種別の枚数を計数させ、前記センサ手段の判別および計数結果に基づいて、出金された硬貨と金種別の枚数が等しい硬貨を、前記硬貨カセットに補充するように構成されている。
【００２２】
本発明のさらに好ましい実施態様によれば、制御手段が、出金処理の終了後に、硬貨貯留ボックスに貯留された硬貨を繰り出させ、センサ手段によって、硬貨貯留ボックスから繰り出された硬貨の金種を判別させるとともに、硬貨の金種別の枚数を計数させ、センサ手段の判別および計数結果に基づいて、出金された硬貨と金種別の枚数が等しい硬貨を、硬貨カセットに補充するように構成されているから、硬貨カセット内には、つねに、一出金単位あるいは二以上の出金単位の硬貨が貯留され、したがって、出金すべき硬貨を、硬貨カセットに補充するために、硬貨の出金処理を中断させる必要がないから、硬貨入出金機の硬貨の出金効率を大幅に向上させることが可能になる。
【００２３】
本発明の別の好ましい実施態様においては、硬貨入出金機は、さらに、前記一出金単位の硬貨を貯留可能な少なくとも１つの硬貨貯留手段を備え、前記制御手段が、硬貨の出金処理に先立って、前記硬貨カセットに、一出金単位の硬貨を貯留させるとともに、前記少なくとも１つの硬貨貯留手段に、一出金単位の硬貨を貯留させ、硬貨の出金処理に際して、前記硬貨カセットまたは前記少なくとも１つの硬貨貯留手段に貯留された硬貨を、選択的に繰り出させ、前記センサ手段によって、前記硬貨カセットから繰り出された硬貨の金種を判別させるとともに、硬貨の金種別の枚数を計数させ、前記センサ手段の判別および計数結果に基づいて、硬貨を、前記硬貨入出金口に出金するように構成されている。
【００２４】
本発明の別の好ましい実施態様によれば、硬貨入出金機は、さらに、一出金単位の硬貨を貯留可能な少なくとも１つの硬貨貯留手段を備え、制御手段が、硬貨の出金処理に先立って、硬貨カセットに、一出金単位の硬貨を貯留させるとともに、少なくとも１つの硬貨貯留手段に、一出金単位の硬貨を貯留させ、硬貨の出金処理に際して、硬貨カセットまたは少なくとも１つの硬貨貯留手段に貯留された硬貨を、選択的に繰り出させ、センサ手段によって、硬貨カセットから繰り出された硬貨の金種を判別させるとともに、硬貨の金種別の枚数を計数させ、センサ手段の判別および計数結果に基づいて、硬貨を、硬貨入出金口に出金するように構成されているから、出金に際しては、一出金単位を構成する硬貨だけを、硬貨カセットあるいは少なくとも１つの硬貨貯留手段から、繰り出せばよく、したがって、出金処理を短時間に完了させることが可能になる。
【００２５】
本発明のさらに好ましい実施態様においては、前記制御手段が、出金処理の終了後に、前記硬貨貯留ボックスに貯留された硬貨を繰り出させ、前記センサ手段によって、前記硬貨貯留ボックスから繰り出された硬貨の金種を判別させるとともに、硬貨の金種別の枚数を計数させ、前記センサ手段の判別および計数結果に基づいて、前記硬貨カセットから出金された硬貨と金種別の枚数が等しい硬貨を、前記硬貨カセットに補充し、前記少なくとも１つの硬貨貯留手段から出金された硬貨と金種別の枚数が等しい硬貨を、前記少なくとも１つの硬貨貯留手段に補充するように構成されている。
【００２６】
本発明のさらに好ましい実施態様によれば、制御手段が、出金処理の終了後に、硬貨貯留ボックスに貯留された硬貨を繰り出させ、センサ手段によって、硬貨貯留ボックスから繰り出された硬貨の金種を判別させるとともに、硬貨の金種別の枚数を計数させ、センサ手段の判別および計数結果に基づいて、硬貨カセットから出金された硬貨と金種別の枚数が等しい硬貨を、硬貨カセットに補充し、少なくとも１つの硬貨貯留手段から出金された硬貨と金種別の枚数が等しい硬貨を、少なくとも１つの硬貨貯留手段に補充するように構成されているから、硬貨カセットおよび少なくとも１つの硬貨貯留手段内には、つねに、一出金単位の硬貨が貯留され、したがって、出金すべき硬貨を、硬貨カセットあるいは少なくとも１つの硬貨貯留手段に補充するために、硬貨の出金処理を中断させる必要がないから、硬貨入出金機の硬貨の出金効率を大幅に向上させることが可能になる。
【００２７】
本発明のさらに好ましい実施態様においては、前記センサ手段が、前記硬貨入出金口から投入された硬貨が受け入れ可能か否かおよび前記硬貨入出金口から投入された硬貨の金種を判別するとともに、前記硬貨入出金口から投入された硬貨の金種別の枚数を計数可能に構成され、前記硬貨貯留ボックスが、前記硬貨入出金口から投入され、前記センサ手段によって、受け入れ可能と判別された硬貨を貯留するように構成されている。
【００２８】
本発明のさらに好ましい実施態様においては、硬貨入出金機は、さらに、前記硬貨カセットおよび前記硬貨貯留ボックスから繰り出された硬貨を、前記センサ手段に向けて、移送する搬送ベルトを備え、前記搬送ベルトが、前記硬貨入出金口から投入され、前記センサ手段によって、受け入れ可能と判別された硬貨を、一時的に保持可能に構成されている。
【００３１】
本発明のさらに好ましい実施態様においては、前記制御手段が、硬貨の入出金処理の完了後に、前記硬貨カセットに収容された硬貨を、前記硬貨貯留ボックス内に移送して、貯留させ、前記硬貨貯留ボックス内に貯留された硬貨を繰り出して、前記センサ手段によって、前記硬貨貯留ボックスから繰り出された硬貨が受け入れ可能か否かおよび受け入れ可能なときは、硬貨の金種を判別させるとともに、硬貨の金種別の枚数を計数させ、前記硬貨貯留ボックスから繰り出された受け入れ可能な硬貨を、前記硬貨カセット内に収容させるように構成されている。
【００３２】
本発明のさらに好ましい実施態様によれば、制御手段が、硬貨の入出金処理の完了後に、硬貨カセットに収容された硬貨を、硬貨貯留ボックス内に移送して、貯留させ、硬貨貯留ボックス内に貯留された硬貨を繰り出して、センサ手段によって、硬貨貯留ボックスから繰り出された硬貨が受け入れ可能か否かおよび受け入れ可能なときは、硬貨の金種を判別させるとともに、硬貨の金種別の枚数を計数させ、硬貨貯留ボックスから繰り出された受け入れ可能な硬貨を、硬貨カセット内に収容させるように構成されているから、業務の終了後に、硬貨入出金機内に収容されている硬貨をすべて、硬貨入出金機に着脱可能に取り付けられた硬貨カセット内に収容させて、容易に回収することが可能になる。
【００３３】
本発明の別の好ましい実施態様においては、前記制御手段が、硬貨の入出金処理の完了後に、前記硬貨カセットおよび前記少なくとも１つの硬貨貯留手段に収容された硬貨を、前記硬貨貯留ボックス内に移送して、貯留させ、前記硬貨貯留ボックス内に貯留された硬貨を繰り出して、前記センサ手段によって、前記硬貨貯留ボックスから繰り出された硬貨が受け入れ可能か否かおよび受け入れ可能なときは、硬貨の金種を判別させるとともに、硬貨の金種別の枚数を計数させ、前記硬貨貯留ボックスから繰り出された受け入れ可能な硬貨を、前記硬貨カセット内に収容させるように構成されている。
【００３４】
本発明の別の好ましい実施態様によれば、制御手段が、硬貨の入出金処理の完了後に、硬貨カセットおよび少なくとも１つの硬貨貯留手段に収容された硬貨を、硬貨貯留ボックス内に移送して、貯留させ、硬貨貯留ボックス内に貯留された硬貨を繰り出して、センサ手段によって、硬貨貯留ボックスから繰り出された硬貨が受け入れ可能か否かおよび受け入れ可能なときは、硬貨の金種を判別させるとともに、硬貨の金種別の枚数を計数させ、硬貨貯留ボックスから繰り出された受け入れ可能な硬貨を、硬貨カセット内に収容させるように構成されているから、業務の終了後に、硬貨入出金機内に収容されている硬貨をすべて、硬貨入出金機に着脱可能に取り付けられた硬貨カセット内に収容させて、容易に回収することが可能になる。
【００３５】
本発明のさらに好ましい実施態様においては、硬貨入出金機は、さらに、外部からアクセス可能で、受け入れ不能な硬貨を回収する受け入れ不能硬貨回収ボックスを備え、前記制御手段が、前記センサ手段によって、受け入れ可能ではないと判別された硬貨を、前記受け入れ不能硬貨回収ボックスに収容させるように構成されている。
【００３６】
【発明の実施の形態】
以下、添付図面に基づいて、本発明の好ましい実施態様につき、詳細に説明を加える。
【００３７】
図１は、本発明の好ましい実施態様にかかる硬貨入出金機の内部機構を示す略斜視図であり、図２は、その略縦側面図である。
【００３８】
図１および図３に示されるように、本実施態様にかかる硬貨入出金機は、本体の側部近傍の頂壁に、硬貨を、硬貨入出金機内に投入し、硬貨を、硬貨入出金機から出金するための硬貨入出金口１を備え、硬貨入出金口１の底部は、シャッタ２によって構成されている。
【００３９】
硬貨入出金口１の下方には、硬貨入出金口１から落下した硬貨を、その上面で受け取る回転可能な回転円板３が配置されている。
【００４０】
図３は、回転円板の近傍の詳細を示す略部分拡大図である。
【００４１】
図３に示されるように、回転円板３の外周部のすぐ外側には、リング状ガイド４が固定され、リング状ガイド４には、処理すべき硬貨のうち、厚さが最大の硬貨より大きく、厚さが最小の硬貨の２倍未満の間隙を有するスロット５が形成されている。硬貨入出金口１から回転円板３上に落下した硬貨は、回転円板３の回転によって生成された遠心力によって、リング状ガイド４の内面に押しつけられ、これに沿って、スロット５から、１枚づつ、硬貨通路６に送り出される。
【００４２】
図１ないし図３に示されるように、スロット５には、硬貨通路６が接続され、硬貨通路６には、硬貨を硬貨通路６の上面に押圧しながら、矢印Ａで示される方向に移動させる搬送ベルト７が設けられている。
【００４３】
さらに、硬貨通路６には、硬貨の径、表面パターンなど光学的性質を検出する光学センサおよび硬貨の磁気的性質を検出する磁気センサを含むセンサユニット８が設けられており、センサユニット８によって検出された硬貨の検出データは、後述するコントロールユニット（図示せず）に出力され、コントロールユニットによって、硬貨入出金口１から投入された硬貨が、現に流通している真正な硬貨で、汚損レベルが基準汚損レベル以下の硬貨か、あるいは、偽造硬貨、外国硬貨、汚損レベルが基準汚損レベルを越えた汚損硬貨などの受け入れ不能な硬貨か否か、すなわち、受け入れ可能か否かが判別されるとともに、硬貨入出金口１から投入された硬貨の金種別の枚数が計数される。
【００４４】
センサユニット８の下流側の硬貨通路６には、硬貨選別デバイス９が設けられている。
【００４５】
図４は、硬貨選別デバイス９の略断面図である。
【００４６】
図４に示されるように、硬貨選別デバイス９は、硬貨通路６の下面に対して、ほぼ垂直に接続されており、硬貨が、その内部を落下可能な硬貨選別通路１０と、軸１０ａに枢着された円筒の一部を切り欠いた形状の選別ローラ１０ｂを備えている。
【００４７】
選別ローラ１０ｂは、硬貨を、硬貨選別通路１０内に落下させることなく、矢印Ｂで示される方向にそのまま通過させるときには、図４において、実線で示す位置に保持され、矢印Ｃで示すように、硬貨選別通路１０内に落下させるときには、実線で示す位置から破線で示す位置まで回動され、硬貨選別通路１０が開放されるように構成されている。
【００４８】
図４に示されるように、硬貨選別通路１０は、後述する入出金ベルト２０に連通する第１のシュート１１と後述する出金ベルト２５に連通する第２のシュート１２に分岐され、第１のシュート１１からは、後述する硬貨カセット３０に連通する第３のシュート１３が分岐されている。
【００４９】
第１のシュート１１と第２のシュート１２との分岐部には、硬貨を、入出金ベルト２０あるいは出金ベルト２５に案内する第１のゲート部材１４が回動自在に設けられ、第１のシュート１１と第３のシュート１３との分岐部には、硬貨を、入出金ベルト２０あるいは硬貨カセット３０に案内する第２のゲート部材１５が回動自在に設けられている。
【００５０】
第１のゲート部材１４は、通常は、硬貨選別通路１０と第１のシュート１１とが連通される位置に保持され、第２のゲート部材１５は、第１のシュート１１を介して、硬貨選別通路１０と入出金ベルト２０とを連通する位置に保持されている。
【００５１】
図１および図２に示されるように、第１のシュート１１は、硬貨を、硬貨入出金機の前後方向に延びる入出金ベルト２０上に案内するように構成され、入出金ベルト２０の下流端部には、入出金ベルト２０から、硬貨を受け取り、受け取った硬貨を、回転円板３に送る硬貨リフトベルト２１が設けられている。
【００５２】
硬貨リフトベルト２１には、硬貨を、硬貨入出金機の上部に配置された回転円板３上に持ち上げる際に、硬貨を係止するための桟（図示せず）が形成されている。
【００５３】
図１および図２に示されるように、第２のシュート１２は、硬貨を、硬貨入出金機の前後方向に延び、プーリ２５ａ、２５ａに巻回された出金ベルト２５上に案内するように構成され、硬貨入出金機の背部側の出金ベルト２５の端部は、偽造硬貨、外国硬貨、汚損レベルが基準汚損レベルを越えた汚損硬貨などの受け入れ不能な硬貨や、オペレータが取り忘れ、受領しなかった硬貨を回収する硬貨回収ボックス２６に接続されている。
【００５４】
一方、硬貨入出金機の前部側の出金ベルト２５の端部には、出金ベルト２５から、硬貨を受け取り、受け取った硬貨を、硬貨入出金口１に搬送する硬貨リフトベルト２７が接続されている。硬貨リフトベルト２７は、硬貨と、硬貨リフトベルト２７の表面との間に生じる摩擦力によって、硬貨を、硬貨リフトベルト２７の表面に保持して、硬貨入出金口１に搬送するように構成されている。
【００５５】
出金ベルト２５が巻回されたプーリ２５ａ、２５ａは、正逆両方向に、選択的に回転可能に構成されており、硬貨を、硬貨回収ボックス２６に搬送するときは、プーリ２５ａ、２５ａが、図２において、反時計まわりに回転され、一方、硬貨を、硬貨入出金口１に送るときは、プーリ２５ａ、２５ａが、図２において、時計まわりに回転されるように構成されている。
【００５６】
図１および図２に示されるように、第３のシュート１３は、硬貨を、硬貨カセット３０に送るように構成されている。
【００５７】
硬貨カセット３０は、硬貨入出金機の背部に着脱可能に取り付けられている。
【００５８】
硬貨カセット３０は、金庫の役割を果たすもので、業務の開始時に、硬貨入出金機に取り付けられて、硬貨カセット３０に収容された硬貨が、硬貨カセット３０から、硬貨入出金機内に、供給され、業務の終了時には、硬貨入出金機内の硬貨が、硬貨カセット３０内に回収されて、硬貨カセット３０が硬貨入出金機から取り外されるように構成されている。
【００５９】
硬貨カセット３０の下部には、硬貨カセット３０内に収容された硬貨を、１枚づつ、入出金ベルト２０上に繰り出す硬貨繰り出し手段（図示せず）が設けられている。
【００６０】
後に詳述するように、本実施態様においては、硬貨カセット３０は、出金すべき硬貨を貯留する機能を有している。
【００６１】
図１および図２に示されるように、硬貨通路６の終端部には、第４のシュート３４が接続され、硬貨通路６を通過した硬貨は、金種にかかわらず、すべて、第４のシュート３４を介して、硬貨入出金機の略中央部に設けられた硬貨貯留ボックス４０内に送られて、硬貨貯留ボックス４０内に貯留されるように構成されている。
【００６２】
硬貨貯留ボックス４０の下部には、硬貨貯留ボックス４０内に貯留された硬貨を、１枚づつ、入出金ベルト２０上に繰り出す硬貨繰り出し手段（図示せず）が設けられている。
【００６３】
図５は、硬貨回収ボックス２６の近傍の詳細を示す略斜視図である。
【００６４】
図５に示されるように、硬貨回収ボックス２６は、偽造硬貨、外国硬貨、汚損レベルが基準汚損レベルを越えた汚損硬貨などの受け入れ不能な硬貨を回収する受け入れ不能硬貨回収ボックス４１と、硬貨入出金口１に出金されたが、オペレータが取り忘れて、受領しなかった硬貨を回収する不受領硬貨貯留ボックス４２を備え、出金ベルト２５の終端部には、硬貨回収通路４３が接続されている。
【００６５】
硬貨回収通路４３は、第５のシュート４４と第６のシュート４５に分岐され、第５のシュート４４は、受け入れ不能硬貨回収ボックス４１に連通し、第６のシュート４５は、不受領硬貨貯留ボックス４２に連通している。。
【００６６】
第５のシュート４４と第６のシュート４５との分岐部には、硬貨を、受け入れ不能硬貨回収ボックス４１あるいは不受領硬貨貯留ボックス４２に案内する第３のゲート部材４６が回動自在に設けられている。
【００６７】
第３のゲート部材４６は、通常は、硬貨回収通路４３を、第５のシュート４４を介して、受け入れ不能硬貨回収ボックス４１に連通させる位置に保持されている。
【００６８】
図６は、本発明の好ましい実施態様にかかる硬貨入出金機の制御系、検出系、駆動系、入力系および表示系を示すブロックダイアグラムである。
【００６９】
図６に示されるように、本実施態様にかかる硬貨入出金機の制御系は、硬貨入出金機全体の動作を制御するコントロールユニット５０と、制御プログラム、硬貨の金種別の基準径データ、基準表面パターンデータ、基準磁気データ、基準汚損レベルデータなどを記憶するＲＯＭ５１と、ＲＡＭ５２を備えている。
【００７０】
図６に示されるように、本実施態様にかかる硬貨入出金機の検出系は、硬貨の径、表面パターンなどの光学的性質を検出する光学センサおよび硬貨の磁気的性質を検出する磁気センサを含み、コントロールユニット５０に、検出信号を出力するセンサユニット８と、硬貨が、硬貨通路６に設けられた硬貨選別デバイス９に達したことを検出し、コントロールユニット５０の硬貨検出信号を出力する硬貨センサ５３を備えている。
【００７１】
図６に示されるように、本実施態様にかかる硬貨入出金機の駆動系は、シャッタ２と、回転円板３を回転させる回転円板モータ５４と、搬送ベルト７を駆動する搬送ベルトモータ５５と、入出金ベルト２０を駆動する第１のモータ５６と、硬貨リフトベルト２１を駆動する第２のモータ５７と、出金ベルト２５のプーリ２５ａ、２５ａを正逆方向に選択的に回転させる第３のモータ５８と、硬貨リフトベルト２７を駆動する第４のモータ５９と、選別ローラ１０ｂを駆動する選別ローラ駆動ソレノイド６０と、硬貨貯留ボックス４０の下部に設けられた硬貨繰り出し手段４０ａを駆動する第１の繰り出しモータ６１と、硬貨カセット３０の下部に設けられた硬貨繰り出し手段３０ａを駆動する第２の繰り出しモータ６２と、第１のゲート部材１４を駆動する第１のソレノイド６６と、第２のゲート部材１５を駆動する第２のソレノイド６７と、第３のゲート部材４６を駆動する第３のソレノイド６８を備えている。
【００７２】
図６に示されるように、本実施態様にかかる硬貨入出金機の入力系は、入金処理スタートスイッチ７０と、硬貨の入金を指示する入金指示スイッチ７１と、硬貨の入金取り消しを指示する入金取消しスイッチ７２と、硬貨の出金を指示する出金指示スイッチ７３と、硬貨カセット３０に収容されている硬貨の硬貨入出金機内への装填を指示する硬貨装填指示スイッチ７４と、硬貨入出金機内の硬貨の硬貨カセット３０内への回収を指示する硬貨回収指示スイッチ７５と、硬貨入出金機内に収納されている硬貨の金種別枚数を確認する硬貨収納枚数確認処理を指示する硬貨枚数確認スイッチ７６と、出金すべき金額を入力可能なテンキー７７を備えている。
【００７３】
図６に示されるように、本実施態様にかかる硬貨入出金機の表示系は、液晶ディスプレイパネルや有機ＥＬパネルなどによって構成された表示パネル７８を備えている。
【００７４】
以上のように構成された本実施態様にかかる硬貨入出金機は、紙幣入出金機と併設されて、使用され、業務の開始時においては、硬貨カセット３０から、硬貨が、硬貨入出金機内に収納される。
図７は、機体の背部に取付けられた硬貨カセット３０から、硬貨を、硬貨入出金機内に装填する硬貨装填処理のプロセスを示す硬貨入出金機の略縦断面図である。
【００７５】
まず、所定枚数の硬貨が収容された硬貨カセット３０が、硬貨入出金機に取り付けられ、硬貨装填指示スイッチ７４が操作される。
【００７６】
硬貨装填指示スイッチ７４が操作されると、硬貨装填指示信号が、コントロールユニット５０に入力される。
【００７７】
硬貨装填指示信号が入力されると、コントロールユニット５０は、第１のモータ５６、第２のモータ５７、回転円板モータ５４および搬送ベルトモータ５５に駆動信号を出力するとともに、第３のモータ５８に逆回転信号を出力する。
【００７８】
その結果、搬送ベルト７、入出金ベルト２０および硬貨リフトベルト２１が駆動されるとともに、回転円板３が回転され、さらに、出金ベルト２５が巻回されたプーリ２５ａ、２５ａが、反時計まわりに回転される。
【００７９】
次いで、コントロールユニット５０は、第２の繰り出しモータ６２に駆動信号を出力し、硬貨カセット３０の下部に設けられた硬貨繰り出し手段３０ａによって、硬貨カセット３０内に収容されている硬貨を、入出金ベルト２０上に、１枚づつ、繰り出させる。
【００８０】
硬貨カセット３０から、入出金ベルト２０上に繰り出された硬貨は、入出金ベルト２０から、硬貨リフトベルト２１に受け渡され、硬貨リフトベルト２１によって、回転円板３上に送られる。
【００８１】
回転円板３上に送られた硬貨は、回転円板３の回転によって生じる遠心力によって、リング状ガイド４の内面に沿って、移動され、スロット５を介して、１枚づつ、硬貨通路６に送り出される。
【００８２】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【００８３】
コントロールユニット５０は、検出信号を受けると、ＲＯＭ５１に記憶された金種ごとの基準径データ、基準表面パターンデータ、基準磁気データおよび基準汚損レベルデータを読み出して、センサユニット８から入力された検出信号と比較し、硬貨が、現に流通している真正な硬貨で、汚損レベルが基準汚損レベル以下の受け入れ可能な硬貨か否かを判別し、硬貨が受け入れ可能な硬貨であると判別したときは、その硬貨の金種を判別し、その判別結果を、ＲＡＭ５２の判別結果メモリ領域に書き込むとともに、硬貨の金種別の枚数をカウントし、ＲＡＭ５２の硬貨貯留枚数メモリ領域に書き込む。
【００８４】
硬貨が、搬送ベルト７によって、硬貨通路６内を、さらに下流側に向けて、搬送され、硬貨選別デバイス９の近傍の硬貨通路６に設けられた硬貨センサ５３によって、検出されると、硬貨検出信号が、コントロールユニット５０に出力される。
【００８５】
硬貨センサ５３から、硬貨検出信号を受けると、コントロールユニット５０は、ＲＡＭ５２の判別結果メモリ領域に書き込まれたその硬貨の判別結果を読み出し、その硬貨が、偽造硬貨、外国硬貨、汚損レベルが基準汚損レベルを越えた汚損硬貨などの受け入れ不能な硬貨であると判別されているときは、選別ローラ駆動ソレノイド６０に駆動信号を出力し、選別ローラ１０ｂを回動させて、硬貨選別通路１０を開放させるとともに、第１のゲート部材１４を駆動する第１のソレノイド６６に、駆動信号を出力して、第１のゲート部材１４を、硬貨選別通路１０と、第２のシュート１２とが連通する位置に回動させる。
【００８６】
その結果、硬貨は、硬貨選別通路１０内に落下し、硬貨選別通路１０から、第２のシュート１２に導かれ、出金ベルト２５上に送られる。
【００８７】
これに対して、硬貨が、現に流通している真正な硬貨で、汚損レベルが基準汚損レベル以下の受け入れ可能な硬貨であると判別しているときは、コントロールユニット５０は、何の信号も出力しない。
【００８８】
その結果、現に流通している真正な硬貨で、汚損レベルが基準汚損レベル以下の受け入れ可能な硬貨と判別された硬貨は、硬貨選別デバイス９を通過し、硬貨通路６の終端部に接続された第４のシュート３４を介して、硬貨貯留ボックス４０内に送られて、貯留される。
【００８９】
出金ベルト２５上に送られた受け入れ不能な硬貨は、第３のモータ５８に逆回転信号が出力されて、出金ベルト２５が巻回されているプーリ２５ａ、２５ａが、図２において、反時計まわりに回転されているため、硬貨回収ボックス２６に向かって、送られる。
【００９０】
受け入れ不能な硬貨は、出金ベルト２５から、硬貨回収通路４３に送られ、第３のゲート部材４６が、硬貨回収通路４３と受け入れ不能硬貨回収ボックス４１とを連通させる位置に保持されているため、受け入れ不能硬貨回収ボックス４１内に回収される。
【００９１】
こうして、硬貨カセット３０内に収容されたすべての硬貨が、硬貨貯留ボックス４０内あるいは受け入れ不能硬貨回収ボックス４１内に送られて、収容されると、コントロールユニット５０は、第１のモータ５６、第２のモータ５７、第３のモータ５８、回転円板モータ５４、搬送ベルトモータ５５および第２の繰り出しモータ６２に、駆動停止信号を出力して、搬送ベルト７、入出金ベルト２０、出金ベルト２５、硬貨リフトベルト２１および硬貨カセット３０の下部に設けられた硬貨繰り出し手段３０ａの駆動を停止させるとともに、回転円板３の回転を停止させて、硬貨装填処理を終了させる。
【００９２】
その結果、ＲＡＭ５２の硬貨貯留枚数メモリ領域には、硬貨入出金機の硬貨貯留ボックス４０内に貯留されている金種別の硬貨の枚数が記憶される。
【００９３】
本実施態様においては、出金すべき硬貨は、硬貨カセット３０に貯留されるように構成されており、業務の開始にあたって、まず、硬貨カセット３０への硬貨の出金硬貨収納処理が実行され、出金すべき硬貨が、硬貨貯留ボックス４０から、硬貨カセット３０に送られて、収納される。
【００９４】
したがって、硬貨カセット３０に収容されたすべての硬貨が、硬貨貯留ボックス４０内あるいは受け入れ不能硬貨回収ボックス４１内に送られて、収容され、硬貨装填処理が終了すると、コントロールユニット５０は、出金すべき硬貨を、硬貨貯留ボックス４０から、硬貨カセット３０に収納させる。
【００９５】
本実施態様にかかる硬貨入出金機は、紙幣入出金機と併設されるように構成されているから、１回の出金処理で、硬貨入出金機から、出金される硬貨の最大金額は、流通している最小金額の紙幣の額から、最小金額の硬貨の額を差し引いた金額であり、したがって、１回の出金処理によって、出金される最大出金額に等しい金額の硬貨を、一出金単位Ｕとして、一以上の出金単位Ｕの硬貨が、１回の出金硬貨収納処理で、硬貨貯留ボックス４０から、硬貨カセット３０に収納されるように構成されている。
【００９６】
たとえば、日本において流通している最小金額の紙幣は、１０００円札であるので、９９９円が、日本において、本実施態様にかかる硬貨入出金機を使用する場合の一出金単位とされる。
【００９７】
ここに、２種類以上の金種の硬貨が流通しているときは、一出金単位Ｕの硬貨は、異なる金種の硬貨の２以上の組み合わせを含み得るが、本実施態様においては、硬貨の枚数が最小になるように、異なる金種の硬貨の枚数が決定されるように構成されている。
【００９８】
たとえば、日本において流通している硬貨の金種は、１円貨、５円貨、１０円貨、５０円貨、１００円貨、５００円貨であるので、日本において、本実施態様にかかる硬貨入出金機を使用する場合には、１枚の５００円貨、４枚の１００円貨、１枚の５０円貨、４枚の１０円貨、１枚の５円貨および４枚の１円貨によって、一出金単位Ｕの硬貨が構成されている。
【００９９】
業務の開始に先立って、一出金単位Ｕの硬貨を、硬貨貯留ボックス４０から、硬貨カセット３０に収納するだけのときは、硬貨が出金されるたびに、硬貨カセット３０への硬貨の出金硬貨収納処理を実行することが必要不可欠になり、硬貨カセット３０への硬貨の出金硬貨収納処理の実行中は、硬貨の入金処理を実行することが不可能になるから、本実施態様においては、業務の開始に先立って、三出金単位Ｕの硬貨が、硬貨貯留ボックス４０から、硬貨カセット３０に収納されるように構成されている。
図８は、硬貨貯留ボックス４０から、機体の背部に取付けられた硬貨カセット３０に、出金すべき硬貨を収納する出金硬貨収納処理のプロセスを示す硬貨入出金機の略縦断面図である。
【０１００】
硬貨カセット３０に収容されたすべての硬貨が、硬貨貯留ボックス４０内あるいは受け入れ不能硬貨回収ボックス４１内に送られて、収容され、硬貨装填処理が終了すると、コントロールユニット５０は、まず、選別ローラ駆動ソレノイド６０および第２のソレノイド６７に駆動信号を出力して、選別ローラ１０ｂを、図４において、実線で示す位置から破線で示す位置に回動させて、硬貨選別通路１０を開放し、第２のゲート部材１５を駆動して、硬貨選別通路１０を、第３のシュート１３に連通させる。
【０１０１】
次いで、コントロールユニット５０は、第１のモータ５６、第２のモータ５７、回転円板モータ５４および搬送ベルトモータ５５に駆動信号を出力する。
【０１０２】
その結果、搬送ベルト７、入出金ベルト２０および硬貨リフトベルト２１が駆動されるとともに、回転円板３が回転される。
【０１０３】
さらに、コントロールユニット５０は、第１の繰り出しモータ６１に駆動信号を出力し、硬貨貯留ボックス４０の下部に設けられた硬貨繰り出し手段４０ａによって、硬貨貯留ボックス４０内に貯留されている硬貨を、１枚づつ、次々に、入出金ベルト２０上に繰り出させる。
【０１０４】
硬貨貯留ボックス４０から、入出金ベルト２０上に繰り出された硬貨は、入出金ベルト２０から、硬貨リフトベルト２１に受け渡され、硬貨リフトベルト２１によって、回転円板３上に送られる。
【０１０５】
回転円板３上に送られた硬貨は、回転円板３の回転によって生じる遠心力によって、リング状ガイド４の内面に沿って、移動され、スロット５を介して、１枚づつ、次々に、硬貨通路６に送り出される。
【０１０６】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【０１０７】
コントロールユニット５０は、検出信号を受けると、ＲＯＭ５１に記憶された金種ごとの基準径データ、基準表面パターンデータ、基準磁気データおよび基準汚損レベルデータを読み出して、センサユニット８から入力された検出信号と比較し、硬貨が、現に流通している真正な硬貨で、汚損レベルが基準汚損レベル以下の受け入れ可能な硬貨か否かを判別し、硬貨が受け入れ可能な硬貨であると判別したときは、その硬貨の金種を判別して、その判別結果を、ＲＡＭ５２の判別結果メモリ領域に書き込むとともに、硬貨の金種別の枚数をカウントし、ＲＡＭ５２の出金可能硬貨枚数メモリ領域に書き込む。
【０１０８】
硬貨が、搬送ベルト７によって、硬貨通路６内を、さらに下流側に向けて、搬送され、硬貨選別デバイス９の近傍の硬貨通路６に設けられた硬貨センサ５３によって、検出されると、硬貨検出信号が、コントロールユニット５０に出力される。
【０１０９】
コントロールユニット５０は、硬貨センサ５３から、硬貨検出信号が入力されると、ＲＡＭ５２の判別結果メモリ領域に書き込まれた硬貨の判別結果を読み出し、硬貨が、偽造硬貨、外国硬貨、汚損レベルが基準汚損レベルを越えた汚損硬貨などの受け入れ不能な硬貨であると判別されているときは、選別ローラ駆動ソレノイド６０に駆動停止信号を出力して、選別ローラ１０ｂを、図４において、実線で示す位置に復帰させて、硬貨選別通路１０を閉鎖させる。
【０１１０】
その結果、受け入れ不能な硬貨と判別された硬貨は、さらに、搬送ベルト７によって、硬貨通路６内を搬送され、第４のシュート３４を介して、硬貨貯留ボックス４０内に収容される。
【０１１１】
ここに、受け入れ不能な硬貨と判別された硬貨を、受け入れ不能硬貨回収ボックス４１ではなく、硬貨貯留ボックス４０内に収容しているのは、硬貨貯留ボックス４０に貯留されている硬貨は、すでに、現に流通している真正な硬貨で、汚損レベルが基準汚損レベル以下の受け入れ可能な硬貨と判別されたものであり、硬貨カセット３０への硬貨の収納処理に際して、誤って、受け入れ不能な硬貨と判別されたおそれがあるからである。
【０１１２】
これに対して、硬貨が、現に流通している真正な硬貨で、汚損レベルが基準汚損レベル以下の受け入れ可能な硬貨であると判別したときは、コントロールユニット５０は何の信号も出力しない。
【０１１３】
その結果、現に流通している真正な硬貨で、汚損レベルが基準汚損レベル以下の受け入れ可能な硬貨と判別された硬貨は、硬貨選別通路１０内に落下し、第３のシュート１３を通って、硬貨カセット３０内に収容される。
【０１１４】
コントロールユニット５０は、センサユニット８から、検出信号が入力されるたびに、硬貨が受け入れ可能か否かおよび硬貨の金種を判別し、判別結果を、ＲＡＭ５２の判別結果メモリ領域に書き込むとともに、ＲＡＭ５２の出金可能硬貨枚数メモリ領域に書き込まれている判別した金種の硬貨の枚数を更新する。
【０１１５】
その結果、ＲＡＭ５２の出金可能硬貨枚数メモリ領域に書き込まれたある金種の硬貨の枚数が、三出金単位Ｕに含まれるべきその金種の硬貨の枚数に等しくなった後に、センサユニット８から入力された検出信号に基づいて、その金種の硬貨が検出されたときは、コントロールユニット５０は、その金種の硬貨の計数を実行せず、その金種の硬貨を、硬貨センサ５３が検出し、硬貨センサ５３から、硬貨検出信号が入力されたときは、コントロールユニット５０は、選別ローラ駆動ソレノイド６０に駆動停止信号を出力して、選別ローラ１０ｂを、図４において、実線で示す位置に復帰させて、硬貨選別通路１０を閉鎖させ、その硬貨を、第４のシュート３４を介して、硬貨貯留ボックス４０内に回収させる。
【０１１６】
こうして、ＲＡＭ５２の出金可能硬貨枚数メモリ領域に書き込まれた各金種の硬貨の枚数が、三出金単位Ｕに含まれるべき各金種の硬貨の枚数に等しくなると、コントロールユニット５０は、第１の繰り出しモータ６１に駆動停止信号を出力し、硬貨貯留ボックス４０の下部に設けられた硬貨繰り出し手段４０ａの駆動を停止させる。
【０１１７】
次いで、三出金単位Ｕに含まれるべき各金種の硬貨が、硬貨カセット３０内に収納され、硬貨繰り出し手段４０ａの駆動が停止された時点で、硬貨貯留ボックス４０から、すでに、入出金ベルト２０上に繰り出されていた硬貨カセット３０に収納されるべき硬貨に後続するすべての硬貨が、硬貨貯留ボックス４０内に、回収されると、コントロールユニット５０は、第１のモータ５６、第２のモータ５７、回転円板モータ５４、搬送ベルトモータ５５、第２のソレノイド６７および第１の繰り出しモータ６１に駆動停止信号を出力して、搬送ベルト７、入出金ベルト２０、硬貨リフトベルト２１および硬貨繰り出し手段４０ａの駆動を停止させ、回転円板３の回転を停止させるとともに、選別ローラ駆動ソレノイド６０に駆動停止信号を出力して、選別ローラ１０ｂを、図４において、実線で示す位置に復帰させて、硬貨選別通路１０を閉鎖させ、硬貨カセット３０への硬貨の出金硬貨収納処理を終了させる。
【０１１８】
硬貨カセット３０への硬貨の収納処理が終了すると、ＲＡＭ５２の出金可能硬貨枚数メモリ領域に、硬貨カセット３０に貯留されている金種別の硬貨の枚数が記憶され、硬貨入出金機は、硬貨の入金および出金が可能になる。
【０１１９】
図９は、硬貨入出金口１から、投入された硬貨を、硬貨貯留ボックス４０内に受け入れる硬貨受け入れ処理のプロセスを示す硬貨入出金機の略縦断面図である。
【０１２０】
硬貨の受け入れにあたっては、まず、オペレータによって、硬貨が、硬貨入出金口１内に投入され、入金処理スタートスイッチ７０が操作される。
【０１２１】
入金処理スタートスイッチ７０が操作されると、入金処理スタート信号が、コントロールユニット５０に入力される。
【０１２２】
入金処理スタート信号を受けると、コントロールユニット５０は、まず、選別ローラ駆動ソレノイド６０に駆動信号を出力して、選別ローラ１０ｂを、図４において、実線で示す位置から破線で示す位置に、回動させて、硬貨選別通路１０を開放させる。
【０１２３】
次いで、コントロールユニット５０は、回転円板モータ５４、搬送ベルトモータ５５および第４のモータ５９に駆動信号を出力するとともに、第３のモータ５８に正回転信号を出力し、さらに、シャッタ２に開放信号を出力する。
【０１２４】
その結果、回転円板３が回転され、搬送ベルト７および硬貨リフトベルト２７が駆動されるとともに、出金ベルト２５が巻回されているプーリ２５ａ、２５ａが、図２において、時計まわりに回転され、硬貨入出金口１のシャッタ２が開放されて、硬貨入出金口１に投入された硬貨が、回転されている回転円板３上に落下する。
【０１２５】
次いで、コントロールユニット５０は、シャッタ２に閉鎖信号を出力して、硬貨入出金口１のシャッタ２を閉鎖させる。
【０１２６】
硬貨入出金口１から、回転円板３上に落下した硬貨は、回転円板３の回転によって生じる遠心力によって、リング状ガイド４の内面に沿って、移動され、スロット５を介して、１枚づつ、硬貨通路６に送り出される。
【０１２７】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【０１２８】
コントロールユニット５０は、検出信号を受けると、ＲＯＭ５１に記憶された金種ごとの基準径データ、基準表面パターンデータ、基準磁気データおよび基準汚損レベルデータを読み出して、センサユニット８から入力された検出信号と比較し、硬貨が、現に流通している真正な硬貨で、汚損レベルが基準汚損レベル以下の受け入れ可能な硬貨か否かを判別し、硬貨が受け入れ可能な硬貨と判別したときは、その硬貨の金種を判別して、その判別結果を、ＲＡＭ５２の判別結果メモリ領域に書き込むとともに、硬貨の金種別の枚数をカウントし、ＲＡＭ５２の入金硬貨枚数メモリ領域に書き込む。
【０１２９】
硬貨が、搬送ベルト７によって、硬貨通路６内を、さらに下流側に向けて、搬送され、硬貨選別デバイス９の近傍の硬貨通路６に設けられた硬貨センサ５３によって、検出されると、硬貨検出信号が、コントロールユニット５０に出力される。
【０１３０】
コントロールユニット５０は、硬貨センサ５３から、硬貨検出信号が入力されると、ＲＡＭ５２の判別結果メモリ領域に書き込まれた硬貨の判別結果を読み出し、硬貨が、偽造硬貨、外国硬貨、汚損レベルが基準汚損レベルを越えた汚損硬貨などの受け入れ不能な硬貨であると判別されているときは、第１のゲート部材１４を駆動する第１のソレノイド６６に駆動信号を出力して、第１のゲート部材１４を、硬貨選別通路１０と第２のシュート１２を連通させる位置に移動させる。
【０１３１】
その結果、受け入れ不能な硬貨と判別された硬貨は、硬貨選別通路１０内に落下し、第２のシュート１２を通って、出金ベルト２５上に送られる。
【０１３２】
これに対して、硬貨が、現に流通している真正な硬貨で、汚損レベルが基準汚損レベル以下の受け入れ可能な硬貨であると判別しているときは、コントロールユニット５０は何の信号も出力しない。
【０１３３】
その結果、現に流通している真正な硬貨で、汚損レベルが基準汚損レベル以下の受け入れ可能な硬貨と判別された硬貨は、硬貨選別通路１０内に落下し、第１のシュート１１を通って、入出金ベルト２０上に送られる。
【０１３４】
入出金ベルト２０上に送られた硬貨は、入出金ベルト２０上で、一時的に、保持される。
【０１３５】
一方、受け入れ不能と判別され、出金ベルト２５上に送られた硬貨は、出金ベルト２５が巻回されているプーリ２５ａ、２５ａが、図２において、時計まわりに回転されているため、出金ベルト２５によって、硬貨入出金口１に向かって、搬送され、硬貨リフトベルト２７に受け渡される。
【０１３６】
硬貨リフトベルト２７に受け渡された硬貨は、硬貨入出金口１のシャッタ２上に送り返される。
【０１３７】
こうして、硬貨入出金口１に投入されたすべての硬貨が、回転円板３から送り出され、現に流通している真正な硬貨で、汚損レベルが基準汚損レベル以下の受け入れ可能な硬貨と判別された硬貨が、入出金ベルト２０上に、一時的に、保持され、一方、受け入れ不能と判別された硬貨が、硬貨入出金口１のシャッタ２上に送り返されると、コントロールユニット５０は、回転円板モータ５４、搬送ベルトモータ５５、第３のモータ５８および選別ローラ駆動ソレノイド６０に駆動停止信号を出力して、回転円板３の回転を停止させ、搬送ベルト７および出金ベルト２５の駆動を停止させるとともに、選別ローラ１０ｂを、図４において、実線で示す位置に復帰させて、硬貨選別通路１０を閉鎖させる。
【０１３８】
次いで、コントロールユニット５０は、ＲＡＭ５２の入金硬貨枚数メモリ領域に書き込まれている金種別の硬貨の枚数にしたがって、硬貨入出金口１に投入された硬貨の合計金額を算出し、表示パネル７８に表示させるとともに、硬貨を、確定的に入金するときは、入金指示スイッチ７１を操作し、硬貨の入金を取り消すときは、入金取消しスイッチ７２を操作すべき旨のメッセージを表示させる。
【０１３９】
その後、オペレータが、入金指示スイッチ７１を操作すると、入金指示信号がコントロールユニット５０に入力される。
【０１４０】
図１０は、硬貨入出金口１から、投入され、入出金ベルト２０上に、一時的に保持されていた硬貨を、確定的に、入金する入金処理のプロセスを示す硬貨入出金機の略縦断面図である。
【０１４１】
入金指示信号を受けると、コントロールユニット５０は、第１のモータ５６、第２のモータ５７、回転円板モータ５４および搬送ベルトモータ５５に駆動信号を出力して、搬送ベルト７、入出金ベルト２０および硬貨リフトベルト２１を駆動させるとともに、回転円板３を回転させる。
【０１４２】
その結果、入出金ベルト２０上に、一時的に保持されていた硬貨は、硬貨リフトベルト２１によって、回転円板３上に送られる。
【０１４３】
回転円板３上に送られた硬貨は、回転円板３の回転によって生じる遠心力によって、リング状ガイド４の内面に沿って、移動され、スロット５を介して、１枚づつ、硬貨通路６に送り出される。
【０１４４】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【０１４５】
コントロールユニット５０は、検出信号を受けると、ＲＯＭ５１に記憶された金種ごとの基準径データ、基準表面パターンデータ、基準磁気データおよび基準汚損レベルデータを読み出して、センサユニット８から入力された検出信号と比較し、硬貨の金種を判別して、硬貨の金種別の枚数をカウントし、ＲＡＭ５２の硬貨貯留枚数メモリ領域に記憶された硬貨入出金機に収納されている硬貨の金種別の枚数を書き換える。
【０１４６】
硬貨は、搬送ベルト７によって、さらに、硬貨通路６内を送られ、第４のシュート３４を介して、硬貨貯留ボックス４０内に収容される。
【０１４７】
こうして、入出金ベルト２０上に、一時的に保持されていた硬貨がすべて、硬貨貯留ボックス４０内に収容されると、コントロールユニット５０は、回転円板モータ５４、搬送ベルトモータ５５、第１のモータ５６および第２のモータ５７に駆動停止信号を出力して、回転円板３の回転を停止させるとともに、搬送ベルト７、入出金ベルト２０および硬貨リフトベルト２１の駆動を停止させて、入金処理を終了させる。
【０１４８】
一方、受け入れ不能と判別され、硬貨入出金口１のシャッタ２上に、返却された硬貨は、オペレータによって回収される。
【０１４９】
これに対して、入金取消しスイッチ７２が操作されたときは、入金取消信号がコントロールユニット５０に入力される。
【０１５０】
図１１は、硬貨入出金口１から、投入され、入出金ベルト２０上に、一時的に保持されていた硬貨を、硬貨入出金口１に返却する入金取消処理のプロセスを示す硬貨入出金機の略縦断面図である。
【０１５１】
入金取消信号を受けると、コントロールユニット５０は、まず、選別ローラ駆動ソレノイド６０に駆動信号を出力して、選別ローラ１０ｂを、図４において、実線で示す位置から破線で示す位置に、回動させて、硬貨選別通路１０を開放させるとともに、第１のゲート部材１４を駆動する第１のソレノイド６６に駆動信号を出力して、第１のゲート部材１４を、硬貨選別通路１０と、第２のシュート１２が連通する位置に位置させる。
【０１５２】
次いで、コントロールユニット５０は、第１のモータ５６、第２のモータ５７、第４のモータ５９、回転円板モータ５４および搬送ベルトモータ５５に、それぞれ、駆動信号を出力して、回転円板３を回転させ、搬送ベルト７、入出金ベルト２０、硬貨リフトベルト２１および硬貨リフトベルト２７を駆動させるとともに、第３のモータ５８に正回転信号を出力して、出金ベルト２５が巻回されているプーリ２５ａ、２５ａを、図２において、時計まわりに回転させる。
【０１５３】
その結果、入出金ベルト２０上に、一時的に保持されていた硬貨は、硬貨リフトベルト２１によって、回転円板３上に送られる。
【０１５４】
回転円板３上に送られた硬貨は、回転円板３の回転によって生じる遠心力によって、リング状ガイド４の内面に沿って、移動され、スロット５を介して、１枚づつ、硬貨通路６に送り出される。
【０１５５】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【０１５６】
コントロールユニット５０は、検出信号を受けると、ＲＯＭ５１に記憶された金種ごとの基準径データ、基準表面パターンデータ、基準磁気データおよび基準汚損レベルデータを読み出して、センサユニット８から入力された検出信号と比較し、硬貨の金種を判別して、ＲＡＭ５２の入金硬貨枚数メモリ領域に書き込まれている入金硬貨の金種別の枚数から、減算し、ＲＡＭ５２の入金硬貨枚数メモリ領域に書き込まれた入金硬貨枚数データを書き換える。
【０１５７】
硬貨は、搬送ベルト７によって、さらに、硬貨通路６内を送られ、硬貨選別通路１０が開放状態に保持されているため、硬貨選別通路１０内に落下する
ここに、入金取消処理においては、硬貨選別通路１０が、第２のシュート１２に連通するように、第１のゲート部材１４が位置させられているから、硬貨選別通路１０内に落下した硬貨は、第２のシュート１２を通って、出金ベルト２５上に送られる。
【０１５８】
出金ベルト２５上に送られた硬貨は、出金ベルト２５が巻回されているプーリ２５ａ、２５ａが、図２において、時計まわりに回転されているため、出金ベルト２５によって、硬貨入出金口１に向かって、搬送され、硬貨リフトベルト２７に受け渡される。
【０１５９】
硬貨リフトベルト２７に受け渡された硬貨は、硬貨入出金口１のシャッタ２上に返却される。
【０１６０】
こうして、入出金ベルト２０上に、一時的に保持されていた硬貨がすべて、硬貨入出金口１のシャッタ２上に返却されると、コントロールユニット５０は、第１のモータ５６、第２のモータ５７、第３のモータ５８、第４のモータ５９、回転円板モータ５４および搬送ベルトモータ５５に、それぞれ、駆動停止信号を出力して、回転円板３の回転を停止させるとともに、搬送ベルト７、入出金ベルト２０、硬貨リフトベルト２１、出金ベルト２５および硬貨リフトベルト２７の駆動を停止させる。
【０１６１】
次いで、コントロールユニット５０は、選別ローラ駆動ソレノイド６０に駆動停止信号を出力して、選別ローラ１０ｂを、図４において、実線で示す位置に復帰させて、硬貨選別通路１０を閉鎖させるとともに、第１のゲート部材１４を駆動する第１のソレノイド６６に駆動停止信号を出力して、第１のゲート部材１４を、硬貨選別通路１０と、第１のシュート１１が連通する位置に位置させ、入金取消処理を終了させる。
【０１６２】
図１２は、硬貨入出金機から、硬貨を出金する出金処理のプロセスを示す硬貨入出金機の略縦断面図である。
【０１６３】
硬貨入出金機から、硬貨を出金するにあたっては、まず、テンキー７７に、出金すべき金額が入力される。
【０１６４】
出金すべき金額が、テンキー７７に入力されると、テンキー７７から、出金金額指定信号が、コントロールユニット５０に出力され、出金金額指定信号が入力されると、コントロールユニット５０は、出金金額指定信号に基づき、出金すべき各金種の硬貨の枚数を算出して、金種別の出金枚数データを生成し、ＲＡＭ５２の出金硬貨枚数メモリ領域に書き込むとともに、ＲＡＭ５２の補充硬貨枚数メモリ領域に、金種別の出金枚数データを保存する。
【０１６５】
次いで、出金指示スイッチ７３が操作される。
【０１６６】
出金指示スイッチ７３が操作されると、出金指示信号が、コントロールユニット５０に入力される。
【０１６７】
出金指示信号を受けると、コントロールユニット５０は、まず、選別ローラ駆動ソレノイド６０に駆動信号を出力して、選別ローラ１０ｂを、図４において、実線で示す位置から破線で示す位置に回動させて、硬貨選別通路１０を開放させる。
【０１６８】
次いで、コントロールユニット５０は、第１のモータ５６、第２のモータ５７、第４のモータ５９、回転円板モータ５４および搬送ベルトモータ５５に駆動信号を出力して、回転円板３を回転させ、搬送ベルト７、入出金ベルト２０、硬貨リフトベルト２１および硬貨リフトベルト２７を駆動させるとともに、第３のモータ５８に正回転信号を出力して、出金ベルト２５が巻回されているプーリ２５ａ、２５ａを、図２において、時計まわりに回転させる。
【０１６９】
さらに、コントロールユニット５０は、第２の繰り出しモータ６２に駆動信号を出力し、硬貨カセット３０の下部に設けられた硬貨繰り出し手段３０ａによって、硬貨カセット３０内に収容されている硬貨を、入出金ベルト２０上に、１枚づつ、次々に、繰り出させる。
【０１７０】
硬貨カセット３０から、入出金ベルト２０上に繰り出された硬貨は、入出金ベルト２０から、硬貨リフトベルト２１に受け渡され、硬貨リフトベルト２１によって、回転円板３上に送られる。
【０１７１】
回転円板３上に送られた硬貨は、回転円板３の回転によって生じる遠心力によって、リング状ガイド４の内面に沿って、移動され、スロット５を介して、１枚づつ、硬貨通路６に送り出される。
【０１７２】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【０１７３】
コントロールユニット５０は、検出信号を受けると、ＲＯＭ５１に記憶された金種ごとの基準径データ、基準表面パターンデータ、基準磁気データおよび基準汚損レベルデータを読み出して、センサユニット８から入力された検出信号と比較し、硬貨が、現に流通している真正な硬貨で、汚損レベルが基準汚損レベル以下の受け入れ可能な硬貨か否かを判別し、硬貨が受け入れ可能な硬貨であると判別したときは、その硬貨の金種を判別して、その判別結果を、ＲＡＭ５２の判別結果メモリ領域に書き込むとともに、ＲＡＭ５２の出金硬貨枚数メモリ領域に書き込まれている金種別の出金枚数データ中のその金種の硬貨の出金すべき枚数を、１枚だけ、減じて、金種別の出金枚数データを書き換える。
【０１７４】
硬貨が、搬送ベルト７によって、硬貨通路６内を、さらに下流側に向けて、搬送され、硬貨選別デバイス９の近傍の硬貨通路６に設けられた硬貨センサ５３によって、検出されると、硬貨検出信号が、コントロールユニット５０に出力される。
【０１７５】
硬貨センサ５３から、硬貨検出信号を受けると、コントロールユニット５０は、ＲＡＭ５２の判別結果メモリ領域に書き込まれたその硬貨の判別結果を読み出し、その硬貨が、偽造硬貨、外国硬貨、汚損レベルが基準汚損レベルを越えた汚損硬貨などの受け入れ不能な硬貨であると判別されているときは、第２のゲート部材１５を駆動する第２のソレノイド６７に駆動信号を出力して、第２のゲート部材１５を、硬貨選別通路１０と、第３のシュート１３とを連通させる位置に位置させる。
【０１７６】
その結果、硬貨選別通路１０が開放されているため、受け入れ不能と判別された硬貨は、硬貨選別通路１０内に落下し、第３のシュート１３を介して、硬貨カセット３０に返却される。
【０１７７】
ここに、受け入れ不能な硬貨と判別された硬貨を、受け入れ不能硬貨回収ボックス４１ではなく、硬貨カセット３０に返却しているのは、硬貨カセット３０に貯留されている硬貨は、すでに、現に流通している真正な硬貨で、汚損レベルが基準汚損レベル以下の受け入れ可能な硬貨と判別されたものであり、出金処理に際して、誤って、受け入れ不能な硬貨と判別されたおそれがあり、その一方で、受け入れ不能と判別された硬貨を、受け入れ不能硬貨回収ボックス４１に回収する場合には、出金ベルト２５上に送って、出金ベルト２５が巻回されているプーリ２５ａ、２５ａを、図２において、反時計まわりに回転させる必要があり、硬貨の出金処理を妨げることになるからである。
【０１７８】
これに対して、その硬貨が、現に流通している真正な硬貨で、汚損レベルが基準汚損レベル以下の受け入れ可能な硬貨であると判別されているときは、コントロールユニット５０は、第１のゲート部材１４を駆動する第１のソレノイド６６に駆動信号を出力して、第１のゲート部材１４を、硬貨選別通路１０と、第２のシュート１２とを連通させる位置に位置させる。
【０１７９】
その結果、現に流通している真正な硬貨で、汚損レベルが基準汚損レベル以下の受け入れ可能と判別されている硬貨は、硬貨選別通路１０内に落下し、第２のシュート１２を介して、出金ベルト２５上に送られる。
【０１８０】
現に流通している真正な硬貨で、汚損レベルが基準汚損レベル以下の受け入れ可能な硬貨と判別されて、出金ベルト２５上に送られた硬貨は、出金ベルト２５が巻回されているプーリ２５ａ、２５ａが、図２において、時計まわりに回転されているため、出金ベルト２５によって、硬貨入出金口１に向かって、搬送され、硬貨リフトベルト２７に受け渡される。
【０１８１】
硬貨リフトベルト２７に受け渡された硬貨は、硬貨入出金口１のシャッタ２上に出金される。
【０１８２】
コントロールユニット５０は、センサユニット８から、検出信号が入力されるたびに、硬貨が、現に流通している真正な硬貨で、汚損レベルが基準汚損レベル以下の受け入れ可能な硬貨か否かを判別し、受け入れ可能な硬貨と判別したときは、その硬貨の金種を判別して、判別結果を、ＲＡＭ５２の判別結果メモリ領域に書き込むとともに、ＲＡＭ５２の出金硬貨枚数メモリ領域に書き込まれた金種別の出金枚数データ中のその金種の硬貨の出金すべき枚数を、１枚づつ、減じて、金種別の出金枚数データを書き換える。
【０１８３】
こうして、次々に、ＲＡＭ５２に書き込まれた金種別の出金枚数データを書き換えた結果、ＲＡＭ５２の出金硬貨枚数メモリ領域に書き込まれているある金種の出金すべき硬貨の枚数データがゼロになった後は、センサユニット８から入力された検出信号に基づいて、その金種の硬貨が検出されても、コントロールユニット５０は、その金種の硬貨の計数を実行せず、その金種の硬貨を、硬貨センサ５３が検出し、硬貨センサ５３から、硬貨検出信号が入力されたときに、コントロールユニット５０は、第２のゲート部材１５を駆動する第２のソレノイド６７に駆動信号を出力して、第２のゲート部材１５を、硬貨選別通路１０と、第３のシュート１３とを連通させる位置に位置させる。
【０１８４】
その結果、ＲＡＭ５２の出金硬貨枚数メモリ領域に書き込まれた出金すべき硬貨の枚数データがゼロになっている金種の硬貨は、硬貨選別通路１０内に落下して、第３のシュート１３を介して、硬貨カセット３０に返却される。
【０１８５】
こうして、ＲＡＭ５２の出金硬貨枚数メモリ領域に書き込まれたすべての金種の出金すべき硬貨の枚数データがゼロになると、コントロールユニット５０は、第２の繰り出しモータ６２に駆動停止信号を出力して、硬貨カセット３０の下部に設けられた硬貨繰り出し手段３０ａの駆動を停止させる。
【０１８６】
次いで、出金すべき硬貨が、硬貨入出金口１のシャッタ２上に出金され、硬貨繰り出し手段３０ａの駆動を停止された時点で、硬貨カセット３０から、すでに入出金ベルト２０上に繰り出されていた出金すべき硬貨に後続するすべての硬貨が、硬貨カセット３０内に回収されると、コントロールユニット５０は、第１のモータ５６、第２のモータ５７、第３のモータ５８、第４のモータ５９、回転円板モータ５４および搬送ベルトモータ５５に駆動停止信号を出力して、回転円板３の回転を停止させるとともに、搬送ベルト７、入出金ベルト２０、硬貨リフトベルト２１、出金ベルト２５および硬貨リフトベルト２７の駆動を停止させる。
【０１８７】
次いで、コントロールユニット５０は、選別ローラ駆動ソレノイド６０に駆動停止信号を出力して、選別ローラ１０ｂを、図４において、実線で示す位置に復帰させて、硬貨選別通路１０を閉鎖させる。
【０１８８】
さらに、コントロールユニット５０は、ＲＡＭ５２の補充硬貨枚数メモリ領域に保存されている出金硬貨枚数データに基づいて、ＲＡＭ５２の貯留硬貨枚数メモリ領域に記憶されている硬貨入出金機に収納されている金種別の硬貨の枚数を書き換え、出金処理を終了させる。
【０１８９】
出金処理を終了させると、コントロールユニット５０は、硬貨カセット３０への硬貨の収納処理を実行して、出金された金種の硬貨を補充する。
【０１９０】
すなわち、出金処理が終了すると、コントロールユニット５０は、まず、選別ローラ駆動ソレノイド６０および第２のソレノイド６７に駆動信号を出力して、選別ローラ１０ｂを、図４において、実線で示す位置から破線で示す位置に回動させて、硬貨選別通路１０を開放し、第２のゲート部材１５を駆動して、硬貨選別通路１０を、第３のシュート１３に連通させる。
【０１９１】
次いで、コントロールユニット５０は、第１のモータ５６、第２のモータ５７、回転円板モータ５４および搬送ベルトモータ５５に駆動信号を出力する。
【０１９２】
その結果、搬送ベルト７、入出金ベルト２０および硬貨リフトベルト２１が駆動されるとともに、回転円板３が回転される。
【０１９３】
さらに、コントロールユニット５０は、第１の繰り出しモータ６１に駆動信号を出力し、硬貨貯留ボックス４０の下部に設けられた硬貨繰り出し手段４０ａによって、硬貨貯留ボックス４０内に貯留されている硬貨を、１枚づつ、入出金ベルト２０上に繰り出させる。
【０１９４】
硬貨貯留ボックス４０から、入出金ベルト２０上に繰り出された硬貨は、入出金ベルト２０から、硬貨リフトベルト２１に受け渡され、硬貨リフトベルト２１によって、回転円板３上に送られる。
【０１９５】
回転円板３上に送られた硬貨は、回転円板３の回転によって生じる遠心力によって、リング状ガイド４の内面に沿って、移動され、スロット５を介して、１枚づつ、硬貨通路６に送り出される。
【０１９６】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【０１９７】
コントロールユニット５０は、検出信号を受けると、ＲＯＭ５１に記憶された金種ごとの基準径データ、基準表面パターンデータ、基準磁気データおよび基準汚損レベルデータを読み出して、センサユニット８から入力された検出信号と比較し、硬貨が、現に流通している真正な硬貨で、汚損レベルが基準汚損レベル以下の受け入れ可能な硬貨か否かを判別し、硬貨が受け入れ可能な硬貨であると判別したときは、その硬貨の金種を判別して、その判別結果を、ＲＡＭ５２の判別結果メモリ領域に書き込むとともに、ＲＡＭ５２の補充硬貨枚数メモリ領域に保存されている金種別の出金枚数データ中のその金種の硬貨の出金すべき枚数を、１枚だけ、減じて、金種別の出金枚数データを書き換える。
【０１９８】
硬貨が、搬送ベルト７によって、硬貨通路６内を、さらに下流側に向けて、搬送され、硬貨選別デバイス９の近傍の硬貨通路６に設けられた硬貨センサ５３によって、検出されると、硬貨検出信号が、コントロールユニット５０に出力される。
【０１９９】
コントロールユニット５０は、硬貨センサ５３から、硬貨検出信号が入力されると、ＲＡＭ５２の判別結果メモリ領域に書き込まれたその硬貨の判別結果を読み出し、その硬貨が、偽造硬貨、外国硬貨、汚損レベルが基準汚損レベルを越えた汚損硬貨などの受け入れ不能な硬貨であると判別されているときは、選別ローラ駆動ソレノイド６０に駆動停止信号を出力して、選別ローラ１０ｂを、図４において、実線で示す位置に復帰させて、硬貨選別通路１０を閉鎖させる。
【０２００】
その結果、受け入れ不能な硬貨と判別された硬貨は、さらに、搬送ベルト７によって、硬貨通路６内を搬送され、第４のシュート３４を介して、硬貨貯留ボックス４０内に収容される。
【０２０１】
ここに、受け入れ不能な硬貨と判別された硬貨を、受け入れ不能硬貨回収ボックス４１ではなく、硬貨貯留ボックス４０内に収容しているのは、硬貨貯留ボックス４０に貯留されている硬貨は、すでに、現に流通している真正な硬貨で、汚損レベルが基準汚損レベル以下の受け入れ可能な硬貨と判別されたものであり、硬貨カセット３０への硬貨の収納処理に際して、誤って、受け入れ不能な硬貨と判別されたおそれがあるからである。
【０２０２】
これに対して、その硬貨が、現に流通している真正な硬貨で、汚損レベルが基準汚損レベル以下の受け入れ可能な硬貨であると判別したときは、コントロールユニット５０は何の信号も出力しない。
【０２０３】
その結果、現に流通している真正な硬貨で、汚損レベルが基準汚損レベル以下の受け入れ可能な硬貨と判別された硬貨は、硬貨選別通路１０内に落下し、第３のシュート１３を通って、硬貨カセット３０内に収容される。
【０２０４】
コントロールユニット５０は、センサユニット８から、検出信号が入力されるたびに、硬貨が、現に流通している真正な硬貨で、汚損レベルが基準汚損レベル以下の受け入れ可能な硬貨か否かを判別し、硬貨が受け入れ可能な硬貨であると判別したときは、その硬貨の金種を判別し、判別結果を、ＲＡＭ５２の判別結果メモリ領域に書き込むとともに、ＲＡＭ５２の補充硬貨枚数メモリ領域に保存されている金種別の出金枚数データ中の判別した金種の硬貨の出金すべき枚数を、１枚だけ、減じて、金種別の出金枚数データを書き換える。
【０２０５】
こうして、ＲＡＭ５２の補充硬貨枚数メモリ領域に書き込まれているある金種の出金すべき硬貨の枚数がゼロになった後は、センサユニット８から入力された検出信号に基づき、その金種の硬貨が検出されても、コントロールユニット５０は、その金種の硬貨の硬貨の計数を実行せず、その金種の硬貨を、硬貨センサ５３が検出して、硬貨センサ５３から、硬貨検出信号が入力されたときに、コントロールユニット５０は、選別ローラ駆動ソレノイド６０に駆動停止信号を出力して、選別ローラ１０ｂを、図４において、実線で示す位置に復帰させて、硬貨選別通路１０を閉鎖させる。
【０２０６】
その結果、ＲＡＭ５２の補充硬貨枚数メモリ領域に書き込まれた出金すべき硬貨の枚数がゼロになっている金種の硬貨は、さらに、搬送ベルト７によって、硬貨通路６内を搬送され、第４のシュート３４を介して、硬貨貯留ボックス４０内に回収される。
【０２０７】
こうして、ＲＡＭ５２の補充硬貨枚数メモリ領域に書き込まれたすべての金種の出金すべき硬貨の枚数がゼロになると、コントロールユニット５０は、第１の繰り出しモータ６１に駆動停止信号を出力し、硬貨貯留ボックス４０の下部に設けられた硬貨繰り出し手段４０ａの駆動を停止させる。
【０２０８】
次いで、硬貨カセット３０内に補充されるべき硬貨が、硬貨カセット３０内に収納され、硬貨繰り出し手段４０ａの駆動が停止された時点で、すでに、硬貨貯留ボックス４０から、入出金ベルト２０上に繰り出されていた硬貨カセット３０内に補充されるべき硬貨に後続する硬貨がすべて、硬貨貯留ボックス４０内に、回収されると、コントロールユニット５０は、第１のモータ５６、第２のモータ５７、第３のモータ５８、第４のモータ５９、回転円板モータ５４および搬送ベルトモータ５５に駆動停止信号を出力して、回転円板３の回転を停止させるとともに、搬送ベルト７、入出金ベルト２０、硬貨リフトベルト２１、出金ベルト２５および硬貨リフトベルト２７の駆動を停止させる。
【０２０９】
次いで、コントロールユニット５０は、選別ローラ駆動ソレノイド６０に駆動停止信号を出力して、選別ローラ１０ｂを、図４において、実線で示す位置に復帰させて、硬貨選別通路１０を閉鎖させ、硬貨カセット３０への硬貨の補充処理を終了させる。
【０２１０】
通常は、業務の終了時に、硬貨が、現に流通している真正な硬貨で、汚損レベルが基準汚損レベル以下の受け入れ可能な硬貨か否かを判別し、硬貨が受け入れ可能な硬貨であると判別したときは、その硬貨の金種を判別して、硬貨の金種ごとの枚数を計数し、偽造硬貨、外国硬貨、汚損レベルが基準汚損レベルを越えた汚損硬貨などの受け入れ不能な硬貨を受け入れ不能硬貨回収ボックス４１に回収しつつ、硬貨入出金機内に収容されている硬貨がすべて、硬貨カセット３０内に回収され、硬貨カセット３０が、硬貨入出金機から取り外されて、硬貨入出金機内に収容されている硬貨が回収され、一方、業務の開始時には、硬貨カセット３０が、硬貨入出金機に取り付けられ、硬貨が、現に流通している真正な硬貨で、汚損レベルが基準汚損レベル以下の受け入れ可能な硬貨か否かを判別し、硬貨が受け入れ可能な硬貨であると判別したときは、その硬貨の金種を判別して、硬貨の金種ごとの枚数を計数し、偽造硬貨、外国硬貨、汚損レベルが基準汚損レベルを越えた汚損硬貨などの受け入れ不能な硬貨を受け入れ不能硬貨回収ボックス４１に回収しつつ、硬貨カセット３０内に収容されている硬貨が、硬貨入出金機内に装填されるため、業務の終了時には、硬貨入出金機内に収容されていた硬貨の金種別の枚数を、正確に把握することができ、業務の開始時には、硬貨入出金機内に収容されている硬貨の金種別の枚数を、正確に把握することができる。
【０２１１】
しかしながら、業務の終了時に、硬貨が、現に流通している真正な硬貨で、汚損レベルが基準汚損レベル以下の受け入れ可能な硬貨か否かを判別し、硬貨が受け入れ可能な硬貨であると判別したときは、その硬貨の金種を判別して、硬貨の金種ごとの枚数を計数し、偽造硬貨、外国硬貨、汚損レベルが基準汚損レベルを越えた汚損硬貨などの受け入れ不能な硬貨を受け入れ不能硬貨回収ボックス４１に回収しつつ、硬貨入出金機内に収容されている硬貨をすべて、硬貨カセット３０内に回収し、硬貨カセット３０を、硬貨入出金機から取り外して、硬貨を硬貨入出金機から回収し、業務の開始時に、硬貨カセット３０を、硬貨入出金機に取り付けて、硬貨が、現に流通している真正な硬貨で、汚損レベルが基準汚損レベル以下の受け入れ可能な硬貨か否かを判別し、硬貨が受け入れ可能な硬貨であると判別したときは、その硬貨の金種を判別して、硬貨の金種ごとの枚数を計数し、偽造硬貨、外国硬貨、汚損レベルが基準汚損レベルを越えた汚損硬貨などの受け入れ不能な硬貨を受け入れ不能硬貨回収ボックス４１に回収しつつ、硬貨カセット３０に収容されている硬貨を硬貨入出金機内に装填しない場合には、業務の終了時において、硬貨入出金機内に収容されていた硬貨の金種別の枚数を、正確に把握することはできず、また、業務の開始時においても、硬貨入出金機内に収容されている硬貨の金種別の枚数を、正確に把握することができなくなる。
【０２１２】
そこで、本実施態様にかかる硬貨入出金機は、さらに、硬貨入出金機内に収納されている硬貨の金種別枚数を定期的に確認する硬貨収納枚数確認処理を実行可能に構成されている。
【０２１３】
硬貨入出金機内に収納されている硬貨の金種別枚数を確認する硬貨収納枚数確認処理を実行するに際しては、硬貨枚数確認スイッチ７６が操作され、硬貨収納枚数確認信号が、コントロールユニット５０に出力される。
【０２１４】
硬貨収納枚数確認信号を受けると、コントロールユニット５０は、まず、第１のモータ５６、第２のモータ５７、回転円板モータ５４および搬送ベルトモータ５５に駆動信号を出力して、搬送ベルト７、入出金ベルト２０および硬貨リフトベルト２１を駆動させるとともに、回転円板３を回転させる。
【０２１５】
次いで、コントロールユニット５０は、第２の繰り出しモータ６２に駆動信号を出力し、硬貨カセット３０の下部に設けられた硬貨繰り出し手段３０ａによって、硬貨カセット３０内に収容されている硬貨を、入出金ベルト２０上に、１枚づつ、繰り出させる。
【０２１６】
硬貨カセット３０から、入出金ベルト２０上に繰り出された硬貨は、入出金ベルト２０から、硬貨リフトベルト２１に受け渡され、硬貨リフトベルト２１によって、回転円板３上に送られる。
【０２１７】
回転円板３上に送られた硬貨は、回転円板３の回転によって生じる遠心力によって、リング状ガイド４の内面に沿って、移動され、スロット５を介して、１枚づつ、硬貨通路６に送り出される。
【０２１８】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【０２１９】
ここに、硬貨カセット３０から繰り出された硬貨はすべて、硬貨貯留ボックス４０内に収容され、硬貨貯留ボックス４０から、硬貨が繰り出される際に、硬貨が受け入れ可能か否かおよび硬貨の金種が判別されるから、センサユニット８から、検出信号が入力されても、コントロールユニット５０は、硬貨の判別も、計数も実行しない。
【０２２０】
硬貨は、搬送ベルト７によって、硬貨選別デバイス９に送られるが、選別ローラ１０ｂは、通常、硬貨選別通路１０を閉鎖する位置に保持されているから、硬貨は、硬貨選別デバイス９を通過して、硬貨通路６の終端部に接続されている第４のシュート３４を介して、硬貨貯留ボックス４０内に送られて、貯留される。
【０２２１】
こうして、硬貨カセット３０に貯留されていたすべての硬貨が、硬貨貯留ボックス４０に送られて、硬貨貯留ボックス４０内に貯留されると、コントロールユニット５０は、第１のモータ５６、第２のモータ５７、回転円板モータ５４、搬送ベルトモータ５５および第２の繰り出しモータ６２に駆動停止信号を出力して、搬送ベルト７、入出金ベルト２０、硬貨リフトベルト２１および硬貨カセット３０の下部に設けられた硬貨繰り出し手段３０ａの駆動を停止させるとともに、回転円板３の回転を停止させる。
【０２２２】
この結果、現に流通している真正な硬貨で、汚損レベルが基準レベル以下の受け入れ可能な硬貨と判別され、硬貨入出金機中に収納されている硬貨がすべて、硬貨貯留ボックス４０内に貯留される。
【０２２３】
真正で、汚損レベルが基準レベル以下の受け入れ可能な硬貨と判別され、硬貨入出金機中に収納されている硬貨がすべて、硬貨貯留ボックス４０内に貯留されると、コントロールユニット５０は、まず、選別ローラ駆動ソレノイド６０および第２のソレノイド６７に駆動信号を出力して、選別ローラ１０ｂを、図４において、実線で示す位置から破線で示す位置に回動させて、硬貨選別通路１０を開放し、第２のゲート部材１５を駆動して、硬貨選別通路１０を、第３のシュート１３に連通させる。
【０２２４】
次いで、コントロールユニット５０は、第１のモータ５６、第２のモータ５７、回転円板モータ５４および搬送ベルトモータ５５に駆動信号を出力するとともに、第３のモータ５８に逆回転信号を出力する。
【０２２５】
その結果、搬送ベルト７、入出金ベルト２０および硬貨リフトベルト２１が駆動されるとともに、回転円板３が回転され、さらに、出金ベルト２５が巻回されたプーリ２５ａ、２５ａが、反時計まわりに回転される。
【０２２６】
さらに、コントロールユニット５０は、第１の繰り出しモータ６１に駆動信号を出力し、硬貨貯留ボックス４０の下部に設けられた硬貨繰り出し手段４０ａによって、硬貨貯留ボックス４０内に貯留されている硬貨を、１枚づつ、入出金ベルト２０上に繰り出させる。
【０２２７】
硬貨貯留ボックス４０から、入出金ベルト２０上に繰り出された硬貨は、入出金ベルト２０から、硬貨リフトベルト２１に受け渡され、硬貨リフトベルト２１によって、回転円板３上に送られる。
【０２２８】
回転円板３上に送られた硬貨は、回転円板３の回転によって生じる遠心力によって、リング状ガイド４の内面に沿って、移動され、スロット５を介して、１枚づつ、硬貨通路６に送り出される。
【０２２９】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【０２３０】
コントロールユニット５０は、検出信号を受けると、ＲＯＭ５１に記憶された金種ごとの基準径データ、基準表面パターンデータ、基準磁気データおよび基準汚損レベルデータを読み出して、センサユニット８から入力された検出信号と比較し、現に流通している真正な硬貨で、汚損レベルが基準汚損レベル以下の受け入れ可能な硬貨か否かを判別し、硬貨が受け入れ可能な硬貨であると判別したときは、その硬貨の金種を判別して、その判別結果を、ＲＡＭ５２の判別結果メモリ領域に書き込むとともに、硬貨の金種別の枚数をカウントし、ＲＡＭ５２の硬貨貯留枚数メモリ領域に書き込む。
【０２３１】
硬貨が、搬送ベルト７によって、硬貨通路６内を、さらに下流側に向けて、搬送され、硬貨選別デバイス９の近傍の硬貨通路６に設けられた硬貨センサ５３によって、検出されると、硬貨検出信号が、コントロールユニット５０に出力される。
【０２３２】
コントロールユニット５０は、硬貨センサ５３から、硬貨検出信号が入力されると、ＲＡＭ５２の判別結果メモリ領域に書き込まれた硬貨の判別結果を読み出し、硬貨が、偽造硬貨、外国硬貨、汚損レベルが基準汚損レベルを越えた汚損硬貨などの受け入れ不能な硬貨であると判別されているときは、第１のゲート部材１４を駆動する第１のソレノイド６６に駆動信号を出力して、第１のゲート部材１４を、硬貨選別通路１０と、第２のシュート１２とを連通させる位置に位置させる。
【０２３３】
その結果、受け入れ不能と判別された硬貨は、硬貨選別通路１０内に落下し、硬貨選別通路１０から、第２のシュート１２に導かれ、出金ベルト２５上に送られる。
【０２３４】
これに対して、硬貨が、現に流通している真正な硬貨で、汚損レベルが基準汚損レベル以下の受け入れ可能な硬貨であると判別しているときは、コントロールユニット５０は、何の信号も出力しない。
【０２３５】
その結果、現に流通している真正な硬貨で、汚損レベルが基準汚損レベル以下の受け入れ可能な硬貨と判別された硬貨は、硬貨選別通路１０内に落下し、硬貨選別通路１０から、第３のシュート１３に導かれ、硬貨貯留カセット３０内に送られて、貯留される。
【０２３６】
一方、受け入れ不能と判別されて、出金ベルト２５上に送られた硬貨は、第３のモータ５８に逆回転信号が出力されて、出金ベルト２５が巻回されているプーリ２５ａ、２５ａが、図２において、反時計まわりに回転されているため、硬貨回収ボックス２６に向かって、送られる。
【０２３７】
受け入れ不能な硬貨は、出金ベルト２５から、硬貨回収通路４３に送られ、第３のゲート部材４６が、硬貨回収通路４３と受け入れ不能硬貨回収ボックス４１とを連通させる位置に保持されているため、受け入れ不能硬貨回収ボックス４１内に回収される。
【０２３８】
以上のようにして、硬貨貯留ボックス４０に貯留されていたすべての硬貨が、硬貨カセット３０あるいは受け入れ不能硬貨回収ボックス４１に送られて、収納されると、コントロールユニット５０は、第１のモータ５６、第２のモータ５７、第３のモータ５８、回転円板モータ５４、および搬送ベルトモータ５５および第１の繰り出しモータ６１に駆動停止信号を出力して、搬送ベルト７、入出金ベルト２０、硬貨リフトベルト２１、出金ベルト２５および硬貨貯留ボックス４０の下部に設けられた硬貨繰り出し手段４０ａの駆動を停止させるとともに、回転円板３の回転を停止させる。
【０２３９】
次いで、コントロールユニット５０は、選別ローラ駆動ソレノイド６０および第２のソレノイド６７に駆動停止信号を出力して、選別ローラ１０ｂを、図４において、実線で示す位置に復帰させて、硬貨選別通路１０を閉鎖するとともに、第２のゲート部材１５を、硬貨選別通路１０と、第１のシュート１１とを連通させる位置に復帰させる。
【０２４０】
こうして、硬貨貯留ボックス４０に貯留されていた硬貨がすべて、硬貨カセット３０あるいは受け入れ不能硬貨回収ボックス４１に送られて、収納されると、ＲＡＭ５２の硬貨貯留枚数メモリ領域には、硬貨入出金機に収納されている硬貨の金種別の枚数が記憶される。
【０２４１】
次いで、硬貨カセット３０に収納されたすべての硬貨が、硬貨装填処理と同様にして、硬貨貯留ボックス４０内に移送され、硬貨貯留ボックス４０内に収容される。
【０２４２】
ただし、ＲＡＭ５２の硬貨貯留枚数メモリ領域には、すでに、硬貨入出金機に貯留されている硬貨の金種別の枚数が記憶されており、受け入れ不能硬貨はすべて受け入れ不能硬貨回収ボックス４１内に回収されて、硬貨カセット３０内には、受け入れ不能硬貨回収ボックス４１内に回収すべき硬貨は存在しないから、センサユニット８から、検出信号が入力されても、コントロールユニット５０は、硬貨の判別も、計数も実行しない。
【０２４３】
硬貨カセット３０内に収納されていたすべての硬貨が、硬貨貯留ボックス４０に移送されて、硬貨貯留ボックス４０内に貯留されると、コントロールユニット５０は、硬貨カセット３０への出金すべき硬貨の出金硬貨収納処理を実行し、三出金単位の硬貨が、硬貨カセット３０に送られて、硬貨カセット３０内に貯留される。
図１３は、硬貨入出金口１に出金された硬貨あるいは硬貨入出金口１に返却された硬貨を、オペレータが受け取り忘れた場合に、硬貨を硬貨入出金機内に回収する不受領硬貨回収処理のプロセスを示す硬貨入出金機の前後方向縦断面図である。
【０２４４】
硬貨入出金口１のシャッタ２上に、硬貨を出金した後、あるいは、入金された硬貨を送り返した後、所定の時間が経過しても、硬貨入出金口１のシャッタ２上に、硬貨が残されているときは、コントロールユニット５０は、まず、選別ローラ駆動ソレノイド６０に駆動信号を出力して、選別ローラ１０ｂを、図４において、実線で示す位置から破線で示す位置に回動させて、硬貨選別通路１０を開放させる。
【０２４５】
次いで、コントロールユニット５０は、第１のゲート部材１４を駆動させる第１のソレノイド６６および第３のゲート部材４６を駆動させる第３のソレノイド６８に駆動信号を出力して、第１のゲート部材１４を、硬貨選別通路１０と、第２のシュート１２とを連通させる位置に位置させるとともに、第３のゲート部材４６を、硬貨回収通路４３と、第６のシュート４５とを連通させる位置に位置させる。
【０２４６】
さらに、コントロールユニット５０は、回転円板モータ５４および搬送ベルトモータ５５に駆動信号を出力して、回転円板３を回転させ、搬送ベルト７を駆動するとともに、第３のモータ５８に、逆回転信号を出力して、出金ベルト２５が巻回されているプーリ２５ａ、２５ａを、図２において、反時計まわりに回転させる。
【０２４７】
次いで、コントロールユニット５０は、シャッタ２に開放信号を出力して、シャッタ２を開放させる。
【０２４８】
その結果、回転円板３が回転され、搬送ベルト７および硬貨リフトベルト２７が駆動されるとともに、出金ベルト２５が巻回されているプーリ２５ａ、２５ａが、図２において、時計まわりに回転され、硬貨入出金口１のシャッタ２が開放されて、硬貨入出金口１に残留している硬貨が、回転されている回転円板３上に落下する。
【０２４９】
次いで、コントロールユニット５０は、シャッタ２に閉鎖信号を出力して、硬貨入出金口１のシャッタ２を閉鎖させる。
【０２５０】
硬貨入出金口１から、回転円板３上に落下した硬貨は、回転円板３の回転によって生じる遠心力によって、リング状ガイド４の内面に沿って、移動され、スロット５を介して、１枚づつ、硬貨通路６に送り出される。
【０２５１】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【０２５２】
ここに、本実施態様においては、硬貨入出金口１のシャッタ２上に出金され、あるいは、硬貨入出金口１のシャッタ２上に送り返されたにもかかわらず、オペレータが受け取り忘れた硬貨は、すべて、不受領硬貨貯留ボックス４２内に収容されて、硬貨貯留ボックス４０内に貯留されている硬貨および硬貨カセット３０内に収容されている硬貨とは、別個に回収されるように構成されているから、コントロールユニット５０は、不受領硬貨回収処理に際しては、硬貨の判別も、計数も実行しない。
【０２５３】
硬貨は、搬送ベルト７によって、さらに、硬貨通路６内を搬送され、選別ローラ１０ｂが、図４において、実線で示す位置から破線で示す位置に回動されて、硬貨選別通路１０が開放されているため、硬貨選別通路１０内に落下する。
【０２５４】
硬貨選別通路１０内に落下した硬貨は、第１のゲート部材１４が、硬貨選別通路１０と、第２のシュート１２とを連通させる位置に位置しているため、第２のシュート１２を介して、出金ベルト２５上に送られる。
【０２５５】
出金ベルト２５上に送られた硬貨は、第３のモータ５８に逆回転信号が出力され、出金ベルト２５が巻回されているプーリ２５ａ、２５ａが、図２において、反時計まわりに回転されているため、硬貨回収ボックス２６に向かって、送られる。
【０２５６】
硬貨は、出金ベルト２５から、硬貨回収通路４３に送られ、第３のゲート部材４６が、硬貨回収通路４３と、第６のシュート４５とを連通させる位置に位置しているため、第６のシュート４５を介して、不受領硬貨貯留ボックス４２内に送られて、回収される。
【０２５７】
以上のようにして、硬貨入出金口１のシャッタ２上に出金され、あるいは、硬貨入出金口１のシャッタ２上に返却されたにもかかわらず、オペレータが取り忘れたすべての硬貨が、不受領硬貨貯留ボックス４２内に送られて、回収されると、コントロールユニット５０は、回転円板モータ５４、搬送ベルトモータ５５および第３のモータ５８に駆動停止信号を出力して、回転円板３の回転を停止させるとともに、搬送ベルト７および出金ベルト２５の駆動を停止させる。
【０２５８】
次いで、コントロールユニット５０は、選別ローラ駆動ソレノイド６０に駆動停止信号を出力して、選別ローラ１０ｂを、図４において、実線で示す位置に復帰させて、硬貨選別通路１０を閉鎖させるとともに、第１のゲート部材１４を駆動させる第１のソレノイド６６および第３のゲート部材４６を駆動させる第３のソレノイド６８に駆動停止信号を出力して、第１のゲート部材１４を、硬貨選別通路１０と、第１のシュート１１とを連通させる位置に復帰させ、第３のゲート部材４６を、硬貨回収通路４３と、第５のシュート４４とを連通させる位置に復帰させて、不受領硬貨回収処理を終了させる。
【０２５９】
図１４は、業務の終了後に、硬貨入出金機に収容されている硬貨を、硬貨カセット３０内に回収する硬貨回収処理のプロセスを示す硬貨入出金機の略縦断面図である。
【０２６０】
業務の終了後、硬貨入出金機に収容されている硬貨を、硬貨カセット３０内に回収するにあたっては、硬貨回収指示スイッチ７５が操作される。
【０２６１】
硬貨回収指示スイッチ７５が操作されると、硬貨回収指示信号が、コントロールユニット５０に出力され、硬貨回収指示信号を受けると、コントロールユニット５０は、まず、第１のモータ５６、第２のモータ５７、回転円板モータ５４および搬送ベルトモータ５５に駆動信号を出力して、搬送ベルト７、入出金ベルト２０および硬貨リフトベルト２１を駆動させるとともに、回転円板３を回転させる。
【０２６２】
次いで、コントロールユニット５０は、第２の繰り出しモータ６２に駆動信号を出力し、硬貨カセット３０の下部に設けられた硬貨繰り出し手段３０ａによって、硬貨カセット３０内に収容されている硬貨を、入出金ベルト２０上に、１枚づつ、繰り出させる。
【０２６３】
硬貨カセット３０から、入出金ベルト２０上に繰り出された硬貨は、入出金ベルト２０から、硬貨リフトベルト２１に受け渡され、硬貨リフトベルト２１によって、回転円板３上に送られる。
【０２６４】
回転円板３上に送られた硬貨は、回転円板３の回転によって生じる遠心力によって、リング状ガイド４の内面に沿って、移動され、スロット５を介して、１枚づつ、硬貨通路６に送り出される。
【０２６５】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【０２６６】
ここに、硬貨カセット３０から繰り出された硬貨はすべて、硬貨貯留ボックス４０内に収容され、硬貨貯留ボックス４０から、硬貨カセット３０内に回収される際に、硬貨が受け入れ可能か否かおよび硬貨の金種が判別されるから、センサユニット８から、検出信号が入力されても、コントロールユニット５０は、硬貨の判別も、計数も実行しない。
【０２６７】
硬貨は、搬送ベルト７によって、硬貨通路６内を、さらに下流側に向けて、搬送され、硬貨選別デバイス９を通過し、硬貨通路６の終端部に接続された第４のシュート３４を介して、硬貨貯留ボックス４０内に送られて、貯留される。
【０２６８】
こうして、硬貨カセット３０内に収容されたすべての硬貨が、硬貨貯留ボックス４０内に送られて、収容されると、コントロールユニット５０は、第１のモータ５６、第２のモータ５７、第３のモータ５８、回転円板モータ５４、搬送ベルトモータ５５、第３のソレノイド６８および第２の繰り出しモータ６２に、駆動停止信号を出力して、搬送ベルト７、入出金ベルト２０、出金ベルト２５、硬貨リフトベルト２１および硬貨カセット３０の下部に設けられた硬貨繰り出し手段３０ａの駆動を停止させるとともに、回転円板３の回転を停止させる。
【０２６９】
次いで、硬貨貯留ボックス４０内に貯留されているすべての硬貨が、硬貨カセット３０内に回収される。
【０２７０】
まず、コントロールユニット５０は、選別ローラ駆動ソレノイド６０および第２のソレノイド６７に駆動信号を出力して、選別ローラ１０ｂを、図４において、実線で示す位置から破線で示す位置に回動させて、硬貨選別通路１０を開放し、第２のゲート部材１５を駆動して、硬貨選別通路１０を、第３のシュート１３に連通させる。
【０２７１】
次いで、コントロールユニット５０は、第１のモータ５６、第２のモータ５７、回転円板モータ５４および搬送ベルトモータ５５に駆動信号を出力する。
【０２７２】
その結果、搬送ベルト７、入出金ベルト２０および硬貨リフトベルト２１が駆動されるとともに、回転円板３が回転される。
【０２７３】
さらに、コントロールユニット５０は、第３のモータ５８に、逆回転信号を出力して、出金ベルト２５が巻回されているプーリ２５ａ、２５ａを、図２において、反時計まわりに回転させる。
【０２７４】
次いで、コントロールユニット５０は、第１の繰り出しモータ６１に駆動信号を出力し、硬貨貯留ボックス４０の下部に設けられた硬貨繰り出し手段４０ａによって、硬貨貯留ボックス４０内に貯留されている硬貨を、１枚づつ、入出金ベルト２０上に繰り出させる。
【０２７５】
硬貨貯留ボックス４０から、入出金ベルト２０上に繰り出された硬貨は、入出金ベルト２０から、硬貨リフトベルト２１に受け渡され、硬貨リフトベルト２１によって、回転円板３上に送られる。
【０２７６】
回転円板３上に送られた硬貨は、回転円板３の回転によって生じる遠心力によって、リング状ガイド４の内面に沿って、移動され、スロット５を介して、１枚づつ、硬貨通路６に送り出される。
【０２７７】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【０２７８】
コントロールユニット５０は、検出信号を受けると、ＲＯＭ５１に記憶された金種ごとの基準径データ、基準表面パターンデータ、基準磁気データおよび基準汚損レベルデータを読み出して、センサユニット８から入力された検出信号と比較し、硬貨が、現に流通している真正な硬貨で、汚損レベルが基準汚損レベル以下の受け入れ可能な硬貨か否かを判別し、硬貨が受け入れ可能な硬貨であると判別したときは、その硬貨の金種を判別して、その判別結果を、ＲＡＭ５２の判別結果メモリ領域に書き込むとともに、硬貨の金種別の枚数をカウントし、ＲＡＭ５２の回収硬貨枚数メモリ領域に書き込む。
【０２７９】
硬貨が、搬送ベルト７によって、硬貨通路６内を、さらに下流側に向けて、搬送され、硬貨選別デバイス９の近傍の硬貨通路６に設けられた硬貨センサ５３によって、検出されると、硬貨検出信号が、コントロールユニット５０に出力される。
【０２８０】
コントロールユニット５０は、硬貨センサ５３から、硬貨検出信号が入力されると、ＲＡＭ５２の判別結果メモリ領域に書き込まれたその硬貨の判別結果を読み出して、その硬貨が、偽造硬貨、外国硬貨、汚損レベルが基準汚損レベルを越えた汚損硬貨などの受け入れ不能な硬貨であると判別されているときは、第１のゲート部材１４を駆動する第１のソレノイド６６に、駆動信号を出力して、第１のゲート部材１４を、硬貨選別通路１０と、第２のシュート１２とが連通する位置に回動させる。
【０２８１】
その結果、硬貨は、硬貨選別通路１０内に落下し、硬貨選別通路１０から、第２のシュート１２に導かれ、出金ベルト２５上に送られる。
【０２８２】
これに対して、硬貨が、現に流通している真正な硬貨で、汚損レベルが基準汚損レベル以下の受け入れ可能な硬貨であると判別しているときは、コントロールユニット５０は、何の信号も出力しない。
【０２８３】
その結果、現に流通している真正な硬貨で、汚損レベルが基準汚損レベル以下の受け入れ可能な硬貨と判別された硬貨は、第２のゲート部材１５が、硬貨選別通路１０と、第３のシュート１３を連通させる位置に保持されているため、第３のシュート１３を通って、硬貨カセット３０に送られて、硬貨カセット３０内に回収される。
【０２８４】
受け入れ不能な硬貨と判別され、出金ベルト２５上に送られた硬貨は、第３のモータ５８に逆回転信号が出力されて、出金ベルト２５が巻回されているプーリ２５ａ、２５ａが、図２において、反時計まわりに回転されているため、硬貨回収ボックス２６に向かって、送られる。
【０２８５】
受け入れ不能と判別された硬貨は、出金ベルト２５から、硬貨回収通路４３に送られ、第３のゲート部材４６が、硬貨回収通路４３と受け入れ不能硬貨回収ボックス４１とを連通させる位置に保持されているため、受け入れ不能硬貨回収ボックス４１内に回収される。
【０２８６】
こうして、硬貨貯留ボックス４０内に貯留されていたすべての硬貨が、硬貨カセット３０あるいは受け入れ不能硬貨回収ボックス４１に送られて、収容されると、コントロールユニット５０は、第１のモータ５６、第２のモータ５７、第３のモータ５８、回転円板モータ５４、搬送ベルトモータ５５、第３のソレノイド６８および第１の繰り出しモータ６１に、駆動停止信号を出力して、搬送ベルト７、入出金ベルト２０、出金ベルト２５、硬貨リフトベルト２１および硬貨貯留ボックス４０の下部に設けられた硬貨繰り出し手段４０ａの駆動を停止させるとともに、回転円板３の回転を停止させる。
【０２８７】
以上のようにして、硬貨入出金機内の硬貨がすべて、硬貨カセット３０内に回収されると、硬貨カセット３０が、硬貨入出金機から取り外され、硬貨入出金機から、硬貨が回収される。
【０２８８】
一方、受け入れ不能と判別され、受け入れ不能硬貨回収ボックス４１および不受領硬貨回収ボックス４２内に回収された硬貨は、受け入れ不能硬貨回収ボックス４１および不受領硬貨回収ボックス４２を開閉する開閉部材（図示せず）が操作されて、硬貨入出金機から、回収される。
【０２８９】
本実施態様によれば、硬貨カセット３０に収容された三出金単位の硬貨を除くすべての硬貨は、単一の硬貨貯留ボックス４０内に貯留されるように構成され、硬貨入出金機は、金種別に、硬貨を貯留する硬貨貯留ボックスを備えていないから、硬貨入出金機を小型化することが可能になるとともに、硬貨入出金機のコストを大幅に低減させることが可能になる。
【０２９０】
また、本実施態様によれば、硬貨カセット３０に収容された三出金単位の硬貨を除くすべての硬貨は、単一の硬貨貯留ボックス４０内に貯留されるように構成され、硬貨入出金機は、金種別に、硬貨を貯留する硬貨貯留ボックスを備えていないから、金種別に、硬貨を貯留する硬貨貯留ボックスのいずれかに貯留し切れなくなった硬貨を収容する補充用硬貨貯留ボックスを設ける必要がなく、硬貨入出金機を小型化することが可能になるとともに、硬貨入出金機のコストを大幅に低減させることが可能になる。
【０２９１】
さらに、本実施態様によれば、硬貨カセット３０に収容された三出金単位の硬貨を除くすべての硬貨は、単一の硬貨貯留ボックス４０内に貯留されるように構成され、硬貨入出金機は、金種別に、硬貨を貯留する硬貨貯留ボックスを備えていないから、いずれかの金種の硬貨の入金枚数が過大になっても、硬貨貯留ボックス４０に収容し切れなくなるということがなく、したがって、硬貨貯留ボックス内に貯留し切れなくなった硬貨を回収するため、硬貨入出金機の動作を停止させる必要が生じることがないから、硬貨入出金機の処理効率を大幅に向上させることが可能になる。
【０２９２】
また、本実施態様によれば、硬貨カセット３０に収容された三出金単位の硬貨を除くすべての硬貨は、単一の硬貨貯留ボックス４０内に貯留されるように構成され、硬貨入出金機は、金種別に、硬貨を貯留する硬貨貯留ボックスを備えていないから、硬貨入出金機の構造を簡素化することが可能となるとともに、硬貨入出金機の耐久性を向上させることが可能になる。
【０２９３】
さらに、本実施態様によれば、新たな金種の硬貨が発行された場合でも、新たに発行された金種の硬貨を貯留し、出金時に、貯留された硬貨を払い出す硬貨貯留ボックスを設けるスペースを確保する必要がなく、単に、コントロールユニット５０の制御プログラムを変更するだけで、新たに発行された金種の硬貨を、硬貨入出金機に、入金し、硬貨入出金機から出金することが可能になるから、新たな金種の硬貨が発行される場合に備えて、無駄なスペースを確保しておく必要がなく、したがって、硬貨入出金機をより一層小型化することが可能になり、その一方で、将来、新たな金種の硬貨が発行された場合に、容易に対応することが可能になる。
【０２９４】
図１５は、本発明の別の好ましい実施態様にかかる硬貨入出金機の内部機構を示す略縦側面図である。
【０２９５】
図１５に示されるように、本実施態様にかかる硬貨入出金機は、一出金単位の出金すべき硬貨を貯留可能な第１の硬貨貯留筒８０および第２の硬貨貯留筒８１を備え、第１の硬貨貯留筒８０、第２の硬貨貯留筒８１および硬貨カセット３０内に、それぞれ、一出金単位の出金すべき硬貨が貯留され、出金処理にあたっては、第１の硬貨貯留筒８０、第２の硬貨貯留筒８１および硬貨カセット３０のいずれかから、硬貨が、硬貨入出金口１に出金されるように構成されている。
【０２９６】
図１６は、硬貨選別デバイスの略断面図である。
【０２９７】
図１６に示されるように、本実施態様においては、硬貨カセット３０内に連通する第３のシュート１３から、第１の硬貨貯留筒８０内に連通する第７のシュート８２が分岐され、第７のシュート８２から、さらに、第２の硬貨貯留筒８１内に連通する第８のシュート８３が分岐されている。
【０２９８】
第３のシュート１３と第７のシュート８２の分岐部には、硬貨を、硬貨カセット３０および第７のシュート８２の一方に案内する第４のゲート部材８４が設けられ、第７のシュート８２と第８のシュート８３の分岐部には、硬貨を、第１の硬貨貯留筒８０および第２の硬貨貯留筒８１の一方に案内する第５のゲート部材８５が設けられている。
【０２９９】
本実施態様においては、第４のゲート部材８４は、通常、第３のシュート１３と硬貨カセット３０内を連通される位置に保持され、第５のゲート部材８５は、通常、第７のシュート８２と第１の硬貨貯留筒８０内を連通させる位置に保持されるように構成されている。
【０３００】
図１７は、本発明の別の好ましい実施態様にかかる硬貨入出金機の制御系、検出系、駆動系、入力系および表示系を示すブロックダイアグラムである。
【０３０１】
図１７に示されるように、本実施態様にかかる硬貨入出金機の制御系も、硬貨入出金機全体の動作を制御するコントロールユニット５０と、制御プログラム、硬貨の金種別の基準径データ、基準表面パターンデータ、基準磁気データ、基準汚損レベルデータなどを記憶するＲＯＭ５１と、ＲＡＭ５２を備えている。
【０３０２】
図１７に示されるように、本実施態様にかかる硬貨入出金機の検出系も、硬貨の径、表面パターンなどの光学的性質を検出する光学センサおよび硬貨の磁気的性質を検出する磁気センサを含み、コントロールユニット５０に、検出信号を出力するセンサユニット８と、硬貨が、硬貨通路６に設けられた硬貨選別デバイス９に達したことを検出し、コントロールユニット５０の硬貨検出信号を出力する硬貨センサ５３を備えている。
【０３０３】
図１７に示されるように、本実施態様にかかる硬貨入出金機の駆動系は、シャッタ２と、回転円板３を回転させる回転円板モータ５４と、搬送ベルト７を駆動する搬送ベルトモータ５５と、入出金ベルト２０を駆動する第１のモータ５６と、硬貨リフトベルト２１を駆動する第２のモータ５７と、出金ベルト２５のプーリ２５ａ、２５ａを正逆方向に選択的に回転させる第３のモータ５８と、硬貨リフトベルト２７を駆動する第４のモータ５９と、選別ローラ１０ｂを駆動する選別ローラ駆動ソレノイド６０と、硬貨貯留ボックス４０の下部に設けられた硬貨繰り出し手段４０ａを駆動する第１の繰り出しモータ６１と、硬貨カセット３０の下部に設けられた硬貨繰り出し手段３０ａを駆動する第２の繰り出しモータ６２と、第１のゲート部材１４を駆動する第１のソレノイド６６と、第２のゲート部材１５を駆動する第２のソレノイド６７と、第３のゲート部材４６を駆動する第３のソレノイド６８と、第１の硬貨貯留筒８０の下部に設けられた硬貨繰り出し手段８６を駆動する第３の繰り出しモータ８７と、第２の硬貨貯留筒８１の下部に設けられた硬貨繰り出し手段８８を駆動する第４の繰り出しモータ８９と、第４のゲート部材８４を駆動する第４のソレノイド９４と、第５のゲート部材８５を駆動する第５のソレノイド９５を備えている。
【０３０４】
図１７に示されるように、本実施態様にかかる硬貨入出金機の入力系も、入金処理スタートスイッチ７０と、硬貨の入金を指示する入金指示スイッチ７１と、硬貨の入金取り消しを指示する入金取消しスイッチ７２と、硬貨の出金を指示する出金指示スイッチ７３と、硬貨カセット３０に収容されている硬貨の硬貨入出金機内への装填を指示する硬貨装填指示スイッチ７４と、硬貨入出金機内の硬貨の硬貨カセット３０内への回収を指示する硬貨回収指示スイッチ７５と、硬貨入出金機内に収納されている硬貨の金種別枚数を確認する硬貨収納枚数確認処理を指示する硬貨枚数確認スイッチ７６と、出金すべき金額を入力可能なテンキー７７を備えている。
【０３０５】
図１７に示されるように、本実施態様にかかる硬貨入出金機の表示系も、液晶ディスプレイパネルや有機ＥＬパネルなどによって構成された表示パネル７８を備えている。
【０３０６】
以上のように構成された本実施態様にかかる硬貨入出金機も、紙幣入出金機と併設されて、使用され、本実施態様にかかる硬貨入出金機においても、前記実施態様にかかる硬貨入出金機と同様にして、機体の背部に取付けられた硬貨カセット３０から、硬貨が、硬貨入出金機内に装填される。
【０３０７】
本実施態様においては、出金すべき硬貨は、硬貨カセット３０、第１の硬貨貯留筒８０および第２の硬貨貯留筒８１内に貯留されるように構成されており、硬貨装填処理が完了すると、硬貨カセット３０、第１の硬貨貯留筒８０および第２の硬貨貯留筒８１への出金硬貨収納処理が実行され、出金すべき硬貨が、硬貨貯留ボックス４０から、硬貨カセット３０、第１の硬貨貯留筒８０および第２の硬貨貯留筒８１に送られて、収納される。
【０３０８】
本実施態様においては、硬貨カセット３０、第１の硬貨貯留筒８０および第２の硬貨貯留筒８１内には、それぞれ、一出金単位の出金すべき硬貨が貯留されるように構成されている。
【０３０９】
硬貨装填処理が完了すると、コントロールユニット５０によって、まず、硬貨カセット３０への出金すべき硬貨の出金硬貨収納処理が実行される。
図１８は、硬貨貯留ボックス４０から、機体の背部に取付けられた硬貨カセット３０、第１の硬貨貯留筒８０および第２の硬貨貯留筒８１に、硬貨を収納する硬貨収納処理のプロセスを示す硬貨入出金機の略縦断面図である。
【０３１０】
コントロールユニット５０は、まず、選別ローラ駆動ソレノイド６０および第２のソレノイド６７に駆動信号を出力して、選別ローラ１０ｂを、図４において、実線で示す位置から破線で示す位置に回動させて、硬貨選別通路１０を開放し、第２のゲート部材１５を駆動して、硬貨選別通路１０を、第３のシュート１３に連通させる。
【０３１１】
次いで、コントロールユニット５０は、第１のモータ５６、第２のモータ５７、回転円板モータ５４および搬送ベルトモータ５５に駆動信号を出力する。
【０３１２】
その結果、搬送ベルト７、入出金ベルト２０および硬貨リフトベルト２１が駆動されるとともに、回転円板３が回転される。
【０３１３】
さらに、コントロールユニット５０は、第１の繰り出しモータ６１に駆動信号を出力し、硬貨貯留ボックス４０の下部に設けられた硬貨繰り出し手段４０ａによって、硬貨貯留ボックス４０内に貯留されている硬貨を、１枚づつ、次々に、入出金ベルト２０上に繰り出させる。
【０３１４】
硬貨貯留ボックス４０から、入出金ベルト２０上に繰り出された硬貨は、入出金ベルト２０から、硬貨リフトベルト２１に受け渡され、硬貨リフトベルト２１によって、回転円板３上に送られる。
【０３１５】
回転円板３上に送られた硬貨は、回転円板３の回転によって生じる遠心力によって、リング状ガイド４の内面に沿って、移動され、スロット５を介して、１枚づつ、次々に、硬貨通路６に送り出される。
【０３１６】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【０３１７】
コントロールユニット５０は、検出信号を受けると、ＲＯＭ５１に記憶された金種ごとの基準径データ、基準表面パターンデータ、基準磁気データおよび基準汚損レベルデータを読み出して、センサユニット８から入力された検出信号と比較し、硬貨が、現に流通している真正な硬貨で、汚損レベルが基準汚損レベル以下の受け入れ可能な硬貨か否かを判別し、硬貨が受け入れ可能な硬貨であると判別したときは、その硬貨の金種を判別して、その判別結果を、ＲＡＭ５２の判別結果メモリ領域に書き込むとともに、硬貨の金種別の枚数をカウントし、ＲＡＭ５２の第１の出金可能硬貨枚数メモリ領域に書き込む。ここに、ＲＡＭ５２の第１の出金可能硬貨枚数メモリ領域は、硬貨カセット３０に貯留されている金種別の硬貨の枚数を記憶させる領域である。
【０３１８】
硬貨が、搬送ベルト７によって、硬貨通路６内を、さらに下流側に向けて、搬送され、硬貨選別デバイス９の近傍の硬貨通路６に設けられた硬貨センサ５３によって、検出されると、硬貨検出信号が、コントロールユニット５０に出力される。
【０３１９】
コントロールユニット５０は、硬貨センサ５３から、硬貨検出信号が入力されると、ＲＡＭ５２の判別結果メモリ領域に書き込まれた硬貨の判別結果を読み出し、硬貨が、偽造硬貨、外国硬貨、汚損レベルが基準汚損レベルを越えた汚損硬貨などの受け入れ不能な硬貨であると判別されているときは、選別ローラ駆動ソレノイド６０に駆動停止信号を出力して、選別ローラ１０ｂを、図４において、実線で示す位置に復帰させて、硬貨選別通路１０を閉鎖させる。
【０３２０】
その結果、受け入れ不能な硬貨と判別された硬貨は、さらに、搬送ベルト７によって、硬貨通路６内を搬送され、第４のシュート３４を介して、硬貨貯留ボックス４０内に収容される。
【０３２１】
ここに、受け入れ不能な硬貨と判別された硬貨を、受け入れ不能硬貨回収ボックス４１ではなく、硬貨貯留ボックス４０内に収容しているのは、硬貨貯留ボックス４０に貯留されている硬貨は、すでに、現に流通している真正な硬貨で、汚損レベルが基準汚損レベル以下の受け入れ可能な硬貨と判別されたものであり、硬貨カセット３０への硬貨の出金硬貨収納処理に際して、誤って、受け入れ不能な硬貨と判別されたおそれがあるからである。
【０３２２】
これに対して、硬貨が、現に流通している真正な硬貨で、汚損レベルが基準汚損レベル以下の受け入れ可能な硬貨であると判別したときは、コントロールユニット５０は何の信号も出力しない。
【０３２３】
その結果、現に流通している真正な硬貨で、汚損レベルが基準汚損レベル以下の受け入れ可能な硬貨と判別された硬貨は、硬貨選別通路１０内に落下し、第３のシュート１３を通って、硬貨カセット３０内に収容される。
【０３２４】
コントロールユニット５０は、センサユニット８から、検出信号が入力されるたびに、硬貨が、現に流通している真正な硬貨で、汚損レベルが基準汚損レベル以下の受け入れ可能な硬貨か否かを判別し、硬貨が受け入れ可能な硬貨であると判別したときは、その硬貨の金種を判別し、判別結果を、ＲＡＭ５２の判別結果メモリ領域に書き込むとともに、ＲＡＭ５２の第１の出金可能硬貨枚数メモリ領域に書き込まれている判別した金種の硬貨の枚数を更新する。
【０３２５】
こうして、ＲＡＭ５２の第１の出金可能硬貨枚数メモリ領域に書き込まれたある金種の硬貨の枚数が、一出金単位Ｕに含まれるべきその金種の硬貨の枚数に等しくなったときは、硬貨カセット３０内には、すでに、一出金単位Ｕに含まれるべき枚数のその金種の硬貨が貯留されているから、その後に、センサユニット８から入力された検出信号に基づき、その金種の硬貨が検出されたときは、コントロールユニット５０は、硬貨の金種別の枚数をカウントし、ＲＡＭ５２の第２の出金可能硬貨枚数メモリ領域に書き込む。ここに、ＲＡＭ５２の第２の出金可能硬貨枚数メモリ領域は、第１の硬貨貯留筒８０に貯留されている金種別の硬貨の枚数を記憶させる領域である。
【０３２６】
その金種の硬貨が、搬送ベルト７によって、硬貨通路６内を、さらに下流側に向けて、搬送され、硬貨選別デバイス９の近傍の硬貨通路６に設けられた硬貨センサ５３によって、硬貨が検出されて、硬貨検出信号が、硬貨センサ５３から入力されると、コントロールユニット５０は、第４のゲート部材８４を駆動する第４のソレノイド９４に駆動信号を出力して、第４のゲート部材８４を、第３のシュート１３と第７のシュート８２とを連通させる位置に移動させる。
【０３２７】
その結果、硬貨カセット３０内に、すでに、一出金単位Ｕに含まれるべき枚数が貯留されたその金種の硬貨は、硬貨選別通路１０内に落下し、第１のシュート１１、第３のシュート１３および第７のシュート８２を介して、第１の硬貨貯留筒８０内に送られて、収容される。
【０３２８】
一方、センサユニット８によって、出金単位に含まれるべき他の金種の硬貨が検出されたときは、ＲＡＭ５２の第１の出金可能硬貨枚数メモリ領域に書き込まれたその金種の硬貨の枚数が、一出金単位Ｕに含まれるべきその金種の硬貨の枚数に等しくなるまでは、コントロールユニット５０は、ＲＡＭ５２の第１の出金可能硬貨枚数メモリ領域に書き込まれているその金種の硬貨の枚数を更新するとともに、その金種の硬貨を、硬貨選別通路１０、第１のシュート１１および第３のシュート１３を介して、硬貨カセット３０に送って、硬貨カセット３０内に収容させ、ＲＡＭ５２の第１の出金可能硬貨枚数メモリ領域に書き込まれたその金種の硬貨の枚数が、一出金単位Ｕに含まれるべきその金種の硬貨の枚数に等しくなると、硬貨カセット３０内には、すでに、一出金単位Ｕに含まれるべき枚数のその金種の硬貨が貯留されているから、センサユニット８から入力された検出信号に基づき、その金種の硬貨が検出されたときは、コントロールユニット５０は、硬貨の金種別の枚数をカウントし、ＲＡＭ５２の第２の出金可能硬貨枚数メモリ領域に書き込む。
【０３２９】
その金種の硬貨が、搬送ベルト７によって、硬貨通路６内を、さらに下流側に向けて、搬送され、硬貨選別デバイス９の近傍の硬貨通路６に設けられた硬貨センサ５３によって、硬貨が検出されて、硬貨検出信号が、硬貨センサ５３から入力されると、コントロールユニット５０は、第４のゲート部材８４を駆動する第４のソレノイド９４に駆動信号を出力して、第４のゲート部材８４を、第３のシュート１３と第７のシュート８２とを連通させる位置に移動させる。
【０３３０】
その結果、硬貨カセット３０内に、すでに、一出金単位Ｕに含まれるべき枚数が貯留されたその金種の硬貨は、硬貨選別通路１０内に落下し、第１のシュート１１、第３のシュート１３および第７のシュート８２を介して、第１の硬貨貯留筒８０内に送られて、収容される。
【０３３１】
以上のようにして、ＲＡＭ５２の第１の出金可能硬貨枚数メモリ領域に書き込まれた出金単位に含まれるべきすべての金種の硬貨の枚数が、一出金単位に含まれるべき各金種の硬貨の枚数に等しくなると、コントロールユニット５０は、硬貨カセット３０への硬貨の収納を終了させる。
【０３３２】
さらに、ＲＡＭ５２の第２の出金可能硬貨枚数メモリ領域に書き込まれたある金種の硬貨の枚数が、一出金単位Ｕに含まれるべきその金種の硬貨の枚数に等しくなったときは、硬貨カセット３０および第１の硬貨貯留筒８０内には、それぞれ、一出金単位Ｕに含まれるべき枚数のその金種の硬貨がすでに貯留されているから、その後に、センサユニット８から入力された検出信号に基づき、その金種の硬貨が検出されたときは、コントロールユニット５０は、硬貨の金種別の枚数をカウントし、ＲＡＭ５２の第３の出金可能硬貨枚数メモリ領域に書き込む。ここに、ＲＡＭ５２の第３の出金可能硬貨枚数メモリ領域は、第２の硬貨貯留筒８１に貯留されている金種別の硬貨の枚数を記憶させる領域である。
【０３３３】
その金種の硬貨が、搬送ベルト７によって、硬貨通路６内を、さらに下流側に向けて、搬送され、硬貨選別デバイス９の近傍の硬貨通路６に設けられた硬貨センサ５３によって、硬貨が検出されて、硬貨検出信号が、硬貨センサ５３から入力されると、コントロールユニット５０は、第５のゲート部材８５を駆動する第５のソレノイド９５に駆動信号を出力して、第５のゲート部材８５を、第７のシュート８２と第８のシュート８３とを連通させる位置に移動させる。
【０３３４】
その結果、硬貨カセット３０および第１の硬貨貯留筒８０内に、それぞれ、すでに、一出金単位Ｕに含まれるべき枚数が貯留されたその金種の硬貨は、硬貨選別通路１０内に落下し、第１のシュート１１、第３のシュート１３、第７のシュート８２および第８のシュート８３を介して、第２の硬貨貯留筒８１内に送られて、収容される。
【０３３５】
こうして、ＲＡＭ５２の第１の出金可能硬貨枚数メモリ領域に書き込まれた出金単位に含まれるべき全ての金種の硬貨の枚数、ＲＡＭ５２の第２の出金可能硬貨枚数メモリ領域に書き込まれた出金単位に含まれるべき全ての金種の硬貨の枚数およびＲＡＭ５２の第３の出金可能硬貨枚数メモリ領域に書き込まれた出金単位に含まれるべき全ての金種の硬貨の枚数が、それぞれ、一出金単位Ｕに含まれるべき各金種の硬貨の枚数に等しくなると、コントロールユニット５０は、第１の繰り出しモータ６１に駆動停止信号を出力し、硬貨貯留ボックス４０の下部に設けられた硬貨繰り出し手段４０ａの駆動を停止させる。
【０３３６】
次いで、一出金単位Ｕに含まれるべき各金種の硬貨が、第２の硬貨貯留筒８１内に収納され、硬貨繰り出し手段４０ａの駆動が停止された時点で、硬貨貯留ボックス４０から、すでに、入出金ベルト２０上に繰り出されていた第２の硬貨貯留筒８１に収納されるべき硬貨に後続するすべての硬貨が、硬貨貯留ボックス４０内に回収されると、コントロールユニット５０は、第１のモータ５６、第２のモータ５７、回転円板モータ５４、搬送ベルトモータ５５および第２のソレノイド６７に駆動停止信号を出力して、搬送ベルト７、入出金ベルト２０および硬貨リフトベルト２１の駆動を停止させ、回転円板３の回転を停止させるとともに、選別ローラ駆動ソレノイド６０に駆動停止信号を出力して、選別ローラ１０ｂを、図４において、実線で示す位置に復帰させて、硬貨選別通路１０を閉鎖させ、硬貨カセット３０、第１の硬貨貯留筒８０および第２の硬貨貯留筒８１への出金すべき硬貨の出金硬貨収納処理を終了させる。
【０３３７】
硬貨カセット３０、第１の硬貨貯留筒８０および第２の硬貨貯留筒８１への出金すべき硬貨の出金硬貨収納処理が終了すると、ＲＡＭ５２の出金可能硬貨枚数メモリ領域に、硬貨カセット３０、第１の硬貨貯留筒８０および第２の硬貨貯留筒８１に貯留されている金種別の硬貨の枚数が記憶され、硬貨入出金機は、硬貨の入金および出金が可能になる。
【０３３８】
本実施態様にかかる硬貨入出金機においても、前記実施態様にかかる硬貨入出金機と全く同様にして、硬貨が硬貨入出金機内に入金される。
【０３３９】
本実施態様にかかる硬貨入出金機から、硬貨を出金するときは、まず、テンキー７７に、出金すべき金額が入力される。
【０３４０】
出金すべき金額が、テンキー７７に入力されると、テンキー７７から、出金金額指定信号が、コントロールユニット５０に出力され、出金金額指定信号が入力されると、コントロールユニット５０は、出金金額指定信号に基づき、出金すべき各金種の硬貨の枚数を算出して、金種別の出金枚数データを生成し、ＲＡＭ５２の出金硬貨枚数メモリ領域に書き込むとともに、ＲＡＭ５２の補充硬貨枚数メモリ領域に、金種別の出金枚数データを保存する。
【０３４１】
次いで、出金指示スイッチ７３が操作され、出金指示信号が、コントロールユニット５０に入力される。
【０３４２】
本実施態様にかかる硬貨入出金機は、硬貨を、硬貨カセット３０、第１の硬貨貯留筒８０および第２の硬貨貯留筒８１のいずれからも、出金可能に構成されているが、硬貨を、硬貨カセット３０、第１の硬貨貯留筒８０および第２の硬貨貯留筒８１のいずれかから、出金した後、未だ、硬貨貯留ボックス４０からの出金すべき硬貨の補充が完了しておらず、硬貨カセット３０、第１の硬貨貯留筒８０あるいは第２の硬貨貯留筒８１に一出金単位の硬貨が貯留されていないことがあり得るから、硬貨カセット３０、第１の硬貨貯留筒８０および第２の硬貨貯留筒８１のうち、一出金単位の硬貨が貯留されている硬貨の貯留部から、つねに、硬貨が出金されることを保証するため、出金指示信号を受けると、コントロールユニット５０は、まず、ＲＡＭ５２の第１の出金可能硬貨枚数メモリ領域、第２の出金可能硬貨枚数メモリ領域および第３の出金可能硬貨枚数メモリ領域にアクセスして、硬貨カセット３０、第１の硬貨貯留筒８０および第２の硬貨貯留筒８１内に貯留されている金種別の硬貨の枚数を読み出し、一出金単位の硬貨が貯留されているか否かを判定する。
【０３４３】
その結果、硬貨カセット３０、第１の硬貨貯留筒８０および第２の硬貨貯留筒８１内に、いずれも、一出金単位の硬貨が貯留されていると判定したときは、コントロールユニット５０は、硬貨の繰り出し部分と、センサユニット８との距離が最も短い第２の硬貨貯留筒８１から、硬貨を出金させる。
【０３４４】
図１９は、硬貨入出金機の第２の硬貨貯留筒８１から、硬貨を出金する出金処理のプロセスを示す硬貨入出金機の略縦断面図である。
【０３４５】
コントロールユニット５０は、まず、選別ローラ駆動ソレノイド６０に駆動信号を出力して、選別ローラ１０ｂを、図４において、実線で示す位置から破線で示す位置に回動させて、硬貨選別通路１０を開放させる。
【０３４６】
次いで、コントロールユニット５０は、第１のモータ５６、第２のモータ５７、第４のモータ５９、回転円板モータ５４および搬送ベルトモータ５５に駆動信号を出力して、回転円板３を回転させ、搬送ベルト７、入出金ベルト２０、硬貨リフトベルト２１および硬貨リフトベルト２７を駆動させるとともに、第３のモータ５８に正回転信号を出力して、出金ベルト２５が巻回されているプーリ２５ａ、２５ａを、図１５において、時計まわりに回転させる。
【０３４７】
さらに、コントロールユニット５０は、第４の繰り出しモータ８９に駆動信号を出力して、第２の硬貨貯留筒８１の下部に設けられた硬貨繰り出し手段８８によって、第２の硬貨貯留筒８１内に貯留されている硬貨を、入出金ベルト２０上に、１枚づつ、次々に、繰り出させる。
【０３４８】
第２の硬貨貯留筒８１から、入出金ベルト２０上に繰り出された硬貨は、入出金ベルト２０から、硬貨リフトベルト２１に受け渡され、硬貨リフトベルト２１によって、回転円板３上に送られる。
【０３４９】
回転円板３上に送られた硬貨は、回転円板３の回転によって生じる遠心力によって、リング状ガイド４の内面に沿って、移動され、スロット５を介して、１枚づつ、硬貨通路６に送り出される。
【０３５０】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【０３５１】
コントロールユニット５０は、検出信号を受けると、ＲＯＭ５１に記憶された金種ごとの基準径データ、基準表面パターンデータ、基準磁気データおよび基準汚損レベルデータを読み出して、センサユニット８から入力された検出信号と比較し、硬貨が、現に流通している真正な硬貨で、汚損レベルが基準汚損レベル以下の受け入れ可能な硬貨か否かを判別し、硬貨が受け入れ可能な硬貨であると判別したときは、その硬貨の金種を判別して、その判別結果を、ＲＡＭ５２の判別結果メモリ領域に書き込むとともに、ＲＡＭ５２の出金硬貨枚数メモリ領域に書き込まれている金種別の出金枚数データ中のその金種の硬貨の出金すべき枚数を、１枚だけ、減じて、金種別の出金枚数データを書き換える。
【０３５２】
硬貨が、搬送ベルト７によって、硬貨通路６内を、さらに下流側に向けて、搬送され、硬貨選別デバイス９の近傍の硬貨通路６に設けられた硬貨センサ５３によって、検出されると、硬貨検出信号が、コントロールユニット５０に出力される。
【０３５３】
硬貨センサ５３から、硬貨検出信号を受けると、コントロールユニット５０は、ＲＡＭ５２の判別結果メモリ領域に書き込まれた硬貨の判別結果を読み出し、硬貨が、偽造硬貨、外国硬貨、汚損レベルが基準汚損レベルを越えた汚損硬貨などの受け入れ不能な硬貨であると判別されているときは、コントロールユニット５０は、第２のゲート部材１５を駆動する第２のソレノイド６７に駆動信号を出力して、第２のゲート部材１５を、硬貨選別通路１０と第３のシュート１３とを連通させる位置に移動させるとともに、第４のゲート部材８４を駆動する第４のソレノイド９４に駆動信号を出力して、第４のゲート部材８４を、第３のシュート１３と第７のシュート８２とを連通させる位置に移動させ、さらに、第５のゲート部材８５を駆動する第５のソレノイド９５に駆動信号を出力して、第５のゲート部材８５を、第７のシュート８２と、第８のシュート８３とを連通させる位置に移動させる。
【０３５４】
その結果、硬貨選別通路１０が開放されているため、受け入れ不能と判別された硬貨は、硬貨選別通路１０内に落下して、第１のシュート１１、第３のシュート１３、第７のシュート８２および第８のシュート８３を介して、第２の硬貨貯留筒８１内に返却される。
【０３５５】
ここに、受け入れ不能な硬貨と判別された硬貨を、受け入れ不能硬貨回収ボックス４１ではなく、第２の硬貨貯留筒８１に返却しているのは、第２の硬貨貯留筒８１に貯留されている硬貨は、すでに、現に流通している真正な硬貨で、汚損レベルが基準汚損レベル以下の受け入れ可能な硬貨と判別されたものであり、出金処理に際して、誤って、受け入れ不能な硬貨と判別されたおそれがあり、その一方で、受け入れ不能と判別された硬貨を、受け入れ不能硬貨回収ボックス４１に回収する場合には、出金ベルト２５上に送って、出金ベルト２５が巻回されているプーリ２５ａ、２５ａを、図２において、反時計まわりに回転させる必要があり、硬貨の出金処理を妨げることになるからである。
【０３５６】
これに対して、その硬貨が現に流通している真正な硬貨で、汚損レベルが基準汚損レベル以下の受け入れ可能な硬貨であると判別されているときは、コントロールユニット５０は、第１のゲート部材１４を駆動する第１のソレノイド６６に駆動信号を出力して、第１のゲート部材１４を、硬貨選別通路１０と、第２のシュート１２とを連通させる位置に位置させる。
【０３５７】
その結果、現に流通している真正な硬貨で、汚損レベルが基準汚損レベル以下の受け入れ可能な硬貨と判別されている硬貨は、硬貨選別通路１０内に落下し、第２のシュート１２を介して、出金ベルト２５上に送られる。
【０３５８】
現に流通している真正な硬貨で、汚損レベルが基準汚損レベル以下の受け入れ可能な硬貨と判別されて、出金ベルト２５上に送られた硬貨は、出金ベルト２５が巻回されているプーリ２５ａ、２５ａが、図１５において、時計まわりに回転されているため、出金ベルト２５によって、硬貨入出金口１に向かって、搬送され、硬貨リフトベルト２７に受け渡される。
【０３５９】
硬貨リフトベルト２７に受け渡された硬貨は、硬貨入出金口１のシャッタ２上に出金される。
【０３６０】
コントロールユニット５０は、センサユニット８から、検出信号が入力されるたびに、硬貨が、現に流通している真正な硬貨で、汚損レベルが基準汚損レベル以下の受け入れ可能な硬貨か否かを判別し、硬貨が受け入れ可能な硬貨であると判別したときは、その硬貨の金種を判別し、判別結果を、ＲＡＭ５２の判別結果メモリ領域に書き込むとともに、ＲＡＭ５２の出金硬貨枚数メモリ領域に書き込まれた金種別の出金枚数データ中のその金種の硬貨の出金すべき枚数を、１枚づつ、減じて、金種別の出金枚数データを書き換える。
【０３６１】
こうして、次々に、ＲＡＭ５２に書き込まれた金種別の出金枚数データを書き換えた結果、ＲＡＭ５２の出金硬貨枚数メモリ領域に書き込まれているある金種の出金すべき硬貨の枚数データがゼロになった後は、センサユニット８から、検出信号が入力されても、コントロールユニット５０は、その金種の硬貨の判別も、計数も実行せず、その金種の硬貨を、硬貨センサ５３が検出し、硬貨センサ５３から、硬貨検出信号が入力されたときは、コントロールユニット５０は、第２のゲート部材１５を駆動する第２のソレノイド６７に駆動信号を出力して、第２のゲート部材１５を、硬貨選別通路１０と第３のシュート１３とを連通させる位置に移動させるとともに、第４のゲート部材８４を駆動する第４のソレノイド９４に駆動信号を出力して、第４のゲート部材８４を、第３のシュート１３と第７のシュート８２とを連通させる位置に移動させ、さらに、第５のゲート部材８５を駆動する第５のソレノイド９５に駆動信号を出力して、第５のゲート部材８５を、第７のシュート８２と、第８のシュート８３とを連通させる位置に移動させる。
【０３６２】
その結果、ＲＡＭ５２の出金硬貨枚数メモリ領域に書き込まれた出金すべき硬貨の枚数データがゼロになっている金種の硬貨は、硬貨選別通路１０内に落下して、第１のシュート１１、第３のシュート１３、第７のシュート８２および第８のシュート８３を介して、第２の硬貨貯留筒８１内に返却される。
【０３６３】
こうして、ＲＡＭ５２の出金硬貨枚数メモリ領域に書き込まれたすべての金種の出金すべき硬貨の枚数データがゼロになると、コントロールユニット５０は、第４の繰り出しモータ８９に駆動停止信号を出力して、第２の硬貨貯留筒８１の下部に設けられた硬貨繰り出し手段８８の駆動を停止させる。
【０３６４】
次いで、出金すべき硬貨が、硬貨入出金口１のシャッタ２上に出金され、硬貨繰り出し手段８８の駆動を停止された時点で、第２の硬貨貯留筒８１から、すでに入出金ベルト２０上に繰り出されていた出金すべき硬貨に後続するすべての硬貨が、第２の硬貨貯留筒８１内に回収されると、コントロールユニット５０は、第１のモータ５６、第２のモータ５７、第３のモータ５８、第４のモータ５９、回転円板モータ５４および搬送ベルトモータ５５に駆動停止信号を出力して、回転円板３の回転を停止させるとともに、搬送ベルト７、入出金ベルト２０、硬貨リフトベルト２１、出金ベルト２５および硬貨リフトベルト２７の駆動を停止させる。
【０３６５】
次いで、コントロールユニット５０は、選別ローラ駆動ソレノイド６０に駆動停止信号を出力して、選別ローラ１０ｂを、図４において、実線で示す位置に復帰させて、硬貨選別通路１０を閉鎖させる。
【０３６６】
さらに、コントロールユニット５０は、ＲＡＭ５２の補充硬貨枚数メモリ領域に保存されている出金硬貨枚数データに基づいて、ＲＡＭ５２の貯留硬貨枚数メモリ領域に記憶されている硬貨入出金機に収納されている金種別の硬貨の枚数を書き換え、出金処理を終了させる。
【０３６７】
こうして、出金処理が終了すると、コントロールユニット５０は、第２の硬貨貯留筒８１に、出金された金種の硬貨を補充する。
【０３６８】
すなわち、出金処理が終了すると、コントロールユニット５０は、出金すべき硬貨の補充処理を開始し、まず、選別ローラ駆動ソレノイド６０に駆動信号を出力して、選別ローラ１０ｂを、図４において、実線で示す位置から破線で示す位置に回動させて、硬貨選別通路１０を開放させる。
【０３６９】
次いで、コントロールユニット５０は、第２のゲート部材１５を駆動する第２のソレノイド６７に駆動信号を出力して、第２のゲート部材１５を、硬貨選別通路１０と第３のシュート１３とを連通させる位置に移動させるとともに、第４のゲート部材８４を駆動する第４のソレノイド９４に駆動信号を出力して、第４のゲート部材８４を、第３のシュート１３と第７のシュート８２とを連通させる位置に移動させ、さらに、第５のゲート部材８５を駆動する第５のソレノイド９５に駆動信号を出力して、第５のゲート部材８５を、第７のシュート８２と、第８のシュート８３とを連通させる位置に移動させる。
【０３７０】
次いで、コントロールユニット５０は、第１のモータ５６、第２のモータ５７、回転円板モータ５４および搬送ベルトモータ５５に駆動信号を出力する。
【０３７１】
その結果、搬送ベルト７、入出金ベルト２０および硬貨リフトベルト２１が駆動されるとともに、回転円板３が回転される。
【０３７２】
さらに、コントロールユニット５０は、第１の繰り出しモータ６１に駆動信号を出力して、硬貨貯留ボックス４０の下部に設けられた硬貨繰り出し手段４０ａによって、硬貨貯留ボックス４０内に貯留されている硬貨を、１枚づつ、入出金ベルト２０上に繰り出させる。
【０３７３】
硬貨貯留ボックス４０から、入出金ベルト２０上に繰り出された硬貨は、入出金ベルト２０から、硬貨リフトベルト２１に受け渡され、硬貨リフトベルト２１によって、回転円板３上に送られる。
【０３７４】
回転円板３上に送られた硬貨は、回転円板３の回転によって生じる遠心力によって、リング状ガイド４の内面に沿って、移動され、スロット５を介して、１枚づつ、硬貨通路６に送り出される。
【０３７５】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【０３７６】
コントロールユニット５０は、検出信号を受けると、ＲＯＭ５１に記憶された金種ごとの基準径データ、基準表面パターンデータ、基準磁気データおよび基準汚損レベルデータを読み出して、センサユニット８から入力された検出信号と比較し、硬貨が、現に流通している真正な硬貨で、汚損レベルが基準汚損レベル以下の受け入れ可能な硬貨か否かを判別し、硬貨が受け入れ可能な硬貨であると判別したときは、その硬貨の金種を判別して、その判別結果を、ＲＡＭ５２の判別結果メモリ領域に書き込むとともに、ＲＡＭ５２の補充硬貨枚数メモリ領域に保存されている金種別の出金枚数データ中のその金種の硬貨の出金すべき枚数を、１枚だけ、減じて、金種別の出金枚数データを書き換える。
【０３７７】
硬貨が、搬送ベルト７によって、硬貨通路６内を、さらに下流側に向けて、搬送され、硬貨選別デバイス９の近傍の硬貨通路６に設けられた硬貨センサ５３によって、検出されると、硬貨検出信号が、コントロールユニット５０に出力される。
【０３７８】
コントロールユニット５０は、硬貨センサ５３から、硬貨検出信号が入力されると、ＲＡＭ５２の判別結果メモリ領域に書き込まれた硬貨の判別結果を読み出し、硬貨が、偽造硬貨、外国硬貨、汚損レベルが基準汚損レベルを越えた汚損硬貨などの受け入れ不能な硬貨であると判別されているときは、選別ローラ駆動ソレノイド６０に駆動停止信号を出力して、選別ローラ１０ｂを、図４において、実線で示す位置に復帰させて、硬貨選別通路１０を閉鎖させる。
【０３７９】
その結果、受け入れ不能な硬貨と判別された硬貨は、さらに、搬送ベルト７によって、硬貨通路６内を搬送され、第４のシュート３４を介して、硬貨貯留ボックス４０内に収容される。
【０３８０】
ここに、受け入れ不能な硬貨と判別された硬貨を、受け入れ不能硬貨回収ボックス４１ではなく、硬貨貯留ボックス４０内に収容しているのは、硬貨貯留ボックス４０に貯留されている硬貨は、すでに、現に流通している真正な硬貨で、汚損レベルが基準汚損レベル以下の受け入れ可能な硬貨と判別されたものであり、第２の硬貨貯留筒８１への硬貨の補充処理に際して、誤って、受け入れ不能な硬貨と判別されたおそれがあるからである。
【０３８１】
これに対して、硬貨が、現に流通している真正な硬貨で、汚損レベルが基準汚損レベル以下の受け入れ可能な硬貨であると判別したときは、コントロールユニット５０は何の信号も出力しない。
【０３８２】
その結果、現に流通している真正な硬貨で、汚損レベルが基準汚損レベル以下の受け入れ可能な硬貨と判別された硬貨は、第１のシュート１１、第３のシュート１３、第７のシュート８２および第８のシュート８３を介して、第２の硬貨貯留筒８１内に収容される。
【０３８３】
コントロールユニット５０は、センサユニット８から、検出信号が入力されるたびに、硬貨が、現に流通している真正な硬貨で、汚損レベルが基準汚損レベル以下の受け入れ可能な硬貨か否かを判別し、硬貨が受け入れ可能な硬貨であると判別したときは、その受け入れ可能か否かおよび硬貨の金種を判別し、判別結果を、ＲＡＭ５２の判別結果メモリ領域に書き込むとともに、ＲＡＭ５２の補充硬貨枚数メモリ領域に保存されている金種別の出金枚数データ中の判別した金種の硬貨の出金すべき枚数を、１枚だけ、減じて、金種別の出金枚数データを書き換える。
【０３８４】
こうして、ＲＡＭ５２の補充硬貨枚数メモリ領域に書き込まれているある金種の出金すべき硬貨の枚数がゼロになった後は、センサユニット８から、検出信号が入力されても、コントロールユニット５０は、その金種の硬貨の判別も、計数も実行せず、その金種の硬貨を、硬貨センサ５３が検出して、硬貨センサ５３から、硬貨検出信号が入力されたときは、コントロールユニット５０は、選別ローラ駆動ソレノイド６０に駆動停止信号を出力して、選別ローラ１０ｂを、図４において、実線で示す位置に復帰させて、硬貨選別通路１０を閉鎖させる。
【０３８５】
その結果、ＲＡＭ５２の補充硬貨枚数メモリ領域に書き込まれた出金すべき硬貨の枚数がゼロになっている金種の硬貨は、さらに、搬送ベルト７によって、硬貨通路６内を搬送され、第４のシュート３４を介して、硬貨貯留ボックス４０内に回収される。
【０３８６】
こうして、ＲＡＭ５２の補充硬貨枚数メモリ領域に書き込まれたすべての金種の出金すべき硬貨の枚数がゼロになると、コントロールユニット５０は、第１の繰り出しモータ６１に駆動停止信号を出力し、硬貨貯留ボックス４０の下部に設けられた硬貨繰り出し手段４０ａの駆動を停止させる。
【０３８７】
次いで、第２の硬貨貯留筒８１内に補充されるべき硬貨が、第２の硬貨貯留筒８１内に収納され、硬貨繰り出し手段４０ａの駆動が停止された時点で、硬貨貯留ボックス４０から、すでに、入出金ベルト２０上に繰り出されていた第２の硬貨貯留筒８１内に補充されるべき硬貨に後続する硬貨がすべて、硬貨貯留ボックス４０内に回収されると、コントロールユニット５０は、第１のモータ５６、第２のモータ５７、第３のモータ５８、第４のモータ５９、回転円板モータ５４および搬送ベルトモータ５５に駆動停止信号を出力して、回転円板３の回転を停止させるとともに、搬送ベルト７、入出金ベルト２０、硬貨リフトベルト２１、出金ベルト２５および硬貨リフトベルト２７の駆動を停止させる。
【０３８８】
次いで、コントロールユニット５０は、選別ローラ駆動ソレノイド６０に駆動停止信号を出力して、選別ローラ１０ｂを、図４において、実線で示す位置に復帰させて、硬貨選別通路１０を閉鎖させ、ＲＡＭ５２の第２の出金可能硬貨枚数メモリ領域に書き込まれた金種別の出金可能な硬貨の枚数を、一出金単位に含まれるべき金種別の硬貨の枚数に書き換えて、第２の硬貨貯留筒８１への出金すべき硬貨の補充処理を終了させる。
【０３８９】
本実施態様にかかる硬貨入出金機も、前記実施態様にかかる硬貨入出金機と同様にして、さらに、硬貨入出金機内に収納されている硬貨の金種別枚数を確認する硬貨収納枚数確認処理を実行可能に構成されている。
【０３９０】
硬貨入出金機内に収納されている硬貨の金種別枚数を確認する硬貨収納枚数確認処理を実行するに際しては、硬貨枚数確認スイッチ７６が操作され、硬貨収納枚数確認信号が、コントロールユニット５０に出力される。
【０３９１】
硬貨収納枚数確認信号を受けると、コントロールユニット５０は、まず、第１のモータ５６、第２のモータ５７、回転円板モータ５４および搬送ベルトモータ５５に駆動信号を出力して、搬送ベルト７、入出金ベルト２０および硬貨リフトベルト２１を駆動させるとともに、回転円板３を回転させる。
【０３９２】
次いで、コントロールユニット５０は、第２の繰り出しモータ６２に駆動信号を出力し、硬貨カセット３０の下部に設けられた硬貨繰り出し手段３０ａによって、硬貨カセット３０内に収容されている硬貨を、入出金ベルト２０上に、１枚づつ、繰り出させる。
【０３９３】
硬貨カセット３０から、入出金ベルト２０上に繰り出された硬貨は、入出金ベルト２０から、硬貨リフトベルト２１に受け渡され、硬貨リフトベルト２１によって、回転円板３上に送られる。
【０３９４】
回転円板３上に送られた硬貨は、回転円板３の回転によって生じる遠心力によって、リング状ガイド４の内面に沿って、移動され、スロット５を介して、１枚づつ、硬貨通路６に送り出される。
【０３９５】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、センサユニット８によって、硬貨の径、表面パターンなどの光学的性質および硬貨の磁気的な性質が検出され、検出信号が、コントロールユニット５０に出力される。
【０３９６】
ここに、硬貨カセット３０から繰り出された硬貨はすべて、硬貨貯留ボックス４０内に収容され、硬貨貯留ボックス４０から、硬貨が繰り出される際に、硬貨が受け入れ可能か否かおよび硬貨の金種が判別されるから、センサユニット８から、検出信号が入力されても、コントロールユニット５０は、硬貨の判別も、計数も実行しない。
【０３９７】
硬貨は、搬送ベルト７によって、硬貨選別デバイス９に送られるが、選別ローラ１０ｂは、通常、硬貨選別通路１０を閉鎖する位置に保持されているから、硬貨は、硬貨選別デバイス９を通過して、硬貨通路６の終端部に接続されている第４のシュート３４を介して、硬貨貯留ボックス４０内に送られて、貯留される。
【０３９８】
センサユニット８から、最後に、検出信号が入力されてから、所定時間にわたって、検出信号が入力されないときは、コントロールユニット５０は、硬貨カセット３０に貯留されていた硬貨がすべて、硬貨貯留ボックス４０内に移送されたと判定し、第２の繰り出しモータ６２に駆動停止信号を出力して、硬貨カセット３０の下部に設けられた硬貨繰り出し手段３０ａの駆動を停止させるとともに、第３の繰り出しモータ８７に駆動信号を出力して、第１の硬貨貯留筒８０の下部に設けられた硬貨繰り出し手段８６を駆動して、第１の硬貨貯留筒８０内に貯留されている硬貨を、１枚づつ、次々に、入出金ベルト２０上に、繰り出させる。
【０３９９】
第１の硬貨貯留筒８０から、入出金ベルト２０上に繰り出された硬貨は、入出金ベルト２０から、硬貨リフトベルト２１に受け渡され、硬貨リフトベルト２１によって、回転円板３上に送られる。
【０４００】
回転円板３上に送られた硬貨は、回転円板３の回転によって生じる遠心力によって、リング状ガイド４の内面に沿って、移動され、スロット５を介して、１枚づつ、硬貨通路６に送り出される。
【０４０１】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、センサユニット８によって、硬貨の径、表面パターンなどの光学的性質および硬貨の磁気的な性質が検出され、検出信号が、コントロールユニット５０に出力される。
【０４０２】
ここに、第１の硬貨貯留筒８０から繰り出された硬貨はすべて、硬貨貯留ボックス４０内に収容され、硬貨貯留ボックス４０から、硬貨が繰り出される際に、硬貨が受け入れ可能か否かおよび硬貨の金種が判別されるから、センサユニット８から、検出信号が入力されても、コントロールユニット５０は、硬貨の判別も、計数も実行しない。
【０４０３】
硬貨は、搬送ベルト７によって、硬貨選別デバイス９に送られるが、選別ローラ１０ｂは、通常、硬貨選別通路１０を閉鎖する位置に保持されているから、硬貨は、硬貨選別デバイス９を通過して、硬貨通路６の終端部に接続されている第４のシュート３４を介して、硬貨貯留ボックス４０内に送られて、貯留される。
【０４０４】
センサユニット８から、最後に、検出信号が入力されてから、所定時間にわたって、検出信号が入力されないときは、コントロールユニット５０は、第１の硬貨貯留筒８０に貯留されていた硬貨がすべて、硬貨貯留ボックス４０内に移送されたと判定して、第３の繰り出しモータ８７に駆動停止信号を出力して、第１の硬貨貯留筒８０の下部に設けられた硬貨繰り出し手段８６の駆動を停止させるとともに、第４の繰り出しモータ８９に駆動信号を出力して、第２の硬貨貯留筒８１の下部に設けられた硬貨繰り出し手段８８を駆動して、第２の硬貨貯留筒８１内に貯留されている硬貨を、１枚づつ、次々に、入出金ベルト２０上に、繰り出させる。
【０４０５】
第２の硬貨貯留筒８１から、入出金ベルト２０上に繰り出された硬貨は、入出金ベルト２０から、硬貨リフトベルト２１に受け渡され、硬貨リフトベルト２１によって、回転円板３上に送られる。
【０４０６】
回転円板３上に送られた硬貨は、回転円板３の回転によって生じる遠心力によって、リング状ガイド４の内面に沿って、移動され、スロット５を介して、１枚づつ、硬貨通路６に送り出される。
【０４０７】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、センサユニット８によって、硬貨の径、表面パターンなどの光学的性質および硬貨の磁気的な性質が検出され、検出信号が、コントロールユニット５０に出力される。
【０４０８】
ここに、第２の硬貨貯留筒８１から繰り出された硬貨はすべて、硬貨貯留ボックス４０に貯留され、硬貨貯留ボックス４０から繰り出される際に、硬貨が受け入れ可能か否かおよび硬貨の金種が判別されるから、センサユニット８から、検出信号が入力されても、コントロールユニット５０は、硬貨の判別も、計数も実行しない。
【０４０９】
硬貨は、搬送ベルト７によって、硬貨選別デバイス９に送られるが、選別ローラ１０ｂは、通常、硬貨選別通路１０を閉鎖する位置に保持されているから、硬貨は、硬貨選別デバイス９を通過して、硬貨通路６の終端部に接続されている第４のシュート３４を介して、硬貨貯留ボックス４０内に送られて、貯留される。
【０４１０】
センサユニット８から、最後に、検出信号が入力されてから、所定時間にわたって、検出信号が入力されないときは、コントロールユニット５０は、第２の硬貨貯留筒８１に貯留されていた硬貨がすべて、硬貨貯留ボックス４０内に移送されたと判定して、第１のモータ５６、第２のモータ５７、回転円板モータ５４、搬送ベルトモータ５５および第４の繰り出しモータ８９に駆動停止信号を出力して、搬送ベルト７、入出金ベルト２０、硬貨リフトベルト２１および第２の硬貨貯留筒８１の下部に設けられた硬貨繰り出し手段８８の駆動を停止させるとともに、回転円板３の回転を停止させる。
【０４１１】
この結果、硬貨入出金機中に収納されているすべての硬貨が、硬貨貯留ボックス４０内に貯留される。
【０４１２】
硬貨入出金機中に収納されているすべての硬貨が、硬貨貯留ボックス４０内に貯留されると、コントロールユニット５０は、まず、選別ローラ駆動ソレノイド６０および第２のソレノイド６７に駆動信号を出力して、選別ローラ１０ｂを、図４において、実線で示す位置から破線で示す位置に回動させて、硬貨選別通路１０を開放し、第２のゲート部材１５を駆動して、硬貨選別通路１０を、第３のシュート１３に連通させる。
【０４１３】
次いで、コントロールユニット５０は、第１のモータ５６、第２のモータ５７、回転円板モータ５４および搬送ベルトモータ５５に駆動信号を出力するとともに、第３のモータ５８に逆回転信号を出力する。
【０４１４】
その結果、搬送ベルト７、入出金ベルト２０および硬貨リフトベルト２１が駆動されるとともに、回転円板３が回転され、さらに、出金ベルト２５が巻回されたプーリ２５ａ、２５ａが、反時計まわりに回転される。
【０４１５】
さらに、コントロールユニット５０は、第１の繰り出しモータ６１に駆動信号を出力し、硬貨貯留ボックス４０の下部に設けられた硬貨繰り出し手段４０ａによって、硬貨貯留ボックス４０内に貯留されている硬貨を、１枚づつ、入出金ベルト２０上に繰り出させる。
【０４１６】
硬貨貯留ボックス４０から、入出金ベルト２０上に繰り出された硬貨は、入出金ベルト２０から、硬貨リフトベルト２１に受け渡され、硬貨リフトベルト２１によって、回転円板３上に送られる。
【０４１７】
回転円板３上に送られた硬貨は、回転円板３の回転によって生じる遠心力によって、リング状ガイド４の内面に沿って、移動され、スロット５を介して、１枚づつ、硬貨通路６に送り出される。
【０４１８】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【０４１９】
コントロールユニット５０は、検出信号を受けると、ＲＯＭ５１に記憶された金種ごとの基準径データ、基準表面パターンデータ、基準磁気データおよび基準汚損レベルデータを読み出して、センサユニット８から入力された検出信号と比較し、硬貨が、現に流通している真正な硬貨で、汚損レベルが基準汚損レベル以下の受け入れ可能な硬貨か否かを判別し、受け入れ可能な硬貨と判別したときは、その硬貨の金種を判別して、その判別結果を、ＲＡＭ５２の判別結果メモリ領域に書き込むとともに、硬貨の金種別の枚数をカウントし、ＲＡＭ５２の硬貨貯留枚数メモリ領域に書き込む。
【０４２０】
硬貨が、搬送ベルト７によって、硬貨通路６内を、さらに下流側に向けて、搬送され、硬貨選別デバイス９の近傍の硬貨通路６に設けられた硬貨センサ５３によって、検出されると、硬貨検出信号が、コントロールユニット５０に出力される。
【０４２１】
コントロールユニット５０は、硬貨センサ５３から、硬貨検出信号が入力されると、ＲＡＭ５２に書き込まれた硬貨の判別結果を読み出し、硬貨が、偽造硬貨、外国硬貨、汚損レベルが基準汚損レベルを越えた汚損硬貨などの受け入れ不能な硬貨であると判別されているときは、第１のゲート部材１４を駆動する第１のソレノイド６６に駆動信号を出力して、第１のゲート部材１４を、硬貨選別通路１０と、第２のシュート１２とを連通させる位置に位置させる。
【０４２２】
その結果、受け入れ不能と判別された硬貨は、硬貨選別通路１０内に落下し、硬貨選別通路１０から、第２のシュート１２に導かれ、出金ベルト２５上に送られる。
【０４２３】
これに対して、硬貨が、現に流通している真正な硬貨で、汚損レベルが基準汚損レベル以下の受け入れ可能な硬貨であると判別しているときは、コントロールユニット５０は、何の信号も出力しない。
【０４２４】
その結果、現に流通している真正な硬貨で、汚損レベルが基準汚損レベル以下の受け入れ可能と判別された硬貨は、硬貨選別通路１０内に落下し、硬貨選別通路１０から、第３のシュート１３に導かれ、硬貨貯留カセット３０内に送られて、貯留される。
【０４２５】
一方、受け入れ不能と判別されて、出金ベルト２５上に送られた硬貨は、第３のモータ５８に逆回転信号が出力されて、出金ベルト２５が巻回されているプーリ２５ａ、２５ａが、図１５において、反時計まわりに回転されているため、硬貨回収ボックス２６に向かって、送られる。
【０４２６】
受け入れ不能な硬貨は、出金ベルト２５から、硬貨回収通路４３に送られ、第３のゲート部材４６が、硬貨回収通路４３と受け入れ不能硬貨回収ボックス４１とを連通させる位置に保持されているため、受け入れ不能硬貨回収ボックス４１内に回収される。
【０４２７】
以上のようにして、硬貨貯留ボックス４０に貯留されていたすべての硬貨が、硬貨カセット３０あるいは受け入れ不能硬貨回収ボックス４１に送られて、収納されると、コントロールユニット５０は、第１のモータ５６、第２のモータ５７、第３のモータ５８、回転円板モータ５４、および搬送ベルトモータ５５および第１の繰り出しモータ６１に駆動停止信号を出力して、搬送ベルト７、入出金ベルト２０、硬貨リフトベルト２１、出金ベルト２５および硬貨貯留ボックス４０の下部に設けられた硬貨繰り出し手段４０ａの駆動を停止させるとともに、回転円板３の回転を停止させる。
【０４２８】
次いで、コントロールユニット５０は、選別ローラ駆動ソレノイド６０および第２のソレノイド６７に駆動停止信号を出力して、選別ローラ１０ｂを、図４において、実線で示す位置に復帰させて、硬貨選別通路１０を閉鎖するとともに、第２のゲート部材１５を、硬貨選別通路１０と、第１のシュート１１とを連通させる位置に復帰させる。
【０４２９】
こうして、硬貨貯留ボックス４０に貯留されていた硬貨がすべて、硬貨カセット３０あるいは受け入れ不能硬貨回収ボックス４１に送られて、収納されると、ＲＡＭ５２の硬貨貯留枚数メモリ領域には、硬貨入出金機に収納されている硬貨の金種別の枚数が記憶される。
【０４３０】
次いで、硬貨カセット３０に収納されたすべての硬貨が、硬貨装填処理と同様にして、硬貨貯留ボックス４０内に移送され、硬貨貯留ボックス４０内に収容される。
【０４３１】
こうして、硬貨を、硬貨カセット３０から硬貨貯留ボックス４０に移送するときには、ＲＡＭ５２の硬貨貯留枚数メモリ領域には、すでに、硬貨入出金機に貯留されている硬貨の金種別の枚数が記憶されており、受け入れ不能な硬貨はすべて、受け入れ不能硬貨回収ボックス４１内に回収されて、硬貨カセット３０内には、受け入れ不能硬貨回収ボックス４１内に回収すべき硬貨は存在しないから、センサユニット８から、検出信号が入力されても、コントロールユニット５０は、硬貨の判別も、計数も実行しない。
【０４３２】
硬貨カセット３０内に収納されていたすべての硬貨が、硬貨貯留ボックス４０に移送されて、硬貨貯留ボックス４０内に貯留されると、コントロールユニット５０は、硬貨カセット３０、第１の硬貨貯留筒８０および第２の硬貨貯留筒８１への出金すべき硬貨の出金硬貨収納処理を実行し、一出金単位づつの硬貨が、それぞれ、硬貨カセット３０、第１の硬貨貯留筒８０および第２の硬貨貯留筒８１に送られて、硬貨カセット３０、第１の硬貨貯留筒８０および第２の硬貨貯留筒８１内に貯留される。
【０４３３】
本実施態様においても、硬貨入出金口１に出金された硬貨あるいは硬貨入出金口１に返却された硬貨を、オペレータが受け取り忘れた場合には、前記実施態様と同様にして、図１３に示されるように、取り忘れられた硬貨が、不受領硬貨回収ボックス４２内に回収される。
【０４３４】
図２０は、業務の終了後に、硬貨入出金機に収容されている硬貨を、硬貨カセット３０内に回収する硬貨回収処理のプロセスを示す硬貨入出金機の略縦断面図である。
【０４３５】
業務の終了後、硬貨入出金機に収容されている硬貨を、硬貨カセット３０内に回収するにあたっては、硬貨回収指示スイッチ７５が操作される。
【０４３６】
硬貨回収指示スイッチ７５が操作されると、硬貨回収指示信号が、コントロールユニット５０に出力され、硬貨回収指示信号を受けると、コントロールユニット５０は、まず、第１のモータ５６、第２のモータ５７、回転円板モータ５４および搬送ベルトモータ５５に駆動信号を出力して、搬送ベルト７、入出金ベルト２０および硬貨リフトベルト２１を駆動させるとともに、回転円板３を回転させる。
【０４３７】
さらに、コントロールユニット５０は、第３のモータ５８に、逆回転信号を出力して、出金ベルト２５が巻回されているプーリ２５ａ、２５ａを、図１５において、反時計まわりに回転させる。
【０４３８】
次いで、コントロールユニット５０は、第２の繰り出しモータ６２に駆動信号を出力し、硬貨カセット３０の下部に設けられた硬貨繰り出し手段３０ａによって、硬貨カセット３０内に収容されている硬貨を、入出金ベルト２０上に、１枚づつ、繰り出させる。
【０４３９】
硬貨カセット３０から、入出金ベルト２０上に繰り出された硬貨は、入出金ベルト２０から、硬貨リフトベルト２１に受け渡され、硬貨リフトベルト２１によって、回転円板３上に送られる。
【０４４０】
回転円板３上に送られた硬貨は、回転円板３の回転によって生じる遠心力によって、リング状ガイド４の内面に沿って、移動され、スロット５を介して、１枚づつ、硬貨通路６に送り出される。
【０４４１】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、センサユニット８によって、硬貨の径、表面パターンなどの光学的性質および硬貨の磁気的な性質が検出され、検出信号が、コントロールユニット５０に出力される。
【０４４２】
ここに、硬貨カセット３０から繰り出されたすべての硬貨は、硬貨貯留ボックス４０に貯留され、硬貨貯留ボックス４０から繰り出された際に、硬貨が受け入れ可能か否かおよび硬貨の金種が判別されるから、センサユニット８から検出信号を受けても、コントロールユニット５０は、硬貨の判別、計数は実行しない。
【０４４３】
硬貨は、搬送ベルト７によって、硬貨通路６内を、さらに下流側に向けて、搬送され、硬貨デバイス９を通過し、硬貨通路６の終端部に接続された第４のシュート３４を介して、硬貨貯留ボックス４０内に送られて、貯留される。
【０４４４】
センサユニット８から、最後に、硬貨検出信号が入力されてから、所定時間にわたって、硬貨検出信号が入力されないときは、コントロールユニット５０は、硬貨カセット３０に貯留されていた硬貨がすべて、硬貨貯留ボックス４０内に移送されたと判定して、第２の繰り出しモータ６２に駆動停止信号を出力して、硬貨カセット３０の下部に設けられた硬貨繰り出し手段３０ａの駆動を停止させるとともに、第３の繰り出しモータ８７に駆動信号を出力して、第１の硬貨貯留筒８０の下部に設けられた硬貨繰り出し手段８６を駆動して、第１の硬貨貯留筒８０内に貯留されている硬貨を、１枚づつ、次々に、入出金ベルト２０上に、繰り出させる。
【０４４５】
第１の硬貨貯留筒８０から、入出金ベルト２０上に繰り出された硬貨は、入出金ベルト２０から、硬貨リフトベルト２１に受け渡され、硬貨リフトベルト２１によって、回転円板３上に送られる。
【０４４６】
回転円板３上に送られた硬貨は、回転円板３の回転によって生じる遠心力によって、リング状ガイド４の内面に沿って、移動され、スロット５を介して、１枚づつ、硬貨通路６に送り出される。
【０４４７】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、センサユニット８によって、硬貨の径、表面パターンなどの光学的性質および硬貨の磁気的な性質が検出され、検出信号が、コントロールユニット５０に出力される。
【０４４８】
ここに、第１の硬貨貯留筒８０から繰り出されたすべての硬貨は、硬貨貯留ボックス４０に貯留され、硬貨貯留ボックス４０から繰り出された際に、硬貨が受け入れ可能か否かおよび硬貨の金種が判別されるから、センサユニット８から検出信号を受けても、コントロールユニット５０は、硬貨の判別、計数は実行しない。
【０４４９】
硬貨は、搬送ベルト７によって、硬貨通路６内を、さらに下流側に向けて、搬送され、硬貨デバイス９を通過し、硬貨通路６の終端部に接続された第４のシュート３４を介して、硬貨貯留ボックス４０内に送られて、貯留される。
【０４５０】
センサユニット８から、最後に、硬貨検出信号が入力されてから、所定時間にわたって、硬貨検出信号が入力されないときは、コントロールユニット５０は、第１の硬貨貯留筒８０に貯留されていた硬貨がすべて、硬貨貯留ボックス４０内に移送されたと判定して、第１の硬貨貯留筒８０の下部に設けられた硬貨繰り出し手段８６の駆動を停止させるとともに、第４の繰り出しモータ８９に駆動信号を出力して、第２の硬貨貯留筒８１の下部に設けられた硬貨繰り出し手段８８を駆動して、第２の硬貨貯留筒８１内に貯留されている硬貨を、１枚づつ、次々に、入出金ベルト２０上に、繰り出させる。
【０４５１】
第２の硬貨貯留筒８１から、入出金ベルト２０上に繰り出された硬貨は、入出金ベルト２０から、硬貨リフトベルト２１に受け渡され、硬貨リフトベルト２１によって、回転円板３上に送られる。
【０４５２】
回転円板３上に送られた硬貨は、回転円板３の回転によって生じる遠心力によって、リング状ガイド４の内面に沿って、移動され、スロット５を介して、１枚づつ、硬貨通路６に送り出される。
【０４５３】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、センサユニット８によって、硬貨の径、表面パターンなどの光学的性質および硬貨の磁気的な性質が検出され、検出信号が、コントロールユニット５０に出力される。
【０４５４】
ここに、第２の硬貨貯留筒８１から繰り出されたすべての硬貨は、硬貨貯留ボックス４０に貯留され、硬貨貯留ボックス４０から繰り出された際に、硬貨が受け入れ可能か否かおよび硬貨の金種が判別されるから、センサユニット８から検出信号を受けても、コントロールユニット５０は、硬貨の判別、計数は実行しない。
【０４５５】
硬貨は、搬送ベルト７によって、硬貨通路６内を、さらに下流側に向けて、搬送され、硬貨デバイス９を通過し、硬貨通路６の終端部に接続された第４のシュート３４を介して、硬貨貯留ボックス４０内に送られて、貯留される。
【０４５６】
センサユニット８から、最後に、硬貨検出信号が入力されてから、所定時間にわたって、硬貨検出信号が入力されないときは、コントロールユニット５０は、第２の硬貨貯留筒８１に貯留されていた硬貨がすべて、硬貨貯留ボックス４０内に移送されたと判定して、第１のモータ５６、第２のモータ５７、第３のモータ５８、回転円板モータ５４、搬送ベルトモータ５５、第３のソレノイド６８および第４の繰り出しモータ８９に、駆動停止信号を出力して、搬送ベルト７、入出金ベルト２０、出金ベルト２５、硬貨リフトベルト２１および第２の硬貨貯留筒８１の下部に設けられた硬貨繰り出し手段８８の駆動を停止させるとともに、回転円板３の回転を停止させる。
【０４５７】
次いで、硬貨貯留ボックス４０内に貯留されているすべての硬貨が、硬貨カセット３０内に回収される。
【０４５８】
まず、コントロールユニット５０は、選別ローラ駆動ソレノイド６０および第２のソレノイド６７に駆動信号を出力して、選別ローラ１０ｂを、図１６において、実線で示す位置から破線で示す位置に回動させて、硬貨選別通路１０を開放し、第２のゲート部材１５を駆動して、硬貨選別通路１０を、第３のシュート１３に連通させる。
【０４５９】
次いで、コントロールユニット５０は、第１のモータ５６、第２のモータ５７、回転円板モータ５４および搬送ベルトモータ５５に駆動信号を出力する。
【０４６０】
その結果、搬送ベルト７、入出金ベルト２０および硬貨リフトベルト２１が駆動されるとともに、回転円板３が回転される。
【０４６１】
さらに、コントロールユニット５０は、第３のモータ５８に、逆回転信号を出力して、出金ベルト２５が巻回されているプーリ２５ａ、２５ａを、図１５において、反時計まわりに回転させる。
【０４６２】
次いで、コントロールユニット５０は、第１の繰り出しモータ６１に駆動信号を出力し、硬貨貯留ボックス４０の下部に設けられた硬貨繰り出し手段４０ａによって、硬貨貯留ボックス４０内に貯留されている硬貨を、１枚づつ、入出金ベルト２０上に繰り出させる。
【０４６３】
硬貨貯留ボックス４０から、入出金ベルト２０上に繰り出された硬貨は、入出金ベルト２０から、硬貨リフトベルト２１に受け渡され、硬貨リフトベルト２１によって、回転円板３上に送られる。
【０４６４】
回転円板３上に送られた硬貨は、回転円板３の回転によって生じる遠心力によって、リング状ガイド４の内面に沿って、移動され、スロット５を介して、１枚づつ、硬貨通路６に送り出される。
【０４６５】
硬貨通路６内に送り出された硬貨は、搬送ベルト７によって、硬貨通路６の上面に押圧されつつ、矢印Ａで示される方向に搬送され、硬貨が、硬貨通路６に設けられたセンサユニット８に達すると、硬貨の径、表面パターンなどの光学的性質および硬貨の磁気的な性質が、センサユニット８によって検出され、検出信号が、コントロールユニット５０に出力される。
【０４６６】
コントロールユニット５０は、検出信号を受けると、ＲＯＭ５１に記憶された金種ごとの基準径データ、基準表面パターンデータ、基準磁気データおよび基準汚損レベルデータを読み出して、センサユニット８から入力された検出信号と比較し、硬貨が、現に流通している真正な硬貨で、汚損レベルが基準汚損レベル以下の受け入れ可能な硬貨か否かを判別し、受け入れ可能な硬貨と判別したときは、その硬貨の金種を判別して、その判別結果を、ＲＡＭ５２の判別結果メモリ領域に書き込むとともに、硬貨の金種別の枚数をカウントし、ＲＡＭ５２の回収硬貨枚数メモリ領域に書き込む。
【０４６７】
硬貨が、搬送ベルト７によって、硬貨通路６内を、さらに下流側に向けて、搬送され、硬貨選別デバイス９の近傍の硬貨通路６に設けられた硬貨センサ５３によって、検出されると、硬貨検出信号が、コントロールユニット５０に出力される。
【０４６８】
コントロールユニット５０は、硬貨センサ５３から、硬貨検出信号が入力されると、ＲＡＭ５２に書き込まれた硬貨の判別結果を読み出して、硬貨が、偽造硬貨、外国硬貨、汚損レベルが基準汚損レベルを越えた汚損硬貨などの受け入れ不能な硬貨であると判別されているときは、第１のゲート部材１４を駆動する第１のソレノイド６６に、駆動信号を出力して、第１のゲート部材１４を、硬貨選別通路１０と、第２のシュート１２とが連通する位置に回動させる。
【０４６９】
その結果、硬貨は、硬貨選別通路１０内に落下し、硬貨選別通路１０から、第２のシュート１２に導かれ、出金ベルト２５上に送られる。
【０４７０】
これに対して、硬貨が、現に流通している真正な硬貨で、汚損レベルが基準汚損レベル以下の受け入れ可能な硬貨であると判別しているときは、コントロールユニット５０は、何の信号も出力しない。
【０４７１】
その結果、現に流通している真正な硬貨で、汚損レベルが基準汚損レベル以下の受け入れ可能な硬貨と判別された硬貨は、第２のゲート部材１５が、硬貨選別通路１０と、第３のシュート１３を連通させる位置に保持されているため、第３のシュート１３を通って、硬貨カセット３０に送られて、硬貨カセット３０内に回収される。
【０４７２】
受け入れ不能と判別され、出金ベルト２５上に送られた硬貨は、第３のモータ５８に逆回転信号が出力されて、出金ベルト２５が巻回されているプーリ２５ａ、２５ａが、図１５において、反時計まわりに回転されているため、硬貨回収ボックス２６に向かって、送られる。
【０４７３】
受け入れ不能と判別された硬貨は、出金ベルト２５から、硬貨回収通路４３に送られ、第３のゲート部材４６が、硬貨回収通路４３と受け入れ不能硬貨回収ボックス４１とを連通させる位置に保持されているため、受け入れ不能硬貨回収ボックス４１内に回収される。
【０４７４】
こうして、硬貨貯留ボックス４０内に貯留されていたすべての硬貨が、硬貨カセット３０あるいは受け入れ不能硬貨回収ボックス４１に送られて、収容されると、コントロールユニット５０は、第１のモータ５６、第２のモータ５７、第３のモータ５８、回転円板モータ５４、搬送ベルトモータ５５、第３のソレノイド６８および第１の繰り出しモータ６１に、駆動停止信号を出力して、搬送ベルト７、入出金ベルト２０、出金ベルト２５、硬貨リフトベルト２１および硬貨貯留ボックス４０の下部に設けられた硬貨繰り出し手段４０ａの駆動を停止させるとともに、回転円板３の回転を停止させる。
【０４７５】
以上のようにして、硬貨入出金機内の硬貨がすべて、硬貨カセット３０内に回収されると、硬貨カセット３０が、硬貨入出金機から取り外され、硬貨入出金機から、硬貨が回収される。
【０４７６】
一方、受け入れ不能と判別され、受け入れ不能硬貨回収ボックス４１および不受領硬貨回収ボックス４２内に回収された硬貨は、受け入れ不能硬貨回収ボックス４１および不受領硬貨回収ボックス４２を開閉する開閉部材（図示せず）が操作されて、硬貨入出金機から、回収される。
【０４７７】
本実施態様によれば、硬貨入出金機から出金されるべき硬貨は、それぞれ、一出金単位づつ、硬貨カセット３０、第１の硬貨貯留筒８０および第２の硬貨貯留筒８１内に貯留されているから、出金に際しては、一出金単位を構成する硬貨だけを、硬貨カセット３０、第１の硬貨貯留筒８０あるいは第２の硬貨貯留筒８１から、繰り出せばよく、したがって、出金処理を短時間に完了させることが可能になる。
【０４７８】
さらに、本実施態様によれば、硬貨カセット３０、第１の硬貨貯留筒８０および第２の硬貨貯留筒８１内に貯留されている最大三出金単位の硬貨を除くすべての硬貨は、単一の硬貨貯留ボックス４０内に貯留されるように構成され、硬貨入出金機は、金種別に、硬貨を貯留する硬貨貯留ボックスを備えていないから、硬貨入出金機を小型化することが可能になるとともに、硬貨入出金機のコストを大幅に低減させることが可能になる。
【０４７９】
また、本実施態様によれば、硬貨カセット３０、第１の硬貨貯留筒８０および第２の硬貨貯留筒８１内に貯留されている最大三出金単位の硬貨を除くすべての硬貨は、単一の硬貨貯留ボックス４０内に貯留されるように構成され、硬貨入出金機は、金種別に、硬貨を貯留する硬貨貯留ボックスを備えていないから、金種別に、硬貨を貯留する硬貨貯留ボックスのいずれかに貯留し切れなくなった硬貨を収容する補充用硬貨貯留ボックスを設ける必要がなく、硬貨入出金機を小型化することが可能になるとともに、硬貨入出金機のコストを大幅に低減させることが可能になる。
【０４８０】
さらに、本実施態様によれば、硬貨カセット３０、第１の硬貨貯留筒８０および第２の硬貨貯留筒８１内に貯留されている最大三出金単位の硬貨を除くすべての硬貨は、単一の硬貨貯留ボックス４０内に貯留されるように構成され、硬貨入出金機は、金種別に、硬貨を貯留する硬貨貯留ボックスを備えていないから、いずれかの金種の硬貨の入金枚数が過大になっても、硬貨貯留ボックス４０に収容し切れなくなるということがなく、したがって、硬貨貯留ボックス内に貯留し切れなくなった硬貨を回収するため、硬貨入出金機の動作を停止させる必要が生じることがないから、硬貨入出金機の硬貨処理効率を大幅に向上させることが可能になる。
【０４８１】
また、本実施態様によれば、硬貨カセット３０、第１の硬貨貯留筒８０および第２の硬貨貯留筒８１内に貯留されている最大三出金単位の硬貨を除くすべての硬貨は、単一の硬貨貯留ボックス４０内に貯留されるように構成され、硬貨入出金機は、金種別に、硬貨を貯留する硬貨貯留ボックスを備えていないから、硬貨入出金機の構造を簡素化することが可能となるとともに、硬貨入出金機の耐久性を向上させることが可能になる。
【０４８２】
さらに、本実施態様によれば、新たな金種の硬貨が発行された場合でも、新たに発行された金種の硬貨を貯留し、出金時に、貯留された硬貨を払い出す硬貨貯留ボックスを設けるスペースを確保する必要がなく、単に、コントロールユニット５０の制御プログラムを変更するだけで、新たに発行された金種の硬貨を、硬貨入出金機に、入金し、硬貨入出金機から出金することが可能になるから、新たな金種の硬貨が発行される場合に備えて、無駄なスペースを確保しておく必要がなく、したがって、硬貨入出金機をより一層小型化することが可能になり、その一方で、将来、新たな金種の硬貨が発行された場合に、容易に対応することが可能になる。
【０４８３】
本発明は、以上の実施態様に限定されることなく、特許請求の範囲に記載された発明の範囲内で種々の変更が可能であり、それらも本発明の範囲内に包含されるものであることはいうまでもない。
【０４８４】
たとえば、図１ないし図１４に示された実施態様においては、硬貨カセット３０に収容されたすべての硬貨を、硬貨貯留ボックス４０内に移送し、硬貨貯留ボックス４０に貯留された硬貨のうちから、三出金単位の出金すべき硬貨のみを、硬貨カセット３０に収納させて、硬貨カセット３０から、硬貨を出金するように構成されているが、硬貨カセット３０に収容されたすべての硬貨を、硬貨貯留ボックス４０内に移送し、硬貨貯留ボックス４０内の貯留されたすべての硬貨を、再度、硬貨カセット３０に移送して、収容させ、硬貨カセット３０に収納された硬貨のうちから、三出金単位の出金すべき硬貨のみを、硬貨貯留ボックス４０に貯留させて、硬貨貯留ボックス４０から、硬貨を出金するように構成することもできる。
【０４８５】
また、図１ないし図１４に示された実施態様においては、出金処理後に、ただちに、出金すべき硬貨を硬貨カセット３０に補充するために、硬貨の出金硬貨収納処理が実行されているが、業務の開始に先立って、硬貨カセット３０には、三出金単位の硬貨が収納されているから、硬貨の出金後に、ただちに、硬貨を硬貨カセット３０に補充するために、硬貨の出金硬貨収納処理を実行することは必ずしも必要ではなく、コントロールユニット５０が、ＲＡＭ５２の出金可能硬貨枚数メモリ領域に記憶された硬貨カセット３０に貯留されているいずれかの金種の硬貨の枚数が、一出金単位に含まれるべき硬貨の枚数未満になったと判定したときに、ＲＡＭ５２の補充硬貨枚数メモリ領域に保存されている出金硬貨枚数データに基づいて、コントロールユニット５０によって、硬貨カセット３０への硬貨の出金硬貨収納処理を実行するように構成することもできる。
【０４８６】
さらに、図１ないし図１４に示された実施態様においては、硬貨カセット３０内に、三出金単位の出金すべき硬貨を貯留させているが、硬貨カセット３０内に、三出金単位の出金すべき硬貨を貯留させることは必ずしも必要でなく、出金処理に先立って、少なくとも一出金単位の出金すべき硬貨が、硬貨カセット３０内に貯留されているように構成されていればよい。
【０４８７】
また、図１ないし図１４に示された実施態様においては、硬貨選別通路１０から、第１のシュート１１と第２のシュート１２が分岐し、第１のシュート１１から、第３のシュート１３が分岐され、第１のシュート１１を介して、硬貨が、入出金ベルト２０上に送られ、第２のシュート１２を介して、硬貨が、出金ベルト２５上に送られるとともに、第３のシュート１３を介して、硬貨が、硬貨カセット３０内に、また、硬貨選別通路１０とは、独立して設けられた第４のシュート３４を介して、硬貨が、硬貨貯留ボックス４０内に送られるように構成されているが、硬貨通路６に送られた硬貨が、選択的に、入出金ベルト２５上、出金ベルト２０上、硬貨カセット３０内あるいは硬貨貯留ボックス４０内に送られるように構成されていれば、任意の機械的構成を採用することができる。
【０４８８】
さらに、図１ないし図１４に示された実施態様においては、硬貨貯留ボックス４０は、硬貨入出金機の略中央部に設けられているが、硬貨入出金機の前部に設けることもでき、その位置は限定されるものではない。
【０４８９】
また、前記実施態様においては、硬貨通路６が、回転円板３から、硬貨入出金機内を略水平に延びるように設けられ、出金ベルト２５に隣り合って、硬貨を、硬貨入出金口１の高さまで、持ち上げる硬貨リフトベルト２７が設けられているが、硬貨通路６を、回転円板３から、硬貨入出金機内を略水平に延びるように設け、出金ベルト２５に隣り合って、硬貨を、硬貨入出金口１の高さまで、持ち上げる硬貨リフトベルト２７を設けることは必ずしも必要でなく、特開２００１−４３４２０号公報に示されるように、硬貨通路の一部を、スプロケットホイールに巻回されたエンドレスなチェーンと、水平方向に対して、傾きをもって、機体に取り付けられ、硬貨を支持する支持板とによって構成し、硬貨通路によって、硬貨を、硬貨入出金口１の高さまで持ち上げるように構成することもできる。
【０４９０】
さらに、図１５ないし図２０に示された実施態様においては、硬貨入出金機は、出金すべき硬貨を貯留するように構成された硬貨カセット３０に加えて、出金すべき硬貨を貯留する第１の硬貨貯留筒８０と第２の硬貨貯留筒８１を備えているが、出金すべき硬貨を貯留するように構成された硬貨カセット３０に加えて、出金すべき硬貨を貯留する２つの硬貨貯留筒８０、８１を設けることは必ずしも必要でなく、出金すべき硬貨を貯留するように構成された硬貨カセット３０に加えて、出金すべき硬貨を貯留する単一の硬貨貯留筒を設けてもよいし、出金すべき硬貨を貯留するように構成された硬貨カセット３０に加えて、出金すべき硬貨を貯留する３以上の硬貨貯留筒を設けてもよい。
【０４９１】
また、図１５ないし図２０に示された実施態様においては、出金処理後に、ただちに、出金すべき硬貨を、硬貨カセット３０、第１の硬貨貯留筒８０あるいは第２の硬貨貯留筒８１に補充するために、硬貨の出金硬貨収納処理が実行されているが、業務の開始に先立って、硬貨カセット３０、第１の硬貨貯留筒８０および第２の硬貨貯留筒８１には、それぞれ、一出金単位の硬貨が収納されているから、硬貨の出金後に、ただちに、出金すべき硬貨を、硬貨カセット３０、第１の硬貨貯留筒８０あるいは第２の硬貨貯留筒８１に補充するために、硬貨の出金硬貨収納処理を実行することは必ずしも必要ではなく、コントロールユニット５０が、ＲＡＭ５２の第１の出金可能硬貨枚数メモリ領域、第２の出金可能硬貨枚数メモリ領域および第３の出金可能硬貨枚数メモリ領域に記憶された金種別の硬貨の貯留枚数に基づき、硬貨カセット３０、第１の硬貨貯留筒８０および第２の硬貨貯留筒８１のいずれにも、一出金単位の硬貨が貯留されていないと判定したときに、ＲＡＭ５２の補充硬貨枚数メモリ領域に保存されている出金硬貨枚数データに基づいて、コントロールユニット５０によって、硬貨カセット３０、第１の硬貨貯留筒８０あるいは第２の硬貨貯留筒８１への硬貨の出金硬貨収納処理を実行するように構成することもできる。
【０４９２】
さらに、図１５ないし図２０に示された実施態様においては、出金処理にあたって、硬貨カセット３０、第１の硬貨貯留筒８０および第２の硬貨貯留筒８１のいずれにも、一出金単位の硬貨が貯留されていると判定したときに、コントロールユニット５０は、第２の硬貨貯留筒８１から、硬貨を繰り出して、硬貨入出金口１に出金するように構成されているが、硬貨カセット３０、第１の硬貨貯留筒８０および第２の硬貨貯留筒８１のいずれにも、一出金単位の硬貨が貯留されている場合に、硬貨カセット３０から、硬貨を繰り出して、硬貨入出金口１に出金するように構成することもできるし、第１の硬貨貯留筒８０から、硬貨を繰り出して、硬貨入出金口１に出金するように構成することもできる。
【０４９３】
また、図１５ないし図２０に示された実施態様においては、第１の硬貨貯留筒８０および第２の硬貨貯留筒８１に、出金すべき硬貨を貯留させているが、出金すべき硬貨が、小容積の貯留部に貯留されていれば足り、出金すべき硬貨を、筒状の貯留部に貯留させることは必ずしも必要でない。
【０４９４】
さらに、前記実施態様においては、硬貨入出金機の硬貨回収ボックス２６は、偽造硬貨、外国硬貨、汚損レベルが基準汚損レベルを越えた汚損硬貨などの受け入れ不能な硬貨を回収する受け入れ不能硬貨回収ボックス４１と、硬貨入出金口１に出金されたが、オペレータが取り忘れて、受領しなかった硬貨を回収する不受領硬貨貯留ボックス４２を備えているが、受け入れ不能硬貨回収ボックス４１を、第１の受け入れ不能硬貨回収ボックスと第２の受け入れ不能硬貨回収ボックスとに分割し、硬貨装填処理時に、偽造硬貨、外国硬貨、汚損レベルが基準汚損レベルを越えた汚損硬貨などの受け入れ不能な硬貨と判別された硬貨を、第１の受け入れ不能硬貨回収ボックスに回収し、硬貨回収処理時に、偽造硬貨、外国硬貨、汚損レベルが基準汚損レベルを越えた汚損硬貨などの受け入れ不能な硬貨と判別された硬貨を、第２の受け入れ不能硬貨回収ボックスに回収するように構成することもできる。硬貨装填処理時においては、硬貨入出金機に装填すべき硬貨中に、偽造硬貨、外国硬貨、汚損レベルが基準汚損レベルを越えた汚損硬貨などの受け入れ不能な硬貨が含まれている可能性があるから、硬貨装填処理時に、偽造硬貨、外国硬貨、汚損レベルが基準汚損レベルを越えた汚損硬貨などの受け入れ不能な硬貨と判別された硬貨は、受け入れ不能硬貨として、回収することが必要不可欠であるが、硬貨入出金機の硬貨貯留ボックス４０、硬貨カセット３０、第１の硬貨貯留筒８１、第２の硬貨貯留筒８２に貯留された硬貨は、貯留時に、受け入れ可能と判別されたものであるから、硬貨回収処理時に、偽造硬貨、外国硬貨、汚損レベルが基準汚損レベルを越えた汚損硬貨などの受け入れ不能な硬貨と判別された硬貨は、何らかの原因で、誤って、受け入れ不能と判別されたおそれがあり、したがって、硬貨装填処理時に、偽造硬貨、外国硬貨、汚損レベルが基準汚損レベルを越えた汚損硬貨などの受け入れ不能な硬貨と判別された硬貨と、硬貨回収処理時に、偽造硬貨、外国硬貨、汚損レベルが基準汚損レベルを越えた汚損硬貨などの受け入れ不能な硬貨と判別された硬貨とを、単一の受け入れ不能硬貨回収ボックス４１に回収する場合には、改めて、硬貨を判別し直す必要が生じ得るが、このように、第１の受け入れ不能硬貨回収ボックスと第２の受け入れ不能硬貨回収ボックスとに分割し、硬貨装填処理時に、偽造硬貨、外国硬貨、汚損レベルが基準汚損レベルを越えた汚損硬貨などの受け入れ不能な硬貨と判別された硬貨を、第１の受け入れ不能硬貨回収ボックスに回収し、硬貨回収処理時に、偽造硬貨、外国硬貨、汚損レベルが基準汚損レベルを越えた汚損硬貨などの受け入れ不能な硬貨と判別された硬貨を、第２の受け入れ不能硬貨回収ボックスに回収するように構成する場合には、かかる不必要な判別動作が要求されることがないという利点がある。
【０４９５】
本発明において、手段とは、必ずしも物理的手段を意味するものではなく、各手段の機能がソフトウエアによって実現される場合も、本発明は包含する。さらに、一つの手段の機能が二以上の物理的手段により実現されても、また、二以上の手段の機能が一つの物理的手段により実現されてもよい。
【０４９６】
【発明の効果】
本発明によれば、小型化が可能で、かつ、低コストで製造することができ、新たに発行された金種の硬貨も、容易に、入金し、出金することができる硬貨入出金機を提供することが可能になる。
【図面の簡単な説明】
【図１】図１は、本発明の好ましい実施態様にかかる硬貨入出金機の内部機構を示す略斜視図である。
【図２】図２は、本発明の好ましい実施態様にかかる硬貨入出金機の内部機構を示す略縦側面図である。
【図３】図３は、回転円板の近傍の詳細を示す略部分拡大図である。
【図４】図４は、硬貨選別デバイスの略断面図である。
【図５】図５は、硬貨回収ボックスの近傍の詳細を示す略斜視図である。
【図６】図６は、本発明の好ましい実施態様にかかる硬貨入出金機の制御系、検出系、駆動系、入力系および表示系を示すブロックダイアグラムである。
【図７】図７は、機体の背部に取付けられた硬貨カセットから、硬貨を硬貨入出金機内に装填する硬貨装填処理のプロセスを示す硬貨入出金機の略縦断面図である。
【図８】図８は、硬貨貯留ボックスから、機体の背部に取付けられた硬貨カセットに、出金すべき硬貨を収納する出金硬貨収納処理のプロセスを示す硬貨入出金機の略縦断面図である。
【図９】図９は、硬貨入出金口から、投入された硬貨を、硬貨貯留ボックス内に受け入れる硬貨受け入れ処理のプロセスを示す硬貨入出金機の略縦断面図である。
【図１０】図１０は、硬貨入出金口から、投入され、入出金ベルト上に、一時的に保持されていた硬貨を、確定的に、入金する入金処理のプロセスを示す硬貨入出金機の略縦断面図である。
【図１１】図１１は、硬貨入出金口から、投入され、入出金ベルト上に、一時的に保持されていた硬貨を、硬貨入出金口に返却する入金取消処理のプロセスを示す硬貨入出金機の略縦断面図である。
【図１２】図１２は、硬貨入出金機から、硬貨を出金する出金処理のプロセスを示す硬貨入出金機の略縦断面図である。
【図１３】図１３は、硬貨入出金口に出金された硬貨あるいは硬貨入出金口に返却された入金された硬貨を、オペレータが受け取り忘れた場合に、硬貨を硬貨入出金機内に回収する不受領硬貨回収処理のプロセスを示す硬貨入出金機の前後方向縦断面図である。
【図１４】図１４は、業務の終了後に、硬貨入出金機に収容されている硬貨を、硬貨カセット内に回収する硬貨回収処理のプロセスを示す硬貨入出金機の略縦断面図である。
【図１５】図１５は、本発明の別の好ましい実施態様にかかる硬貨入出金機の内部機構を示す略縦側面図である。
【図１６】図１６は、硬貨選別デバイスの略断面図である。
【図１７】図１７は、本発明の別の好ましい実施態様にかかる硬貨入出金機の制御系、検出系、駆動系、入力系および表示系を示すブロックダイアグラムである。
【図１８】図１８は、硬貨貯留ボックスから、機体の背部に取付けられた硬貨カセット、第１の硬貨貯留筒および第２の硬貨貯留筒に、出金すべき硬貨を収納する出金硬貨収納処理のプロセスを示す硬貨入出金機の略縦断面図である。
【図１９】図１９は、硬貨入出金機の第２の硬貨貯留筒から、硬貨を出金する出金処理のプロセスを示す硬貨入出金機の略縦断面図である。
【図２０】図２０は、業務の終了後に、硬貨入出金機に収容されている硬貨を、硬貨カセット内に回収する硬貨回収処理のプロセスを示す硬貨入出金機の略縦断面図である。
【符号の説明】
１  硬貨入出金口
２  シャッタ
３  回転円板
４  リング状ガイド
５  スロット
６  硬貨通路
７  搬送ベルト
８  センサユニット
９  硬貨選別デバイス
１０  硬貨選別通路
１０ａ  軸
１０ｂ  選別ローラ
１１  第１のシュート
１２  第２のシュート
１３  第３のシュート
１４  第１のゲート部材
１５  第２のゲート部材
２０  入出金ベルト
２１  硬貨リフトベルト
２５  出金ベルト
２５ａ  プーリ
２６  硬貨回収ボックス
２７  硬貨リフトベルト
３０  硬貨カセット
３０ａ  硬貨繰り出し手段
３４  第４のシュート
４０  硬貨貯留ボックス
４０ａ  硬貨繰り出し手段
４１  受け入れ不能硬貨回収ボックス
４２  不受領硬貨貯留ボックス
４３  硬貨回収通路
４４  第５のシュート
４５  第６のシュート
４６  第３のゲート部材
５０  コントロールユニット
５１  ＲＯＭ
５２  ＲＡＭ
５３  硬貨センサ
５４  回転円板モータ
５５  搬送ベルトモータ
５６  第１のモータ
５７  第２のモータ
５８  第３のモータ
５９  第４のモータ
６０  選別ローラ駆動ソレノイド
６１  第１の繰り出しモータ
６２  第２の繰り出しモータ
６６  第１のソレノイド
６７  第２のソレノイド
６８  第３のソレノイド
７０  入金処理スタートスイッチ
７１  入金指示スイッチ
７２  入金取消しスイッチ
７３  出金指示スイッチ
７４  硬貨装填指示スイッチ
７５  硬貨回収指示スイッチ
７６  硬貨枚数確認スイッチ
７７  テンキー
７８  表示パネル
８０  第１の硬貨貯留筒
８１  第２の硬貨貯留筒
８２  第７のシュート
８３  第８のシュート
８４  第４のゲート部材
８５  第５のゲート部材
８６  硬貨繰り出し手段
８７  第３の繰り出しモータ
８８  硬貨繰り出し手段
８９  繰り出しモータ
９４  第４のソレノイド
９５  第５のソレノイド
【図１】
0003872380.tif 000002
【図２】
0003872380.tif 000003
【図３】
0003872380.tif 000004
【図４】
0003872380.tif 000005
【図５】
0003872380.tif 000006
【図６】
0003872380.tif 000007
【図７】
0003872380.tif 000008
【図８】
0003872380.tif 000009
【図９】
0003872380.tif 000010
【図１０】
0003872380.tif 000011
【図１１】
0003872380.tif 000012
【図１２】
0003872380.tif 000013
【図１３】
0003872380.tif 000014
【図１４】
0003872380.tif 000015
【図１５】
0003872380.tif 000016
【図１６】
0003872380.tif 000017
【図１７】
0003872380.tif 000018
【図１８】
0003872380.tif 000019
【図１９】
0003872380.tif 000020
【図２０】
0003872380.tif 000021